(57)【特許請求の範囲】
【請求項１】
企業フェムト・ネットワーク内に配置され、フェムト・アクセスポイント装置のあるフェムト・アクセスポイント装置へのコンピューティング装置の結合を、プロセッサを備える前記企業フェムト・ネットワークのルーティング装置によって検出するステップを含み、前記ルーティング装置は、共通バックホールリンクを介して前記フェムト・アクセスポイント装置をフェムト・ゲートウェイ装置に接続し、さらに、
広告の配信について選択するための広告プロンプトを受信することを含むコンテンツ配信について選択するためにプロンプトを表すプロンプトデータを前記コンピューティング装置から受信したことに応動して、前記コンピューティング装置の位置に基づいてカスタマイズされたコンテンツを前記ルーティング装置が判断するステップを含み、前記判断するステップは、前記企業フェムト・ネットワークのコンテンツ・データストアから前記コンテンツを受信するステップを含み、
前記ルーティング装置が、前記フェムト・ゲートウェイ装置を介して前記コンテンツを送信することなく、前記コンテンツを前記コンテンツ・データストアから前記コンピューティング装置へ送信するステップを含む、方法。
【請求項２】
前記コンテンツの所定量を受信するコストに関し、前記コンテンツの所定量を受信することによる金銭上の利益を示す費用便益分析を表すデータを前記ルーティング装置が決定するステップをさらに含む、請求項１に記載の方法。
【請求項３】
前記ルーティング装置が、前記コンピューティング装置から目的地タスクを受信するステップと、
前記目的地タスクと関連する第１の地理的位置を前記ルーティング装置が決定するステップとをさらに含み、前記第１の地理的位置は、前記フェムト・アクセスポイント装置のセットと関連するカバレッジエリア内にあり、さらに、
前記コンピューティング装置の第２の地理的位置から前記第１の地理的位置へのナビゲーションを容易にするナビゲーションデータを前記ルーティング装置が決定するステップと、
前記コンピューティング装置へのナビゲーションデータの送信を前記ルーティング装置が容易にするステップとをさらに含む、請求項１に記載の方法。
【請求項４】
前記目的地タスクを受信するステップは、参照アイテムと関連する製品識別子を示す識別子データを受信するステップをさらに含み、前記第１の地理的位置を決定するステップは、無線周波数識別データに基づいて前記第１の地理的位置を決定するステップを含む、請求項３に記載の方法。
【請求項５】
前記コンピューティング装置から前記フェムト・アクセスポイント装置を介して製品の注文を示す注文データを前記ルーティング装置が受信するステップと、
前記注文データの受信に応動して、前記ルーティング装置が、前記製品と関連する商業取引を容易にするステップをさらに含む、請求項１に記載の方法。
【請求項６】
前記コンピューティング装置が前記企業フェムト・ネットワークにアクセスすることを承認されたとの決定に応動して、前記ルーティング装置が、前記企業フェムト・ネットワーク内の前記フェムト・アクセスポイント装置のセットと関連するアクセスリスト内に、前記コンピューティング装置と関連する識別子データを含むステップをさらに含む、請求項１に記載の方法。
【請求項７】
前記商業取引に関連する課金情報を前記ルーティング装置が受信するステップをさらに含む、請求項５に記載の方法。
【請求項８】
前記判断するステップが、前記コンピューティング装置とリンクされた商業プロファイルデータに従ってカスタマイズされたコンテンツを得るステップを含む、請求項１に記載の方法。
【請求項９】
前記コンピューティング装置の識別子を示す識別子データを前記ルーティング装置が受信するステップと、
前記識別子データに基づいて、前記商業プロファイルデータを前記ルーティング装置が取得するステップとをさらに含む、請求項８に記載の方法。
【請求項１０】
前記判断するステップは、前記商業プロファイルデータに基づいた金銭的インセンティブと関連するインセンティブデータを得るステップを含む、請求項８に記載の方法。
【請求項１１】
広告基準に基づいた広告に晒されることに関するサービス単位の取引を表す取引データを前記ルーティング装置が構成するステップをさらに含む、請求項１に記載の方法。
【請求項１２】
前記広告の晒されに対する応答を前記ルーティング装置がモニタするステップをさらに含む、請求項１１に記載の方法。
【請求項１３】
前記広告の晒されに対する応答に基づいてサービスデータを前記ルーティング装置が決定するステップと、
サービス・インテリジェンス・データの関数として、前記サービス単位と関連するサービスを前記ルーティング装置が調整するステップとをさらに含む、請求項１２に記載の方法。
【請求項１４】
前記送信を容易にするステップは、テキストメッセージを介した前記コンピューティング装置への前記ナビゲーションデータの送信を容易にするステップを含む、請求項３に記載の方法。
【請求項１５】
実行可能な命令を記憶するメモリと、
以下の動作を遂行するための実行可能命令の実行を容易にする、前記メモリに結合されたプロセッサとを備えた移動体装置であって、前記動作が、
企業フェムト・ネットワーク内に配置され、フェムト・アクセスポイント装置のセットのうちのあるフェムト・アクセスポイント装置へ前記移動体装置を接続することを容易にするための接続処理を開始することを含み、前記フェムト・アクセスポイント装置は、共通バックホールリンクを介して前記フェムト・アクセスポイント装置をネットワーク・ゲートウェイ装置に接続するために利用される、前記企業フェムト・ネットワークのルーティング装置に接続され、
前記移動体装置へのコンテンツ配信についての承認を要求するプロンプトデータを前記ルーティング装置から受信することを含み、前記コンテンツ配信は、金銭的インセンティブを示すインセンティブデータの配信を含み、前記動作はさらに、
前記承認の送信を容易にしたことに応動して、前記企業フェムト・ネットワーク内の前記移動体装置の位置に基づいてカスタマイズされたインセンティブデータを受信することを含み、前記受信することは、前記ネットワーク・ゲートウェイ装置を介して前記コンテンツの送信をすることなく、前記ルーティング装置に接続された前記企業フェムト・ネットワークのコンテンツ・データストアから前記インセンティブデータを受信するステップを含む、移動体装置。
【請求項１６】
前記動作がさらに、コンテンツの所定量の受信のコストに関し、前記コンテンツの所定量の受信と関連する金銭上の利益を示す費用効果データを決定することを含む、請求項１５に記載の移動体装置。
【請求項１７】
前記送信が第１の送信であり、前記動作がさらに、
前記企業フェムト・ネットワーク内のルーティング・プラットフォーム装置への目的地タスクデータの第２の送信を容易にすることをさらに含み、前記目的地タスクデータは意図する目的地を特定し、さらに、
前記移動体装置と関連する第１の位置から前記意図する目的地と関連する第２の位置へのルートを示すナビゲーションデータを、前記ルーティング・プラットフォーム装置から受信することを含む、請求項１５に記載の移動体装置。
【請求項１８】
前記目的地タスクデータは、前記意図する目的地と関連する参照アイテムの製品識別子を示す識別子データを含む、請求項１７に記載の移動体装置。
【請求項１９】
前記送信が第１の送信であり、前記動作がさらに、製品と関連する商業取引を容易にするために、前記フェムト・アクセスポイント装置を介した製品の注文を示す注文データの第２の送信を容易にすることを含む、請求項１５に記載の移動体装置。
【請求項２０】
前記動作がさらに、前記商業取引をもたらすために、制御情報の第３の送信を容易にすることを含む、請求項１９に記載の移動体装置。
【請求項２１】
前記送信が第１の送信であり、前記動作がさらに、２地点間動作モード内で通信するための電磁スペクトルの赤外部分内での無線信号を介した購入情報の第２の送信を容易にすることを含む、請求項１５に記載の移動体装置。
【請求項２２】
第２の送信を容易にすることは、購入すべき製品についての注文を含む注文データの前記第２の送信を容易にすることを含む、請求項２１に記載の移動体装置。
【請求項２３】
前記動作はさらに、コンテンツ配信についての選択のために入力を受信することを含む、請求項１５に記載の移動体装置。
【請求項２４】
実行すると、プロセッサを含む企業フェムト・ネットワークのルーティング装置に以下の動作を遂行させるコンピュータ実行可能命令を含むコンピュータ読取可能媒体であって、前記動作が、
前記企業フェムト・ネットワーク内に配置され、フェムト・アクセスポイント装置のあるフェムト・アクセスポイント装置に接続された移動体装置を決定することを含み、前記ルーティング装置は、共通バックホールリンクを介して前記フェムト・アクセスポイント装置をネットワーク・ゲートウェイ装置に接続し、さらに、
前記移動体装置に配信するコンテンツを承認する承認データを前記移動体装置から受信することと、前記フェムト・アクセスポイント装置のサービスエリア内で前記移動体装置の地理的位置に基づいて、前記企業フェムト・ネットワークのコンテンツ・データストア内に蓄積されたコンテンツを選択することとを含み、前記コンテンツは金銭的なインセンティブを示す情報を含み、
前記ネットワーク・ゲートウェイ装置を介して前記コンテンツを転送することなく、前記コンテンツを前記コンテンツ・データストアから前記移動体装置へ送信することを含む、コンピュータ読取可能媒体。
【請求項２５】
前記動作はさらに、
前記移動体装置が前記企業フェムト・ネットワークにアクセスすることを承認されたと決定されたことに応動して、前記企業フェムト・ネットワーク内のフェムト・アクセスポイント装置のセットと関連するアクセスリストに、前記移動体装置と関連する識別子データを含むことをさらに含む、請求項２４に記載のコンピュータ読取可能媒体。
【請求項２６】
前記動作はさらに、
前記移動体装置への前記コンテンツの配信に基づく商業取引に関連する課金情報を受信することをさらに含む、請求項２４に記載のコンピュータ読取可能媒体。
【請求項２７】
前記決定することは、前記ネットワーク・ゲートウェイ装置を使用することなく前記コンテンツを受信することを含む、請求項２４に記載のコンピュータ読取可能媒体。
【請求項２８】
前記受信することは、広告データの配信を承認された前記移動体装置からデータを受信することを含み、前記決定することは、前記企業フェムト・ネットワーク内の前記移動体装置の位置に基づいた広告データを選択することを含む、請求項２４に記載のコンピュータ読取可能媒体。
【請求項２９】
前記動作はさらに、
前記移動体装置の識別子に基づく商業プロファイルを受信することと、
前記送信することの前に、前記商業プロファイル内のデータに一部基づいて、コンテンツをカスタマイズすることをさらに含む、請求項２４に記載のコンピュータ読取可能媒体。
【発明の詳細な説明】
【技術分野】
【０００１】
関連出願の相互参照
本出願は、２００８年５月１３日に出願され、「ＭＡＮＡＧＥＭＥＮＴ  ＯＦ  ＡＣＣＥＳＳ  ＴＯ  ＦＥＭＴＯ  ＣＥＬＬ  ＣＯＶＥＲＡＧＥ」と題された米国仮特許出願第６１／０５２，８１３号の利益を主張する。本出願は、    に出願され、「ＬＯＣＡＴＩＯＮ−ＢＡＳＥＤ  ＳＥＲＶＩＣＥＳ  ＩＮ  Ａ  ＦＥＭＴＯＣＥＬＬ  ＮＥＴＷＯＲＫ」と題された同時係属の米国特許出願第    号、    に出願され、「ＩＮＴＲＡ−ＰＲＥＭＩＳＥＳ  ＣＯＮＴＥＮＴ  ＡＮＤ  ＥＱＵＩＰＭＥＮＴ  ＭＡＮＡＧＥＭＥＮＴ  ＩＮ  Ａ  ＦＥＭＴＯＣＥＬＬ  ＮＥＴＷＯＲＫ」と題された同時係属の米国特許出願第    号、および    に出願され、「ＦＥＭＴＯＣＥＬＬ  ＡＲＣＨＩＴＥＣＴＵＲＥ  ＦＯＲ  ＩＮＦＯＲＭＡＴＩＯＮ  ＭＡＮＡＧＥＭＥＮＴ」と題された同時係属の米国特許出願第    号に関する。これらの出願の全体は、参照により本明細書に組み込まれる。
【０００２】
本革新は、無線通信に関し、より詳細には、限られたエリアまたはほぼ限られたエリアをサービスするフェムトセル・ネットワークが可能にする、商業およびサービスに関するものである。
【背景技術】
【０００３】
有線ブロードバンド・ネットワークとインターフェースする、建物を基盤とする無線アクセスポイントであるフェムトセルは、屋内の無線カバレッジを改善し、無線ネットワーク・プロバイダおよび無線サービス・プロバイダが運営するモビリティ無線アクセス・ネットワーク（ＲＡＮ）の負担を軽減するために多くの場合展開される。典型的には、フェムトセルは電磁スペクトルの認可された部分内で機能し、多くの場合、プラグ・アンド・プレイによる導入を提供する。屋内のカバレッジが改善されることには、信号がより強くなることおよび受信状態が改善されること（例えば音声やデータ）、セッションの開始または発呼が容易であること、ならびにセッションまたは呼の維持が容易であることも含まれる。ＲＡＮの負担を軽減することは、通常は限られている、無線の（ＯＴＡ）無線リソース（例えば無線周波数帯域やチャネル）をより少人数のエンドユーザが利用するので、サービス・プロバイダの運営コストおよび伝送コストを低減することができる。
【０００４】
フェムトセルまたはフェムト・アクセスポイント（ＡＰ）のカバレッジは、多くの場合、マクロセルがカバーする移動局とフェムトＡＰがカバーする端末との間の干渉を軽減するために、屋内区域（例えば住居用建物や商業用建物）の境界内に限られるように意図される。さらに、カバレッジが限られることは、隣接する別のフェムトセルにサービスされる端末との間の漏話を減らすこともできる。フェムトセルによって屋内の無線カバレッジを改善することは、音声カバレッジおよびかなりの遅延感度を伴う他のデータ・サービス等に関し、加入者が好意的な感じ方を得る限り、顧客が減ることを軽減することもできる。さらに、フェムトセルにより、より豊富な種類の無線音声サービスおよび無線データ・サービスを顧客に提供することができ、それは、そのようなサービスの提供がモビリティＲＡＮリソースに主に依拠しないからである。
【０００５】
移動体装置により、様々な商業取引およびサービスを実行することができる。典型的には、そのような取引およびサービスの利用は、主にマクロセル・ネットワークによってサービスされる無線広域ネットワークを介して行われる。したがって、１つまたは複数の商業取引および１つまたは複数のサービスの消費をカスタマイズすることは、マクロセルのかなりの無線リソースを必要とする場合があるので、消費者経験はほとんどの場合限られる。豊富な視聴覚コンテンツを伴うゲーム・アプリケーションなど、商業的に関連する取引デジタル・コンテンツまたは消費デジタル・コンテンツは、典型的には大量の情報を含み、そのため、そのようなコンテンツはかなりの量の無線帯域幅を使用する場合がある。さらに、そのようなデジタル・コンテンツを送ることは、多くの場合情報のパケットを再送する必要があるため、著しいシグナリングおよび関係するネットワークの輻輳を引き起こす可能性がある。カスタマイズ化に関しては、１つもしくは複数のサービスまたは１つもしくは複数のコンテンツは、典型的には広義のグループにセグメント化し、それは、より高い細分性でセグメント化することは、カスタマイズされた送信／課金機能を満たすためにマクロセル・ネットワーク内の無線リソースおよびシグナリングをかなり消費することになる可能性があるためである。さらに、そのため、マクロセルを介してコンテンツを消費し、サービスを利用することは、移動体装置のモビリティと位置とを満足に統合しない。デジタル・コンテンツおよび１つまたは複数のサービスの消費とモビリティとを統合するために、ＲＡＮリソースをオフロードするフェムトセル展開の諸機能がごくわずかに使用されてきた。
【先行技術文献】
【特許文献】
【０００６】
【特許文献１】米国仮特許出願第６１／０５２，８１３号、「ＭＡＮＡＧＥＭＥＮＴ  ＯＦ  ＡＣＣＥＳＳ  ＴＯ  ＦＥＭＴＯ  ＣＥＬＬ  ＣＯＶＥＲＡＧＥ」
【特許文献２】米国特許出願第    号、「ＬＯＣＡＴＩＯＮ−ＢＡＳＥＤ  ＳＥＲＶＩＣＥＳ  ＩＮ  Ａ  ＦＥＭＴＯＣＥＬＬ  ＮＥＴＷＯＲＫ」
【特許文献３】米国特許出願第    号、「ＩＮＴＲＡ−ＰＲＥＭＩＳＥＳ  ＣＯＮＴＥＮＴ  ＡＮＤ  ＥＱＵＩＰＭＥＮＴ  ＭＡＮＡＧＥＭＥＮＴ  ＩＮ  Ａ  ＦＥＭＴＯＣＥＬＬ  ＮＥＴＷＯＲＫ」
【特許文献４】米国特許出願第    号、「ＦＥＭＴＯＣＥＬＬ  ＡＲＣＨＩＴＥＣＴＵＲＥ  ＦＯＲ  ＩＮＦＯＲＭＡＴＩＯＮ  ＭＡＮＡＧＥＭＥＮＴ」
【発明の概要】
【課題を解決するための手段】
【０００７】
本明細書の一部の態様についての基本的な理解を提供するために、以下に本明細書の簡略化した概要を示す。この概要は、本明細書の広範な概説ではない。この概要は、本明細書の主要なまたは不可欠な要素を特定することも、本明細書の範囲を詳細に記述することも意図しない。この概要の唯一の目的は、後で示すより詳細な説明への導入部として、本明細書の一部の概念を簡略化した形で示すことである。
【０００８】
本革新は、ある１組のネットワーク化されたフェムト・アクセスポイント（ＡＰ）間のトラフィックおよび信号伝達をルーティングし、商業およびサービスを可能にするための、１つまたは複数のシステムおよび１つまたは複数の方法を提供する。その１組のネットワーク化されたフェムトＡＰのうちのフェムトＡＰは、トラフィックおよび信号伝達を管理するルーティング・プラットフォームに機能的に結び付けられ、データおよび制御の少なくとも一部をフェムト・ネットワーク・プラットフォームに中継するコントローラ・コンポーネントに機能的に接続される。このフェムト・ネットワーク・プラットフォームは、１つまたは複数の外部ネットワークにアクセスすることを可能にする。ルーティング・プラットフォームは、１組のネットワーク化されたフェムトＡＰの中の１つまたは複数のフェムトＡＰと、このルーティング・プラットフォームとを介して少なくとも部分的にサービスされる呼セッションに関連する課金料金を課す。呼セッションは、イントラネットワーク通信またはインターネットワーク通信を含むことができ、イントラネットワーク通信は、トラフィックおよびシグナリングのプッシュツーポイント（ｐｕｓｈ−ｔｏ−ｐｏｉｎｔ）伝達を含むことができるのに対し、インターネットワーク通信は、外部ネットワークによってサービスされる装置とルーティング・プラットフォームにつながるフェムトＡＰによってサービスされる装置との間でデータおよび制御を交換することを含むことができる。さらに、ルーティング・プラットフォームは、１組のフェムトＡＰの中の２つのフェムトＡＰ間の呼セッションのソフト・ハンドオーバを引き起こすことができ、フェムトＡＰと、呼セッションにサービス可能な外部ネットワークの中のコンポーネントとの間で呼セッションのハード・ハンドオーバを実施することができる。
【０００９】
１つもしくは複数の金銭的インセンティブまたは広告は装置に送られ、その１つもしくは複数のインセンティブまたは広告は、１組のネットワーク化されたフェムトＡＰによって及ぼされる企業フェムト・ネットワークのカバレッジ・エリア内の装置の位置の少なくとも１つに、少なくとも部分的に基づいてカスタマイズされる。一態様では、受信側の移動体装置が、１つもしくは複数のインセンティブまたは広告を受信することを承認し、または拒否することができる。移動体装置の一意識別子に関連する商業プロファイルに少なくとも部分的に基づき、１つまたは複数の商業取引を実施することもできる。商業プロファイルは、１つまたは複数のインセンティブを送り、かつ１つまたは複数の商業取引を可能にする商業コンポーネントが自律的に設定することができる。あるいは、またはそれに加え、移動体装置に関連する消費者が、外部ネットワークを介して商業プロファイルを設定することができる。マーケティング・コンポーネントは、１つまたは複数の広告キャンペーン、およびその広告キャンペーンに対する応答を活用してビジネス・インテリジェンスを生成し、広告コンテンツおよび配信、ならびに広告するサービスを調節することができる。
【００１０】
さらに、ある製品の１つまたは複数の注文を遠隔的に行うことができ、１組のネットワーク・フェムトＡＰのうちのフェムトＡＰによって無線サービスを提供される販売場所（ＰＯＳ）の範囲内で、その注文した製品を受け取るときに、関係する取引、例えば購入を行うことができる。その取引に関連する課金料金は、移動体装置またはその移動体装置に関連する加入者が利用可能なインセンティブに少なくとも部分的に基づいて調節することができる。さらに、１つもしくは複数の配達サービス、または指示された購入もしくは問合せを、入力地点から企業フェムト・ネットワーク内の目的地へと自動的にナビゲートすることができる。ナビゲーション指令またはナビゲーション指示は、１組のそれぞれのネットワーク化されたフェムトＡＰへの移動体装置のアクセス権を規制する、１組のアクセス・リストに少なくとも部分的に基づいて生成することができる。ナビゲーション指示は、ショート・メッセージ・サービス（ＳＭＳ）通信、マルチメディア・メッセージ・サービス（ＭＭＳ）通信、インスタント・メッセージ（ＩＭ）、電子メール通信など、様々な形式で移動体装置に伝えることができる。一態様では、移動体装置の中の取引コンポーネントが、その移動体装置のディスプレイ・インターフェース、およびその移動体装置の中のメモリ内に保持される１つまたは複数のアプリケーションを活用して、受信したナビゲーション指示を消費、例えば表示しまたは処理することができる。
【００１１】
企業フェムト・ネットワークが展開される事業を管理するオペレータと、１組の広告主との間で収益の分配を設定することもでき、収益の分配は、広告にさらされることについて、１つまたは複数のサービス単位を交換することに少なくとも部分的に基づくことができる。この１組の広告主は、事業オペレータもしくはサービス・プロバイダにとって内部的な広告主、または事業オペレータもしくはサービス・プロバイダにとって外部的な広告主のうちの少なくとも１つを含むことができる。
【００１２】
本革新の諸態様、特徴、または利点は、実質的にあらゆる無線電気通信技術または無線技術、例えば、Ｗｉ−Ｆｉ、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、拡張汎用パケット無線サービス（拡張ＧＰＲＳ）、第３世代パートナーシップ・プロジェクト（３ＧＰＰ）ロングターム・エボリューション（ＬＴＥ）、第３世代パートナーシップ・プロジェクト２（３ＧＰＰ２）のウルトラモバイル・ブロードバンド（ＵＭＢ）、３ＧＰＰ  ＵＭＴＳ、高速パケット・アクセス（ＨＳＰＡ）、高速ダウンリンク・パケット・アクセス（ＨＳＤＰＡ）、高速アップリンク・パケット・アクセス（ＨＳＵＰＡ）、またはＬＴＥ拡張によって活用することができる。さらに、本革新の実質的にすべての態様が、旧来の電気通信技術を含むことができる。
本革新の様々な態様、特徴、または利点を、１つまたは複数のフェムト・アクセスポイントおよび関連するフェムト・ネットワーク・プラットフォームに関して示すが、そのような態様または特徴は、実質的にあらゆる、またはあらゆる異なる電気通信技術、例えばＷｉ−Ｆｉ（ワイヤレス・フィディリティ）やピコセル電気通信などによって無線カバレッジを提供する、屋内ベースの基地局（例えば１つまたは複数のホームベース・アクセスポイント、１つまたは複数の企業ベース・アクセスポイント）にも活用できることを指摘しておく。
前述のおよび関係する目的を達成するために、本発明は、本明細書の以下に完全に説明する特徴を含む。以下の説明および付属図面は、本発明の説明のための特定の態様を詳細に記述する。しかし、これらの態様は、本発明の原理を使用できる様々な方法のほんの数例を示すに過ぎない。本発明の以下の詳細な説明を諸図面と併せて検討する場合、本発明の他の態様、利点、および新規特徴が明らかになろう。
【図面の簡単な説明】
【００１３】
【図１】本明細書の諸態様による、企業フェムト・ネットワークの一例を示す図である。
【図２Ａ】本明細書に記載の諸態様による、マルチカバレッジエリア・フェムト・メッシュ・ネットワークの一例を示すブロック図である。
【図２Ｂ】本明細書に記載の諸態様による、複数の場所がある環境におけるルーティングが分散されたフェムト・メッシュ・ネットワークの一例を示すブロック図である。
【図２Ｃ】本明細書に記載の諸態様による、様々な企業の展開に関係する様々なルーティング・プラットフォームが多重化されたフェムト・メッシュ・ネットワークの一例を示す図である。
【図３】本明細書に開示する諸態様による、企業フェムト・ネットワーク・アーキテクチャの一部であるルーティング・プラットフォームの一実施形態例を示すブロック図である。
【図４】本明細書に記載の諸態様による、フェムト企業ネットワーク内に展開することができるフェムト・アクセスポイントの一実施形態例を示す図である。
【図５】本革新の諸態様による、位置データを収集することを可能にするフェムト企業ネットワーク・アーキテクチャの一実施形態例を示す図である。
【図６】本明細書に開示する諸態様による、企業フェムト・ネットワーク・アーキテクチャの一部であるルーティング・プラットフォームの一実施形態例を示すブロック図である。
【図７Ａ】本革新の諸態様による、移動体の位置データを収集することを可能にするフェムト企業ネットワーク・アーキテクチャの一実施形態例を示す図である。
【図７Ｂ】本革新の諸態様による、移動体の位置データを収集することを可能にするフェムト企業ネットワーク・アーキテクチャの一実施形態例を示す図である。
【図８】本開示の諸態様による、企業フェムト・ネットワーク・アーキテクチャの一部とすることができるルーティング・プラットフォームの一実施形態例を示す図である。
【図９】本明細書に記載の諸態様による、企業フェムト・ネットワークの一例を少なくとも部分的に介し、カスタマイズされたアイテムを移動することを可能にするシステムの一例を示す図である。
【図１０】本明細書に記載の諸態様による、企業フェムト・ネットワーク内で動作することができるルーティング・プラットフォームの一実施形態例を示す図である。
【図１１】本明細書に記載の諸態様による、企業フェムト・ネットワーク内の商業取引を可能にするシステムの一例のブロック図である。
【図１２】企業フェムト・ネットワーク内で動作する商業コンポーネントの１つまたは複数の側面を使用可能にするインセンティブ・コンポーネントの一実施形態例のブロック図である。
【図１３】本明細書に記載の諸態様による、企業フェムト・ネットワーク内のマーケティングを可能にするシステムの一例を示すブロック図である。
【図１４Ａ】本明細書に記載の諸態様による、企業フェムト・ネットワーク内の商業取引を可能にするシステムの一例の実施形態例を示す図である。
【図１４Ｂ】本明細書に記載の諸態様による、企業フェムト・ネットワーク内の商業取引を可能にするシステムの一例の実施形態例を示す図である。
【図１５Ａ】本明細書に記載の諸態様による、配達を完了し、または商業取引を行うためのシグナリングおよびデータの交換を示す図である。
【図１５Ｂ】本明細書に記載の諸態様による、配達を完了し、または商業取引を行うためのシグナリングおよびデータの交換を示す図である。
【図１６】本明細書に記載の本革新の様々な態様を可能にし、活用することができる移動体装置の一実施形態例のブロック図である。
【図１７】本明細書に開示する諸態様による、フェムト・メッシュ・ネットワーク内で通信するための方法の一例を示す流れ図である。
【図１８】本明細書に記載の諸態様による、フェムト・メッシュ・ネットワーク内でコンテンツを送るための方法の一例を示す流れ図である。
【図１９】本明細書に記載の諸態様による、フェムト・ネットワーク内で動作する移動体装置の位置を突き止めるための方法の一例の流れ図である。
【図２０】本明細書に記載の諸態様による、エンティティの位置を特定するための方法の一例を示す流れ図である。
【図２１】本明細書に記載の諸態様による、選択した１つまたは複数の移動体装置の位置推定を追跡するための方法の一例を示す流れ図である。
【図２２】本明細書に記載の諸態様による、アイテムを移動体装置に関連させるための方法の一例を示す流れ図である。
【図２３】本明細書に記載の諸態様による、装置を第１の位置から目的地にナビゲートするための方法の一例の流れ図である。
【図２４】本明細書に記載の諸態様による、カスタム・コンテンツを供給するための方法の一例の流れ図である。
【図２５】本明細書に記載の諸態様による、企業フェムト・ネットワークを少なくとも部分的に介して商業取引を行うための方法の一例の流れ図である。
【図２６】本明細書に記載の諸態様による、企業フェムト・ネットワーク内の広告によりビジネス・インテリジェンスを策定する方法の一例を示す流れ図である。
【図２７】本明細書に記載の諸態様による、企業フェムト・ネットワーク内で商業取引を行うための方法の一例を示す流れ図である。
【図２８】本明細書に記載の諸態様による、１つまたは複数のプロモーション・コンテンツを消費するための方法の一例を示す流れ図である。
【図２９】本明細書に記載の諸態様による、企業フェムト・ネットワーク内の目的地に到達するための方法の一例を示す流れ図である。
【図３０】本明細書に記載の諸態様による、企業フェムト・ネットワーク内で商業取引を行うための方法の一例を示す流れ図である。
【図３１】本明細書に記載の諸態様による、フェムト企業ネットワーク内のカバレッジ・エリア内で移動体装置をハンドオフするための方法の一例を示す流れ図である。
【図３２】本明細書に記載の諸態様による、フェムト企業ネットワーク内のフェムト・アクセスポイントに無線装置が接続することを、ルーティング・プラットフォームに信号で伝えるための方法の一例を示す流れ図である。
【図３３】本明細書に記載の諸態様による、フェムト企業内で動作する移動体装置の位置を突き止めることを支援するための方法の一例の流れ図である。
【図３４】本明細書に記載の諸態様による、フェムトセル企業ネットワークの動作を可能にすることができる関連コンポーネントを備える、無線通信環境の一例を示す図である。
【図３５】本明細書の諸態様による、無線カバレッジを得るためのマクロセルおよびフェムトセルの展開概略図である。
【発明を実施するための形態】
【００１４】
次に、全体を通して同じ要素を参照するために同じ参照番号を使用する図面を参照して本革新を説明する。以下の説明では、説明目的で、本革新の完全な理解を与えるために数多くの具体的な詳細を記載する。ただし、本発明をこれらの具体的な詳細なしに実施し得ることが明らかな場合がある。他の例では、本発明の説明を容易にするために、よく知られている構造および装置をブロック図形式で示す。
【００１５】
本出願で使用するとき、用語「コンポーネント」、「システム」、「アーキテクチャ」、「プラットフォーム」、「ノード」、「レイヤ」、「セレクタ」、「インターフェース」、「モジュール」等は、コンピュータ関連のエンティティ、または１つもしくは複数の特定の機能を備える動作可能な機器に関係するエンティティを指すことを意図し、そのエンティティは、ハードウェア、ハードウェアとソフトウェアとの組合せ、ソフトウェア、または実行中のソフトウェアとすることができる。例として、コンポーネントは、プロセッサ上で実行されるプロセス、プロセッサ、オブジェクト、実行ファイル、実行スレッド、プログラム、および／またはコンピュータとすることができるが、これだけに限定されない。非限定的な例として、あるサーバ上で実行されるアプリケーションとそのサーバとはどちらもコンポーネントであり得る。あるプロセスおよび／または実行スレッド内には１つもしくは複数のコンポーネントがあってよく、コンポーネントは１台のコンピュータ上に局在化しかつ／または２台以上のコンピュータ間に分散させることができる。これらのコンポーネントは、様々なデータ構造が記憶されている様々なコンピュータ可読媒体から実行することもできる。これらのコンポーネントは、１つまたは複数のデータ・パケット（例えば、信号によってローカル・システム内、分散システム内の別のコンポーネントと対話し、かつ／またはインターネットなどのネットワークを介して他のシステムと対話するあるコンポーネントからのデータ）を有する信号などに従い、ローカル・プロセスおよび／またはリモート・プロセスによって通信することができる。別の例として、コンポーネントは、プロセッサが実行するソフトウェアまたはファームウェア・アプリケーションが動作させる電気回路／電子回路が動作させる機械的部品が提供する、特定の機能を備える機器とすることができ、そのプロセッサは、機器の内部にあっても外部にあってもよく、ソフトウェアまたはファームウェア・アプリケーションの少なくとも一部を実行する。さらに別の例として、コンポーネントは、機械的部品なしに電子コンポーネントによって特定の機能を提供する機器とすることができ、その電子コンポーネントは、その電子コンポーネントの機能を少なくとも部分的に与えるソフトウェアまたはファームウェアを実行するためのプロセッサをその内部に含むことができる。インターフェースは、入出力（Ｉ／Ｏ）コンポーネント、ならびに関連するプロセッサ、アプリケーション、および／またはＡＰＩコンポーネントを含むことができる。
【００１６】
さらに、用語「または（ｏｒ）」は、排他的な「または」でなく、包含的な「または」を意味することを意図する。つまり、特別の定めのない限り、または文脈から明らかな場合を除き、「Ｘは、ＡまたはＢを使用する」は、自然の包含的な組合せのいずれをも意味することを意図する。つまり、ＸがＡを使用し、ＸがＢを使用し、またはＸがＡとＢとの両方を使用する場合、「Ｘは、ＡまたはＢを使用する」は上記の例のいずれの下でも満たされる。さらに、本明細書および付属図面で使用するとき、冠詞「ある（ａ）、（ａｎ）」は、特別の定めのない限り、または文脈から単数形に向けられることが明らかな場合を除き、「１つまたは複数の」を意味すると概して解釈すべきである。
【００１７】
さらに、「ユーザ機器」、「移動局」、「移動体」、「移動体装置」、「加入者局」、「加入者機器」、「アクセス端末」、「端末」、「ハンドセット」などの用語は、データ、制御、音声、映像、音、ゲーム、または実質的に任意のデータストリームもしくはシグナリングストリームを受信／搬送するために、無線通信サービスの加入者またはユーザが利用する無線装置を指す。上記の用語は、本明細書および関連図面の中で区別なく利用する。同様に、用語「アクセスポイント」、「基地局」、「Ｎｏｄｅ  Ｂ」、「発展型Ｎｏｄｅ  Ｂ（ｅＮｏｄｅ  Ｂ）」、「ホームＮｏｄｅ  Ｂ（ＨＮＢ）」、「ホーム・アクセスポイント（ＨＡＰ）」等も本明細書および諸図面の中で区別なく利用し、１組の加入者局からのデータ、制御、音声、映像、音、ゲーム、または実質的に任意のデータストリームもしくはシグナリングストリームをサービス／受信する無線ネットワーク・コンポーネントまたは機器を指す。本明細書および諸図面では、文脈または明確に区別することは、屋外環境において移動体装置からのデータをサービス／受信するアクセスポイントまたは基地局、および主に限られた屋内環境において動作するアクセスポイントまたは基地局に関して差別化を行うことを指摘しておく。データストリームおよびシグナリングストリームは、パケット化し、またはフレーム式フローとすることができる。
【００１８】
さらに、用語「ユーザ」、「加入者」、「顧客」、「消費者」、「プロシューマ」、「エージェント」、「所有者」等は、文脈がこれらの用語間の１つまたは複数の特定の区別を保証する場合を除き、本明細書の全体にわたり区別なく使用する。こうした用語は、人間のエンティティ、またはシミュレートされた視覚や音声認識等を提供可能な人工知能（例えば複雑な数学的表現に基づいて推論を行う知的能力）によってサポートされる自動コンポーネントを指す場合があることを理解すべきである。本明細書で利用するとき、用語「プロシューマ」は、専門消費者（ｐｒｏｆｅｓｓｉｏｎａｌ−ｃｏｎｓｕｍｅｒ）および生産者消費者（ｐｒｏｄｕｃｅｒ−ｃｏｎｓｕｍｅｒ）の短縮形を示す。
【００１９】
さらに、本出願では用語「無線ネットワーク」および「ネットワーク」を区別なく使用し、この用語を利用する文脈が明瞭にする目的で区別を保証する場合、そうした区別を明確に行う。同様に、用語「フェムトセル・アクセスポイント」、「フェムト・アクセスポイント」、「フェムトセル」、「フェムト」等も区別なく利用する。
【００２０】
図１は、本明細書の諸態様による、企業フェムト・ネットワーク・アーキテクチャ１００の一例の図を示す。Ｎが自然数である１組のフェムト・アクセスポイント１０４１〜１０４Ｎを、ルーティング・プラットフォーム１１０に機能的に接続することができ、このルーティング・プラットフォーム１１０は、コントローラ・コンポーネント１２０に機能的に結合することができ、このコントローラ・コンポーネント１２０は、フェムト・ネットワーク・プラットフォーム１３０に動作可能に結び付けることができる。ルーティング・プラットフォーム１１０とコントローラ・コンポーネント１２０とを、単一のバックホール・パイプ１１８が動作可能に接続することを理解すべきである。同様に、コントローラ・コンポーネント１２０とフェムト・ネットワーク・プラットフォーム１３０とを、単一のバックホール・パイプ１１８が接続する。一態様では、フェムト・ネットワーク・プラットフォーム１３０を、１つまたは複数の参照リンク１３５を介し、インターネット・プロトコル（ＩＰ）マルチメディア・サブシステム（ＩＭＳ）などの１つまたは複数のサービス・ネットワークが含まれ得る、１つまたは複数の外部ネットワーク１４０に機能的に結合することができる。別の態様では、３ＧＰＰ  ＵＭＴＳ無線技術において、コントローラ・コンポーネント１２０は無線ネットワーク・コントローラによって実施することができる。１つまたは複数の代替的実施形態もしくは追加実施形態では、コントローラ・コンポーネント１２０は、フェムト・ネットワーク・プラットフォーム１３０内に、または１つもしくは複数の外部ネットワーク１４０のうちの１つの中に存在することができ、そのような実施形態では、フェムト・ネットワーク・プラットフォーム１４０は、その１つまたは複数の外部ネットワーク１４０のうちの１つの外部ネットワークを介してルーティング・プラットフォーム１１０に接続できることを指摘しておく。企業フェムト・ネットワーク・アーキテクチャ１００の例は、本明細書ではメッシュ・フェムト・ネットワークとも呼ぶメッシュ・ネットワーク構成をなす状態で、ルーティング・プラットフォーム１１０を介してフェムトＡＰ１０４１〜１０４Ｎを相互接続できるようにすることをさらに理解すべきである。フェムトＡＰ１０４１〜１０４Ｎが及ぼすカバレッジ・エリア内の企業フェムト・ネットワークの部分は、マクロセル・ネットワークなどの公的とは対照的に私的である。
【００２１】
λ＝１、２．．．Ｎである、ルーティング・プラットフォーム１１０に接続されるフェムトＡＰ１０４λの数は、ルーティング・プラットフォーム１１０上のポート数またはルーティング・プラットフォーム１１０が利用できる帯域幅のうちの少なくとも１つに少なくとも部分的に基づくことができる。フェムトＡＰ１１４λは、ブロードバンド、バックホール有線リンク（例えば光ファイバ・バックボーン、対線、Ｔ１／Ｅ１電話回線、同期または非同期デジタル加入者回線（ＤＳＬ）、非対称ＡＤＳＬ、同軸ケーブル等）、または無線（見通しのある（ＬＯＳ：ｌｉｎｅ−ｏｆ−ｓｉｇｈｔ）または非ＬＯＳ）リンクとすることができるリンク１１４λを介してルーティング・プラットフォーム１１０に機能的に接続される。１つまたは複数のバックホール・リンク１１８も、有線または無線とすることができる。一態様では、３ＧＰＰ  ＵＭＴＳ無線技術において、リンク１１４λは、ＩｕｒインターフェースまたはＩｕｈインターフェースの少なくとも１つによって実施することができる。リンク１１４λのチャネル要素の数は、バックホール・リンク１１８のチャネル要素の数より少なくてよいことを指摘しておく。したがって、複数のフェムトＡＰ１０４１〜１０４Ｎは、バックホール・パイプ１１８を各フェムトＡＰに機能的に接続する従来のシステムよりも少ないバックホール・リソースで、単一のバックホール・パイプ１１８を介してフェムト・ネットワーク・プラットフォーム１３０によってサービスすることができる。
【００２２】
フェムトＡＰ１０４１〜１０４Ｎは、単一フロアまたは複数フロアの施設もしくは企業が含まれ得る、限られたカバレッジ・エリア内に展開される。展開プランは大抵、デッドスポットを最低限に抑え、運用上の冗長性を達成するのに十分ないくつかのフェムトＡＰを含み、そのため、プロビジョンしたフェムトＡＰのうちの１つまたは複数が故障する場合、ルーティング・プラットフォーム１１０に機能的に接続される別のさらなる１つまたは複数のフェムトＡＰを通信用に使用することができる。したがって、このメッシュ・フェムト・ネットワークは自己回復することができる。企業には、オフィスビル、団地、百貨店、銀行、レストラン、倉庫などの事業ビル、庁舎、学校、病院、ホテル、工場、空港、遊園地や都市公園等のうちの１つが含まれ得るが、これだけに限定されない。
【００２３】
複数フロアがネットワーク化された実施形態の説明のための例として、図２Ａは、本明細書に記載の諸態様による、マルチカバレッジエリア・フェムト・メッシュ・ネットワーク２００の一例のブロック図を示す。カバレッジ・エリア２０５μ（μ＝１、２．．．Ｐ）は、建物内のフロアなどの屋内環境、および駐車場、テラス、デッキ、ベランダ、または運動場や運動コートなどの屋外環境を少なくとも部分的に含むことができる。各カバレッジ・エリア２０５μ内で、ネットワーク・インターフェース装置（ＮＩＤ）２１０μが、（明瞭にするために）矢印なしの太線で図示する、展開済みの各フェムトＡＰからの１つまたは複数のブロードバンド・リンクを集中化する。ＮＩＤ２１０μは、ルーティング・プラットフォーム１１０に機能的に接続される。展開済みのフェムトＡＰは、ルーティング・プラットフォーム２２０を介して単一のバックホール・パイプ１１６にさらに接続することができる。ルーティング・プラットフォーム２２０は、異なるカバレッジ・エリア内に位置する無線装置間のトラフィックを導くことができる。ルーティング・プラットフォーム２２０が提供するルーティング機能は、集中化されることを指摘しておく。一例として、企業フェムト・ネットワーク・アーキテクチャ２００の一例を複数フロアの建物内に展開し、建物の各フロア、例えばカバレッジ・エリア２０５μに複数のフェムトＡＰを展開することができるシナリオを検討されたい。この例では、第１のフロア、例えば２０５２のフェムトＡＰに接続する第１のフロアの移動体装置は、コントローラ・コンポーネント１２０につながれるフェムト・ネットワーク・プラットフォームにアクセスすることなく、第２のフロア、例えば２０５ＰのフェムトＡＰに接続する第２のフロアの別の移動体装置と（例えば音声やデータ）通信を確立することができる。
【００２４】
あるいは、またはそれに加え、図２Ｂは、フェムト・メッシュ・ネットワーク２５０の一例のブロック図を示し、このフェムト・メッシュ・ネットワーク２５０では、マルチカバレッジエリア環境におけるルーティングが分散され、Ｕが自然数である１組のルーティング・プラットフォーム２６０１〜２６０Ｕ、およびその１組の中の各ルーティング・プラットフォームにつながれ、γ＝１、２．．．Ｕである各カバレッジ・エリア２５５γによって行われる。アグリゲータ・コンポーネント２６０が、このマルチエリア・フェムト企業ネットワーク・アーキテクチャ２５０とコントローラ・コンポーネント１２０とをインターフェースする。各ルーティング・プラットフォームに関連するフェムトＡＰ、およびそれらのフェムトＡＰに動作可能に接続される装置についての設定情報を各ルーティング・プラットフォーム２６０γが利用できるように、複数のルーティング・プラットフォーム２６０γは互いに通信でき、この設定情報はトラフィックの内部ルーティングを少なくとも部分的に可能にすることができる。アグリゲータ・コンポーネント２７０は、パススルー要素、または様々な種類のトラフィック／シグナリング用の所定の１つもしくは複数のＱｏＳプロファイルに従ってＱｏＳを保つトラフィック・シェーピング・コンポーネントのうちの少なくとも１つとして機能することができる。一態様では、アグリゲータ・コンポーネント２７０は、ルーティング機能を実行することもでき、ＰＢＸとして働き企業間通信を可能にすることができる。図示のように、γ＝１、２．．．Ｕである各カバレッジ・エリア２２０γに１つのルーティング・プラットフォーム２６０γが展開されており、各カバレッジ・エリアは建物（例えばオフィスビル、学校、百貨店）のフロアとすることができ、各フロアのルーティング・プラットフォーム２６０γは、互いに機能的に接続し、建物全体をカバーできる企業フェムト・メッシュ・ネットワーク構造を作り出すことができる。カバレッジ・エリア２５５γの規模に少なくとも部分的に基づいて、複数のルーティング・プラットフォームをカバレッジ・エリア２５５γ内に展開できることを指摘しておく。複数のフェムトＡＰを単一のルーティング・プラットフォーム２６０γに機能的に接続することができ、複数のルーティング・プラットフォーム２２０１〜２２０Ｕを互いに接続してより大きいメッシュ・フェムト・ネットワークを作り出すことができる。
【００２５】
アグリゲータ・コンポーネント２６０の機能の少なくとも一部を、１つまたは複数のプロセッサ（不図示）が行うことができる。機能を少なくとも部分的に動作させまたはアグリゲータ・コンポーネント２６０に与えるために、１つまたは複数のプロセッサは、メモリ（不図示）に情報を記憶し、そこから情報を取得することができる。この情報は、コード命令、データ構造、プログラム・モジュール等のうちの少なくとも１つを含むことができる。
【００２６】
さらに、図２Ｃは、フェムト・メッシュ・ネットワーク２８０の一例を示し、このフェムト・メッシュ・ネットワーク２８０では、単一のコントローラ・コンポーネント１２０を使用することにより、様々な企業の展開に関係する様々なルーティング・プラットフォームを多重化することができる。一態様によれば、コントローラ・コンポーネント１２０は、Ｎが自然数である１組のルーティング・プラットフォーム２８２１〜２８２Ｎから情報を受信することができる。ルーティング・プラットフォーム２８２１〜２８２Ｎのそれぞれは、例えばフェムトＡＰ２８４１のそれぞれの組に接続される移動体装置１０２１との間の接続を容易にする、複数のフェムトＡＰ２８４１〜２８４Ｎのそれぞれの組に接続することができる。各ルーティング・プラットフォーム２８２１〜２８２Ｎは、企業フェムト・アーキテクチャまたは企業フェムト・ネットワーク内の１組のフェムトＡＰ２８４１〜２８４Ｎに接続する移動体装置からデータを受信することができる。さらに、ルーティング・プラットフォーム２８２１〜２８２Ｎは、受信データをルーティングすることに関連する情報（例えば送信元アドレス、宛先アドレス等）を判断するための分析を行うことができる。さらに、その分析および／またはユーザ定義の規則もしくはポリシおよび／またはユーザ選択に部分的に基づいて、ルーティング・プラットフォームからパケットを転送するためのルートを決定することができる。具体的には、ルーティング・プラットフォーム２８２１〜２８２Ｎは、（図１の破線で示す）ソフト・ハンドオーバ、またはハード・ハンドオーバを実行できるのかどうかを判定することができる。ハード・ハンドオーバを実行すべき場合、ルーティング・プラットフォーム２８２１〜２８２Ｎは、フェムト・ネットワーク・プラットフォーム１３０にコントローラ・コンポーネント１２０を介してデータをルーティングすることができる。コントローラ・コンポーネント１２０は、ＦＧＷによって少なくとも部分的に実施することができるフェムト・ネットワーク・プラットフォーム１３０に関連する、第２のＲＮＣまたは他のほとんどあらゆるネットワーク管理コンポーネントの機能を典型的には含むことができることを指摘しておく。ただし、本革新では、コントローラ・コンポーネント１２０は、どんなＲＮＣの１つまたは複数の機能も、１つまたは複数の動作も行わないことを指摘しておく。一態様では、メッシュ・フェムト・ネットワーク２８０の例で図示したように、コントローラ・コンポーネント１３０は、様々な企業の展開に関係する１組のルーティング・プラットフォーム２８２１〜２８２Ｎを多重化することができる。
【００２７】
バックホール・リンク１１４λとルーティング・プラットフォーム１１０との間の接続、ＮＩＤ２１０μとルーティング・プラットフォーム１１０との間の接続、およびルーティング・プラットフォーム１１０とアグリゲータ・コンポーネント２７０との間の接続は、図３に示す実施形態例３００内に図示する、ルーティング・プラットフォーム１１０の中のポート・コンポーネント３１５によって行うことができる。ポート・コンポーネント３１５は、パラレル・ポート（例えばＧＰＩＢ、ＩＥＥＥ−１２８４）、シリアル・ポート（例えばＲＳ−２３２、Ｖ．１１、ＵＳＢ、ファイアワイヤ、ＩＥＥＥ−１３９４等）、イーサネット・ポート、Ｖ．３５ポート、Ｘ．２１ポート、ドライ接点等が含まれ得るポート３１９のうちの１つまたは複数を設定するための、１つまたは複数のポート・インターフェース３１７を含むことができる。１つまたは複数のポート・インターフェース３１７は、電気通信を実施するための無線カードおよび関連回路などの無線インターフェースを含むことができる。さらに、１つまたは複数のポート・インターフェース３１９は、それぞれのポート３１９に関する物理コネクタをサポートする１つまたは複数の物理ドックを含むことができる。ルーティング・プラットフォーム１１０は、１つまたは複数のフェムトＡＰ１０４λと、ルーティング・ケーブルによってではなく、無線によって通信するように設定しまたはプログラムすることができる。設定は、ルーティング・プラットフォーム１１０へのデータ入力を可能にするディスプレイ・インターフェース（不図示）によって、またはポート・コンポーネント３１５に接続されるコンピュータ、移動体などの装置によって成し遂げることができる。
【００２８】
図１に図示するように、ルーティング・プラットフォーム１１０に接続される各フェムトＡＰ１０４λ、または実施形態２００および実施形態２５０に図示するフェムトＡＰは、無線ネットワーク・コントローラの機能の少なくとも一部を含む無線コントローラ（ＲＣ）ノード１０５を含むことができる。ルーティング・プラットフォーム１１０は、フェムト企業ネットワーク・システムの一例１００内に展開される２つ以上のフェムトＡＰ間でＲＣノード１０５を機能的に接続することができる。上記に示したように、１つまたは複数のリンク１１４λは、機能的に接続される２つ以上のフェムトＡＰ間で１つまたは複数のパケット・ストリームをルート可能な、Ｉｕｒインターフェースを少なくとも含むことができる。ＲＣノード１０５は、コントローラ・コンポーネント１２０と実質的に同じ機能を有することができる。ただし、１つまたは複数のアーキテクチャもしくは実施形態では、ＲＣノード１０５は、コントローラ・コンポーネント１２０より単純なものとすることができる。各フェムトＡＰ１０４λ内にＲＣノード１０５を有することは、フェムト企業ネットワーク・アーキテクチャ内のプロビジョンしたフェムトＡＰの数に関する、ルーティング・コンポーネントにおける処理需要の最適な（例えば準線形）スケーリングまたはほぼ最適な（例えば線形）スケーリングをもたらすことができる。フェムト企業ネットワーク内の処理需要は、ルーティング処理またはスケジューリング処理が増えることが原因で増加する。スケジューリングは、無線リソースのスケジューリングではなく、ルーティング・プラットフォーム１１０が実施するパケット配信のスケジューリングに関することを指摘しておく。フェムト・メッシュ・ネットワーク１００にフェムトＡＰを追加する場合、そのフェムトＡＰに関連するＲＣノード１０５がそのフェムトＡＰに、よってそのメッシュ・ネットワークにＲＮＣ機能を与えることができる。しかし、バックホール・リソース、例えばバックホール・リンク１１８、およびコントローラ・コンポーネント１２０に対する需要は、ルーティング・コンポーネント１１０に機能的に接続されるフェムトＡＰの数が増加することに伴って増えることはない。したがって、組込みＲＮＣ機能は、ルーティング・プラットフォームも無線ネットワーク・コントローラの機能を果たすネットワーク構成に関して、スケーラビリティを向上させることができる。
【００２９】
ルーティング・プラットフォーム１１０は、ユーザ・プレーン接続を直接使用可能にすることができ、２つ以上のフェムトＡＰ、例えばフェムトＡＰ１０４２と１０４Ｎとの間の通信、例えば音声やデータの交換およびシグナリングを確立することができる。さらに、ルーティング・プラットフォーム１１０は、異なるフェムトＡＰに例えば無線リンク１３６を介して接続する移動体装置、例えば１０２１と１０２２との間の通信を可能にすることができ、その通信に関連するトラフィックおよびシグナリングは、フェムト・ネットワーク・プラットフォーム１３０にデータまたは管理パケットを送ることなく、フェムト企業ネットワークの一例１００内でルーティングされる。例えば、ルーティング・プラットフォーム１１０は、フェムトＡＰ１０４Ｎによってサービスされる移動体装置１０２１が生成するトラフィックを、フェムトＡＰ１０４４によってサービスされる無線装置１０２２に導くことができる。移動体装置１０２１と無線装置１０２２との間の通信は、プッシュツートーク（ｐｕｓｈ−ｔｏ−ｔａｌｋ）通信とすることができる。あるいは、またはそれに加え、ルーティング・プラットフォーム１１０は、移動体装置と１０２３などの擬似固定式係留装置との間のプッシュツートーク通信を可能にすることができる。一態様では、移動体またはその他の第１の装置が、ルーティング・プラットフォーム１１０およびそれぞれのフェムトＡＰを介してその第１の装置と通信する、移動体またはその他の第２の装置によって使用される第２の無線技術とは異なる、第１の無線技術で動作できるので、ルーティング・プラットフォーム１１０はトラフィックを関知しないことを指摘しておく。図３に示す一実施形態例３００では、ルーティング・コンポーネント１１０は、フェムト・メッシュ・ネットワーク１００内の１つまたは複数の装置、移動体等の間の２地点間通信を少なくとも部分的に可能にするための、１つまたは複数のプッシュツートーク・ドライバ３０７を含むことができる。そうした内部通信に照らして、メッシュ・フェムト・ネットワークの一例１００から離れる１つまたは複数の外部への通信では、ルーティング・プラットフォーム１１０は帯域幅を主に制御またはシグナリングのために割り当てることができ、したがって、バックホール・ネットワーク上のトラフィックを大幅に減らすことができる。さらに、企業フェムト・ネットワーク・システムの一例１００の内部のそうした通信は、多人数参加型ゲーム、銀行取引などの遅延に敏感なコンテンツについての感知されるＱｏＳを結果として向上させながら、通信遅延を減らすことができる。
【００３０】
一態様では、ルーティング・プラットフォーム１１０は、企業フェムト・ネットワーク１００のカバレッジ・エリア内での電気通信に関して使用するチャネルに関連する搬送周波数情報を、ルータ・コンポーネント３０５を介して受信することができる。ルータ・コンポーネント３０５は、搬送周波数データを集約して搬送周波数マップを形成することができる。一態様では、この搬送周波数マップは、ルーティング・プラットフォームに機能的に接続される特定のフェムトＡＰに帯域幅を動的に割り当てることにより、企業フェムト・ネットワーク１００内のトラフィックのロードバランシングを可能にすることができる。スケジューラ・コンポーネント３０９は、企業フェムト・ネットワーク１００内のフェムトＡＰに帯域幅割当を信号で伝えることができる。
【００３１】
ルーティング・プラットフォーム１１０は、ルーティング情報に部分的に基づいて、フェムトＡＰ、例えば１０４Ｎ−１から受信するパケットを導くことができる。一態様では、ルーティング・プラットフォーム１１０は、複数のフェムトＡＰ１０４１〜１０４Ｎのうちの１つから通信パケットを受信することができ、その通信パケットに関連するルーティング情報を判断することができる。一態様では、このルーティング情報は、通信パケットをフェムト・ネットワーク・プラットフォーム１３０に転送すべきであることを指示することができる。したがって、ルーティング・プラットフォーム１１０はハード・ハンドオーバを行い、そのパケットを、コントローラ・コンポーネント１２０を介してフェムト・ネットワーク・プラットフォーム１１０に導くことができる。別の態様では、このルーティング情報は、ルーティング・プラットフォーム１１０に機能的に接続される第１のフェムトＡＰ、例えば１０４Ｎから、第２のフェムトＡＰ、例えば１０４２に、パケットを内部的に転送できることを指示することができる。さらに、そのような場合、ルーティング・プラットフォーム１１０は、第１のフェムトＡＰ（１０４２）と第２のフェムトＡＰ（例えば１０４３）との間でソフト・ハンドオーバを行い、通信を確立することができ、そうしてデッドスポットまたは問題シナリオを回避し、または軽減することができる。さらに、ルーティング・プラットフォーム１１０は、フェムトＡＰ間で直接ルーティングされるトラフィックに関する制御情報またはシグナリングを判断し、その制御情報またはシグナリングを、バックホール・パイプ１１８により、コントローラ・コンポーネント１２０を介してフェムト・ネットワーク・プラットフォームにルーティングすることができる。
【００３２】
一実施形態例３００では、ルーティング・プラットフォーム１１０は、１組の展開済みのフェムトＡＰ、例えばフェムトＡＰ１０４１〜１０４Ｎの間でトラフィックおよびシグナリングを導くことができるルータ・コンポーネント３０５を含む。トラフィックは、メモリ要素３４９の中に保持される１組の１つまたは複数のアルゴリズムに少なくとも部分的に従ってルーティングすることができる。ルータ・コンポーネント３０５は、メッシュ・フェムト・ネットワーク１００内のネットワークの輻輳を回避するために、受信するデータまたは管理パケットに関するほぼ最適なまたは最適なルートを判断することができる。加えて、ルータ・コンポーネント３０５は、チャネルの状態に少なくとも部分的に基づいて、ルーティング機能の一部として２地点間通信を設定することもできる。さらに、ルータ・コンポーネント３０５は、１つまたは複数の設定済みアクセス・リスト３５３を利用してトラフィックおよびシグナリングをルーティングし、データの完全性または自己回復ルーティングを確実にすることができる。
【００３３】
１つまたは複数のアクセス・リスト３５３は、フェムトＡＰ、例えば１０４Ｎ−１によってユーザ機器に提供されるサービス水準を少なくとも部分的に規制することができる。１つまたは複数のアクセス・リストは、フェムトＡＰによって無線サービスを提供することができる１組の装置を少なくとも部分的に識別する１つもしくは複数のホワイトリスト、または、１つもしくは複数の無線装置をフェムト・サービスから明確に除外することができる１つもしくは複数のブラックリストのうちの少なくとも１つを含むことができる。さらに、１つまたは複数のブラックリストの中の無線装置は、１つまたは複数の警告を発すること、当局（ａｕｔｈｏｒｉｔｙ）に通知すること、企業フェムト・ネットワーク１００内の装置の位置を追跡すること等を含む、例外処理手順を引き起こすことができる。一態様では、１つまたは複数のアクセス・リスト３５３は、フェムト・ネットワーク・プラットフォーム１３０から受信することができ、このフェムト・ネットワーク・プラットフォーム１３０では、１つまたは複数のアクセス・リスト３５３は加入者データベースの中に存在することができ、１つまたは複数の外部ネットワーク１４０のうちの少なくとも１つを介して設定することができる。別の態様では、ルーティング・プラットフォーム１１０は、フェムト企業ネットワーク１００の一部として展開される１組のフェムトＡＰの中の１つまたは複数のフェムトＡＰから受信するシグナリングに少なくとも部分的に基づいて、１つまたは複数のアクセス・リスト３５３（例えば１つまたは複数のホワイトリストや、１つまたは複数のブラックリスト）を少なくとも部分的に生成し、または修正することができる、アクセス・リスト管理コンポーネント３３８を含むことができる。アクセス・リスト管理コンポーネント３３８によって生成される１つまたは複数のアクセス・リスト３５３は、所定の期間にわたって活動状態にあることができ、その期間が経過した後、１つまたは複数のネットワーク・コンポーネントから受信するシグナリングに少なくとも部分的に基づいて、論理的にまたは物理的に削除することができる。シグナリングは、１つまたは複数の移動体装置識別子属性を含むことができる。アクセス・リスト管理コンポーネント３３８は、メモリ３４９の中に保持することができる１組の基準（不図示）に少なくとも部分的に基づいて、そのような１つもしくは複数の属性を許可しまたは拒否することができる。さらに、許可された１つまたは複数の移動体装置識別子属性では、デフォルトのまたは最初のアクセス・レベル、例えば、企業フェムト・ネットワーク１００の一部として展開されるほぼすべてのまたはすべてのフェムトＡＰが、識別される移動体装置にサービスを提供することができる。デフォルトのまたは最初のアクセス・レベルは、ルーティング・プラットフォーム１１０が受信する追加のシグナリングに少なくとも部分的に基づいて、後で修正することができる。例として、１組の許可基準または拒否基準は、次のうちの少なくとも１つを含むことができる。（ｉ）有効な移動体装置識別子、例えばＩＭＳＩ、ＭＳＩＳＤＮなどの無線装置番号や他のコードまたはトークン。（ｉｉ）活動状態の移動体装置識別子または更新するためにフラグが立てられた識別子、例えば現在の番号に更新すべき以前の電話番号に相当する識別子。（ｉｉｉ）ホワイトリストに含めるための、選択（例えばオプトイン）フラグまたは非選択（例えばオプトアウト）フラグの状態であり、状態は、例えば加入者データベース内の移動体装置に関するエントリ内のＫビット語（Ｋは自然数である）によって伝えられる。（ｉｖ）識別される移動体装置の動作能力（例えば第２世代（２Ｇ）、第３世代（３Ｇ）、第４世代（４Ｇ）技術、移動体装置が通信を受信できる無線周波数帯域など、その装置が利用する無線技術）。（ｖ）識別される移動体装置の商業上の信用状態、例えば良好な信用状態、支払いの延滞、サービスに対する適時の支払いが繰り返し行われないことを考慮してホットラインにされた移動体装置、盗難装置等。
【００３４】
さらに、ルータ・コンポーネント３０５は、トラフィック優先順位プロファイルまたはＱｏＳクラス（例えばベスト・エフォート、最大ビット誤り率（ＢＥＲ）、保証データ転送率）のうちの少なくとも１つに少なくとも部分的に従って、２つ以上の装置間の通信のサービス品質（ＱｏＳ）を定めるための、スケジューラ・コンポーネント３０９を含むことができる。一態様では、フェムト・ネットワーク・プラットフォーム１３０内のプロビジョニング・サーバによって行うことができるフェムトＡＰのプロビジョニングの間、スケジューラ・コンポーネント３０９は、サービス品質（ＱｏＳ）または、１つもしくは複数のコンテンツ、例えばトラフィックやシグナリングの管理を容易にすることができる１つもしくは複数の待ち行列機能のうちの少なくとも１つを決定し、または設定することができる。スケジューラ・コンポーネント３０９は、アルゴリズム記憶部３５１の中に保持されるアルゴリズムによって実施することができるロードバランシング技法を使用して、ネットワークまたは１つもしくは複数のリソースを効率的に利用できるようにすることも可能である。
【００３５】
さらに、スケジューラ・コンポーネント３０９は、１つまたは複数の移動体装置による、１つまたは複数のフェムトＡＰへのアクセスを管理する、１つまたは複数のアクセス・リスト３４７を利用して、企業フェムト・アーキテクチャ内のフェムトＡＰ間のトラフィック、例えばデータ・パケット、およびシグナリング、例えば管理パケットをルーティングすることができる。一態様では、１つまたは複数のアクセス・リスト３４７がフェムトＡＰへのアクセスを可能にすることができ、例えばこのアクセス・リストはホワイトリストであり、または１つもしくは複数のフェムトＡＰによるサービスにアクセスすることを拒否される移動体装置を明確に特定し、ブラックリストに載せられた移動体装置が行う１回または複数回の接続試行の後に例外処理をトリガすることができる、１つまたは複数のブラックリストを含むことができる。一態様では、例外処理には、以下に論じるようにフェムトＡＰへの接続を許可すること、および当局に通知することが含まれ得る。
【００３６】
フェムト・ネットワーク・プラットフォーム１３０にアクセスする、例えばフェムト・ネットワーク・プラットフォーム１３０にシグナリングまたはトラフィックを送ることなく、メッシュ・フェムト・ネットワークの一例１００内のほぼあらゆる、またはあらゆるハンドオーバ（例えばソフト・ハンドオーバ）を行うために、ルーティング・プラットフォーム１１０は、１つまたは複数のユーザ・プレーン接続を設定し、活用することもできる。一態様では、ルーティング・コンポーネント１１０は、フェムトＡＰ１０４λとの間のリンク１１４λ、例えばＩｕｒインターフェースを活用してソフト・ハンドオーバを可能にすることができる。実施形態例３００に示すように、ルーティング・プラットフォーム１１０は、第１のフェムトＡＰによってサービスされる無線装置の、フェムト企業ネットワーク・アーキテクチャ１００内の第２のフェムトＡＰへのハンドオフを管理するための、ハンドオーバ・コンポーネント３２５を含むことができる。ハンドオーバ・コンポーネント３２５は、イベントに基づいて、または時間に応じて無線サービス・プロバイダが設定可能とすることができる１組のハンドオーバ基準（不図示）に少なくとも部分的に従って、ハード・ハンドオフまたはソフト・ハンドオフを実施することができる。一態様では、以下に論じるように、タイミング・コンポーネントによって設定することができる少なくとも１つまたは複数のＲＦ境界に少なくとも部分的に基づいて、ソフト・ハンドオーバを行うことができる。実施形態例３００では、メモリ３４９がハンドオーバ基準（図３には不図示）を保持することができる。
【００３７】
ルーティング・プラットフォーム１１０は、非移動体ブロードバンド・インターネット・サービス・ネットワーク、ブロードバンド・デジタル・ケーブル・ネットワーク、またはマクロセル・ネットワークのうちの１つなど、１つまたは複数の外部ネットワーク１４０の一部であるネットワークによって主にサービスされる装置１０２３と、フェムトＡＰ１０４λによってサービスされる移動体装置との間の、１つもしくは複数のコンテンツまたはトラフィックの通信を可能にすることもできる。一態様では、装置１０２３は、移動体装置１０２１に宛てられる呼をルーティング・プラットフォーム１１０が受信するときに発呼者の識別情報を受信することができる、ＩＰテレビ（ＩＰＴＶ）チューナとすることができる。そうした機能は、住居内の加入者が移動体装置１０２１に関連し、その加入者が装置１０２３を利用する間移動体装置１０２１から離れるとき、その加入者に通知するために有利であり得る。別の態様では、企業が卸売店または大規模小売店である場合、装置１０２３は、企業フェムト・ネットワーク・システム１００内のフェムトＡＰ、例えば１０４２によってサービスされる移動体装置、例えば１０２２に関連する消費者に顧客支援を提供するために、ルーティング・プラットフォーム１１０がその移動体装置に接続することができる顧客サービス・プラットフォーム内のＶｏＩＰ（ボイスオーバＩＰ）トランシーバとすることができる。企業フェムト・ネットワーク・システムの一例１００内で動作するユーザ機器（ＵＥ）は、フェムトＡＰに無線で接続することができ、またはルーティング・プラットフォーム１１０内のポートに動作可能にリンクすることができる、ほぼあらゆる、またはあらゆる電子装置を含むことができる。上記に示したＵＥの例に加え、ユーザ機器には、携帯電話、メディア・プレイヤ、デジタル・カメラ、デジタル・ビデオ・レコーダ（ＤＶＲ）などのデジタル・メディア・レコーダ、ラップトップ・コンピュータ、ＰＤＡ（携帯情報端末）、パーソナル・コンピュータ、プリンタ、スキャナ、デジタル・フォトフレーム、ＧＰＳ（全世界測位システム）モジュールなどのナビゲーション装置、ゲーム機等が含まれ得る。さらに、このＵＥは、移動体、固定式もしくは擬似固定式、および無線または係留式とすることができることが理解できる。
【００３８】
一態様では、企業フェムト・アーキテクチャ１００内の内部通信の間、ルーティング・プラットフォーム１１０は、フェムト・ネットワーク・プラットフォーム１３０、例えばフェムト・ネットワーク・プラットフォーム１３０内の１つまたは複数のゲートウェイ・ノード、への制御リンクを確立し保つことができ、この制御リンクは、課金料金を処理するために課金サーバを介してフェムト・ネットワーク・プラットフォーム１３０が使用することができるが、課金処理は、ＩＭＳネットワークなどの１つまたは複数の外部ネットワーク１４０のうちの１つの中のアプリケーション・レイヤによって行えることを理解すべきである。実施形態例３００では、課金コンポーネント３３５は、例えば企業フェムト・ネットワーク・アーキテクチャ１００内の内部通信およびフェムト・ネットワーク・プラットフォーム１３０との外部通信に対して様々な料金を適用することができる課金サーバに関連する課金データベースを更新するために、この制御リンクを確立し、その制御リンクをフェムト・ネットワーク・プラットフォーム１３０に伝えることを可能にすることができる。内部通信に関連する料金は、外部通信に関連する料金よりも低いものとすることができる。フェムト・ネットワーク・プラットフォーム１３０内で障害が発生する場合に、メッシュ・フェムト・ネットワーク１００内の内部通信が途切れずに続くことができるよう、この制御リンクをルーティング・プラットフォーム１１０内のメモリ、例えばバッファ内に保持することもできる。フェムト・ネットワーク・プラットフォーム１３０が１つまたは複数の動作を再開するとき、保持する制御データを課金目的でフェムト・ネットワーク・プラットフォーム１３０に転送することができる。
【００３９】
企業フェムト・ネットワーク・システムの一例１００は、このフェムト・ネットワーク・アーキテクチャの一例１００を運営する無線サービス・プロバイダに関連する複数の課金方式を提供することもできる。実施形態例３００では、課金方式をメモリ２４９の中に保持することができる。一態様では、この１つまたは複数の課金方式は、１つまたは複数のアクセス・リスト３４７内に保持される、１つまたは複数のアクセス設定により少なくとも部分的に決定され得る。課金方式の一例では、無線サービス・プロバイダは、例えば、ルータ・プラットフォーム１０２において受信したトラフィックを１つまたは複数のバックホール・リンク１１８、例えばＩｕｈインターフェースを介してフェムト・ネットワーク・プラットフォーム１３０に伝える場合、外部通信についての固定料率を課すことができるのに対し、企業フェムト・ネットワーク・アーキテクチャの一例１００内の内部通信は無料とすることができる。こうした課金方式の例では、無線サービス・プロバイダは、このメッシュ・フェムト・ネットワークに関連する保守管理に向けられる料金を課すことができることを指摘しておく。別の課金方式の例では、無線サービス・プロバイダは、メッシュ・フェムト・ネットワーク１００の保守を無料で実施することができるが、フェムト・ネットワーク・プラットフォーム１３０との外部通信には高い率を課し、メッシュ・フェムト・ネットワーク内の内部通信には低い率を課すことができる。本明細書は、上記の説明のための１つまたは複数の課金方式に限定されず、ほとんどあらゆる、またはあらゆる課金方式を設定し、使用することができることを理解すべきである。無線サービス・プロバイダは、サービスされる顧客セグメント、実施するプロモーション・キャンペーン、市場、運用費などの基準に少なくとも部分的に基づいて、課金料金を設定しまたはあらかじめ定義することができる。実施形態例３００では、課金コンポーネント３３５は、フェムト企業フェムト・ネットワーク・アーキテクチャ１００内のサービスされるトラフィック、またはフェムト・ネットワーク・プラットフォームに送られもしくはそこから受信されるトラフィックに関する、１つまたは複数の課金方式を少なくとも部分的に設定し、実施することができる。さらに、課金コンポーネント３３５は、そうした設定済み課金料金を、利用可能なネットワーク帯域幅、企業フェムト・ネットワーク・システム内に展開された１つまたは複数のフェムトＡＰの負荷、ルーティング・プラットフォーム１１０によって操作されるトラフィックの量などの運営状態に少なくとも部分的に基づいて動的に、例えば時間に応じて修正することができる。
【００４０】
一態様では、ルーティング・プラットフォーム１１０は、ユーザ・プレーン上の音声またはデータ・トラフィック用のＶＬＡＮ、Ｉｕｒインターフェースによって実施することができる１つまたは複数のリンク１１４１の少なくとも一部を介して運ばれる制御シグナリング用のＶＬＡＮ、フェムト・ネットワーク・プラットフォーム１３０に伝えられる制御シグナリング用のＶＬＡＮ等のうちの１つまたは複数など、様々な１つまたは複数の仮想ローカル・エリア・ネットワーク（ＶＬＡＮ）を管理することができる。一例では、ルーティング・プラットフォーム１１０は、この様々なＶＬＡＮに関する帯域幅管理を可能にすることができる。
【００４１】
実施形態例３００に示すように、ルーティング・プラットフォーム１１０は、本革新の１つまたは複数の態様に従い、ルーティング・プラットフォーム１１０内の実質的にあらゆる、またはあらゆるコンポーネントに機能を少なくとも部分的に与えるように構成されまたは与える、１つまたは複数のプロセッサ３４５を含む。１つまたは複数のプロセッサ３４５は、ルーティング・プラットフォーム１１０の様々な機能要素またはコンポーネントの外部にあるものとして図示するが、１つまたは複数のプロセッサ３４５は、そうした様々な機能要素またはコンポーネント間に分散させることができる。１つまたは複数のプロセッサ３４５は、メモリ・バス、システム・バス、アドレス・バス、または１つもしくは複数の参照リンク、または１つもしくは複数の参照インターフェースのうちの少なくとも１つによって実施することができるバス３５７により、各機能要素またはコンポーネント、およびメモリ３４９に機能的に結合される。１つまたは複数のプロセッサ３４５は、機能を少なくとも部分的に動作させかつ／またはルーティング・プラットフォーム１１０内に存在するコンポーネントのそれぞれに与えるために必要な情報をメモリ３４９内に記憶し、そこから情報を取得することができる。この情報は、コード命令、データ構造、プログラム・モジュール等のうちの少なくとも１つを含むことができる。
【００４２】
フェムト企業アーキテクチャの一例１００の少なくとも１つの利点は、このアーキテクチャが、バックホール・ネットワークのトラフィック、またはこのフェムト企業ネットワークの一部であるプロビジョンされたフェムトＡＰとコントローラ・ノード１２０を含むことができるフェムト・ネットワーク・プラットフォームとの間のシグナリングのうちの少なくとも１つを減らすことである。
【００４３】
フェムト企業アーキテクチャの一例１００の少なくとももう１つの利点は、ルーティングが自己回復できることであり、例えば目的とするフェムトＡＰが機能していない、またはそのフェムトＡＰによる無線通信が別の方法で損なわれている場合、代わりのフェムトＡＰを介してトラフィックをルーティングすることができる。さらに、通信の途絶を少なくとも部分的に軽減するために後で利用するために、データおよびシグナリングをキャッシュし、または記録することができる。
【００４４】
企業フェムト・ネットワーク・アーキテクチャの一例１００の少なくともさらなる利点は、このアーキテクチャが、構内通信に関する、または移動体もしくはその他とすることができる、フェムト広域無線アクセス・ネットワークまたは広域ネットワークによってサービスされる移動体装置間の通信に関する、構内交換機（ＰＢＸ）リソースまたはインターネット・プロトコル（ＩＰ）−ＰＢＸリソースの利用を軽減できることである。
【００４５】
図４は、本明細書に記載の諸態様による、フェムト企業ネットワーク内に展開することができるフェムト・アクセスポイントの一実施形態例４００を示す。フェムトＡＰ４１０は、フェムトＡＰ１０４１〜１０４Ｎのうちの１つまたは複数を例示することができる。実施形態例４００では、フェムトＡＰ４１０は、Ｑが自然数である１組のアンテナ４１４１〜４１４Ｑを介し、フェムト・アクセスポイント、アクセス端末、ルーティング・プラットフォーム１１０およびその中の１つまたは複数のポートなどの無線ポートやルータなどの、無線装置との間で１つまたは複数の信号を送受信することができる。アンテナ４１４１〜４１４Ｑは、通信プラットフォーム４０５の一部であり、この通信プラットフォーム４０５は、受信する１つまたは複数の信号および伝送しようとする１つまたは複数の信号の処理／操作を行う、電子コンポーネントおよび関連回路を備える。その電子コンポーネントおよび回路は、様々な異なる無線技術でフェムトＡＰ４１０に伝えられる１つまたは複数の信号の復号もしくは解読、または様々な無線技術標準に従ってフェムトＡＰ４１０から送られる１つもしくは複数の信号の符号化のうちの少なくとも１つを少なくとも部分的に可能にする、１組の１つまたは複数のチップセット、例えば１つまたは複数のマルチモード・チップセット４１３を含むことができる。一態様では、通信プラットフォーム４０５は、（ｉ）例えば１つまたは複数の展開済みの地球航法衛星システム（ＧＮＳＳＳ）が生成し、本明細書に記載の諸態様に従ってルーティング・プラットフォーム、例えば１１０によってフェムトＡＰ４１０に中継されるタイミング・メッセージなどのＧＰＳシグナリング、または（ｉｉ）無線認証（ＲＦＩＤ）タグの作動時に、そのタグから受信する１つまたは複数の信号を、１つまたは複数のマルチモード・チップセット４１３を少なくとも部分的に用いて復号することができる。
【００４６】
一態様では、通信プラットフォーム４０５は、信号を受信時にアナログからデジタルに変換し、伝送時にデジタルからアナログに変換することができる受信機／送信機４０７を含む。さらに、受信機／送信機４０７は、単一のデータストリームを複数のパラレル・データストリームに分割し、またはその逆の動作（ｒｅｃｉｐｒｏｃａｌ  ｏｐｅｒａｔｉｏｎ）を行うことができる。受信機／送信機４０７には、時空間および周波数空間における信号操作を容易にするマルチプレクサ／デマルチプレクサ４０９が結合される。電子コンポーネント４０９は、時分割多重化（ＴＤＭ）、周波数分割多重化（ＦＤＭ）、直交周波数分割多重化（ＯＦＤＭ）、コード分割多重化（ＣＤＭ）、空間分割多重化（ＳＤＭ）などの様々な多重化方式に従って情報（データまたはトラフィック、および制御またはシグナリング）を多重化することができる。さらに、マルチプレクサ／デマルチプレクサ・コンポーネント４０９は、当技術分野で知られている実質的にあらゆるコード、例えばアダマール−ウォルシュ・コード、ベーカー・コード、カサミ・コード、多相コード等に従って情報（例えばコード）をスクランブルし、広めることができる。変調器／復調器コンポーネント４１１も通信プラットフォーム４０５の一部であり、周波数変調、振幅変調（例えばＭが正の整数であるＭ−ａｒｙ直交振幅変調（ＱＡＭ））、位相偏移変調（ＰＳＫ）などの複数の変調技法に従って情報を変調することができる。一態様では、１つまたは複数のマルチモード・チップセット４１３は、プロトコルまたは標準が関連する様々な無線技術に従って動作するように、マルチプレクサ／デマルチプレクサ・コンポーネント４０９および変調器／復調器コンポーネントを設定し、使用可能にすることができる。１つまたは複数のプロセッサ４８５も通信プラットフォーム４０５に機能的に接続され、直接および逆高速フーリエ変換またはアダマール変換を行うことや、データストリームを変調／復調することなど、多重化／逆多重化を行うためのデータ（例えば記号、ビットまたはチップ）に対する操作を可能にすることができる。
【００４７】
フェムト・アクセスポイント４１０は、ＲＣノード１０５も含み、このＲＣノード１０５は、フェムトＡＰ４１０によってサービスされる移動体装置に無線リソース、例えばリソース・ブロックを割り当て、フェムトＡＰ４１０によってサービスされる移動体装置および無線機能を備える装置間のトラフィックをスケジュールすることができる。一態様では、ＲＣノード１０５は、半永続スケジューリング、ラウンドロビン・スケジューリング、または比例公平スケジューリングのうちの少なくとも１つに従ってトラフィックをスケジュールすることができる。割り当てられる無線リソースに合わせ、ＲＣノード４２５は、フェムトＡＰ４１０とサービスされる移動体装置との間のトラフィック／シグナリングの交換について、１つまたは複数のデータ・パケットおよび１つまたは複数の管理パケットの、１つまたは複数の形式を選択することができる。さらに、ＲＣノード１０５は、無線技術、ならびにその無線技術に適合する変調形式および符号化方式を選択することができる。一態様では、ＲＣノード１０５は、フェムトＡＰ４１０の動作を、マルチ入力マルチ出力（ＭＩＭＯ）動作モードに設定することができる。さらに、ＲＣノード１０５は、フェムトＡＰ４１０を介して行われる通信の伝送電力を決定し、設定することができる。さらに、ＲＣノード１０５は、通信に使用するＥＭ放射の指向性を得るため、またはフェムトＡＰ４１０付近のカバレッジ・エリアを形作るために、アンテナ４１４１〜４１４Ｑのうちの１つまたは複数を設定することができ、これはデッドスポットまたは弱くカバーされる領域を減らすことができる。ＲＣノード１０５を介し、トラフィックおよびシグナリングをルーティング・プラットフォーム、例えば１１０と交換することができる。
【００４８】
実施形態４００では、受信される無線信号をスキャナ・コンポーネント４１５が復号し、よって、フェムトＡＰ４１０に接続する、または接続しようと試みる移動体装置（例えば１０２１）を識別する少なくともインデックスを抽出できると判断することができ、１つまたは複数のアクセス・リスト４９８に少なくとも部分的に基づいて、アクセスを与えまたは拒否することができる。さらに、スキャナ・コンポーネント４１５は、移動体装置または無線機能を備える装置のフェムトＡＰ４１０からの距離を推定するために使用することができる、飛行時間（ＴＯＦ）測定の一部として受信する１つまたは複数の無線信号を復号することができる。一態様では、フェムトＡＰ４１０は、ＴＯＦ測定を行うために１つまたは複数のクロック・レイヤ４４５を設定するシグナリングを受信することができ、設定には、１つまたは複数のクロック・レイヤ４２５内のクロック源（不図示）を選択することが含まれ得る。１つまたは複数のクロック・レイヤ４４５は、外部クロックによって生成されるタイミング・メッセージまたはタイミング情報を中継するように設定できることも指摘しておく。ＴＯＦ測定では、フェムトＡＰと１つまたは複数の無線機能を備える機器との間の無線信号の伝搬タイミングを評価し、このＴＯＦ測定は、往復時間（ＲＴＴ）測定、到着時間（ＴＯＡ）測定、到着時間差（ＴＤＯＡ）測定、到来角（ＡＯＡ）測定等のうちの少なくとも１つを含むことができる。
【００４９】
通信プラットフォーム４０５およびその中の１つまたは複数のマルチモード・チップセット４１３を少なくとも部分的に介して、スキャナ・コンポーネント４１５は、サービス・プロバイダによって認可されたすべてのＥＭ周波数帯域（例えば個人通信サービス（ＰＣＳ）、高度無線サービス（ＡＷＳ）、一般無線通信サービス（ＧＷＣＳ）等）、電気通信に関して現在利用可能なすべての認可されていない周波数帯域（例えば２．４ＧＨｚ工業用、医療用および科学用（ＩＭＳ）帯域や、１組の５ＧＨｚ帯域のうちの１つまたは複数）、および動作中であり、そのサービス・プロバイダに対して認可されていないすべてのＥＭ周波数帯域を含むことができる、１組のＥＭ周波数帯域の中の１つまたは複数の無線信号を調べることができることを指摘しておく。さらに、スキャナ・コンポーネント４１５は、Ｗｉ−Ｆｉ、ＢｌｕｅＴｏｏｔｈ、ＩＳ−９５、ＷｉＭＡＸ、３ＧＰＰ２、ＵＭＢ、拡張ＧＰＲＳ、３ＧＰＰ  ＵＭＴＳ、３ＧＰＰ  ＬＴＥ、ＨＳＰＡ、ＨＳＤＰＡ、ＨＳＵＰＡ、またはＬＴＥ拡張のうちの１つもしくは複数を含む、１組の設定可能かつアップグレード可能な無線技術によって１つまたは複数の無線信号を調べることができる。１つまたは複数のプロセッサ４８５は、無線技術に関連する設定済みの復調プロトコルおよび逆多重化プロトコルに従って電気通信を行い、スキャンすることを可能にするために、通信プラットフォーム４０５が無線技術（例えばＩＳ−９５、ＷｉＭＡＸ等）を切り替えることを可能にすることができ、そうしたプロトコルを実装するために必要な命令はメモリ４９５の中にあってよい。こうした無線技術の敏捷性は、異なる無線技術で動作し、または様々な技術に従って変調され、符号化される１つもしくは複数のパイロット信号を収集する移動体装置、例えば１０２１や１０２２にサービスすることができる。
【００５０】
スキャンを行うために、スキャナ・コンポーネント４１５は、通信プラットフォーム４０５およびその中の電子コンポーネントを少なくとも部分的に活用する。一態様では、１つまたは複数のスキャナ・コンポーネント２１２は、特定の周波数搬送波、例えば周波数チャネル内の信号を収集するようにトランシーバ４０７を設定することができる。そのような設定は、企業フェムト・ネットワーク１００内かつフェムトＡＰ４１０付近の１つまたは複数の移動体装置の通信に関連するアップリンク（ＵＬ）搬送周波数またはチャネル番号、およびフェムトＡＰ４１０の付近にある別のフェムトＡＰのダウンリンク（ＤＬ）の搬送周波数を特定できるようにすることができる。ＲＣノード４２５は、フェムトＡＰ４１０の無線環境をスキャンすることによって抽出した搬送周波数を特定する情報を送ることができる。そのような搬送周波数情報は、その搬送周波数情報を集約して企業フェムト・ネットワークのカバレッジ・エリア内の電気通信の搬送周波数マップを形成することができるルーティング・プラットフォーム、例えば１１０に送られる。
【００５１】
スキャナ・コンポーネント４１５は、フェムトＡＰ４１０から別の目標フェムトＡＰへのハンドオーバを少なくとも部分的に行うために、サービスされる移動体装置、例えば１０２１に関連するアップリンク（ＵＬ）の信号強度および信号品質についてのデータを集めることもできる。少なくともそのためには、スキャナ・コンポーネント４１５は、ＵＬの１つまたは複数のサウンディング信号を集め、そうした１つまたは複数の信号を分析してＤＬのチャネル品質またはチャネル強度を求めることができ、分析は１つまたは複数のプロセッサ４８５を少なくとも部分的に用いて可能にすることができる。一態様では、信号の強度は、受信信号強度インジケータ（ＲＳＳＩ）または受信信号コード電力（ＲＳＣＰ）によって求めることができるのに対し、品質は、信号対雑音比（ＳＮＲ）、信号対雑音干渉比（ＳＮＩＲ）、または１チップ当たりのエネルギ対総受信電力（Ｅｃ／Ｎ０）などのメトリクによって算定することができる。
【００５２】
さらに、フェムトＡＰ４１０は、フェムトＡＰ４１０の機能を制御する機能を表示し、またはフェムトＡＰ４１０の動作状態を示すことができるディスプレイ・インターフェース４５５を含む。さらに、ディスプレイ・インターフェース１８１２は、エンドユーザに情報を伝えるためのスクリーンを含むことができる。一態様では、ディスプレイ・インターフェース４５５は、液晶ディスプレイ（ＬＣＤ）、プラズマ・パネル、モノリシック薄膜ベース・エレクトロクロミック・ディスプレイ等によって実施することができる。さらに、ディスプレイ・インターフェース４５５は、エンドユーザまたは消費者に操作上の指示を伝えるメッセージに関連して使用することができる、聴覚的特徴の通信を容易にするコンポーネント（例えば１つまたは複数のスピーカ）を含むこともできる。ディスプレイ・インターフェース１８１２は、再起動操作、メモリやバッファのフラッシュ、アクセス・リストの設定などの外部コマンドをフェムトＡＰ４１０が受け取ることを可能にできる、（例えば連携するキーパッドやタッチ・ジェスチャによる）データ入力も可能にすることができる。
【００５３】
ブロードバンド・ネットワーク・インターフェース４７５は、本明細書に記載するように、入力および出力データ／シグナリング・フローを使用可能にすることができる１つまたは複数のリンク１１４λなど、１つまたは複数のブロードバンド・リンクを介してフェムトＡＰ４１０がルーティング・プラットフォームに接続することを可能にする。一態様では、ブロードバンド・ネットワーク・インターフェース４７５は、ポート・コンポーネント３１５と実質的に同じまたは同じ機能的側面もしくは特徴を有する、ポート・コンポーネントを含むことができる。ブロードバンド・ネットワーク・インターフェース１８１４は、フェムトＡＰ１８０５の内部にあっても外部にあってもよく、エンドユーザによる対話または状態情報を伝えることのうちの少なくとも１つのために、ディスプレイ・インターフェース１８１２を利用することができる。１つまたは複数のプロセッサ４８５は、ブロードバンド・ネットワーク・インターフェース４７５の中にあることができる１つまたは複数のポートの動作、例えばドライ接点の状態に電圧を切り替えることや、ポートへのＩＰアドレスなどの論理アドレスの割当を少なくとも部分的に設定することができる。ＲＣノード４２５は、ブロードバンド・ネットワーク・インターフェース内のポートへの、１つまたは複数の論理アドレスの割当の少なくとも一部を行うことができることを指摘しておく。
【００５４】
フェムトＡＰ４１０は、本明細書ではＲＦＩＤアクチュエータ４６５とも呼ぶ、ＲＦＩＤ作動コンポーネント４６５も含み、このＲＦＩＤ作動コンポーネント４６５は、ＲＦＩＤタグを活性化し、それに応答してそのＲＦＩＤタグから受信する１つまたは複数のＲＦパケットを復号することによりそのＲＦＩＤタグ内の情報を取得するために、通信プラットフォーム４０５を介してパイロット信号内で特定の制御パケットを伝えることができる。メモリ４９５の中に記憶される作動論理４９６は、１つまたは複数の作動プロトコル、およびＲＦＩＤタグ内に保持される情報を復号するためのコード系列仮説を含むことができる。
【００５５】
メモリ４９５は、データ構造、コード命令、およびプログラム・モジュール、または実質的にあらゆる種類のソフトウェアもしくはファームウェア、システムもしくは装置情報、コード系列仮説、ならびに変調および多重化仮説、拡散およびパイロット伝送、フェムトＡＰフロア・プラン設定等を保持することができる。さらに、メモリ４９５は、１つまたは複数のコンテンツ（例えばマルチメディア・ファイル、加入者生成データ）、セキュリティ資格証明（例えばパスワード、暗号鍵、デジタル証明書や、音声記録、虹彩模様、指紋などのバイオメトリック参照インジケータ）等を保持することができる。
【００５６】
１つまたは複数のプロセッサ４８５は、フェムトＡＰ４１０の中にある１つまたは複数のコンポーネント、プラットフォーム、１つまたは複数のインターフェース、１つまたは複数のレイヤ、および実質的にあらゆるまたはあらゆる機能要素にバス４１１を介して機能的に接続される。バス４１１は、メモリ・バス、システム・バス、アドレス・バス、または１つもしくは複数の参照リンク、または１つもしくは複数の参照インターフェースのうちの少なくとも１つによって実施することができる。一態様では、１つまたは複数のプロセッサ４８５は、メモリ４９５内に情報を記憶し、そこから情報を取得して機能を動作させ、またはフェムトＡＰ４１０の中にあるコンポーネント、プラットフォーム、１つまたは複数のインターフェース、１つまたは複数のレイヤ、および実質的にあらゆるまたはあらゆる機能要素に機能を与えるために、メモリ４９５に例えばバス４１１の少なくとも一部の中のメモリ・バスを介して機能的に結合される。
【００５７】
図５は、本革新の諸態様による、位置データを収集することおよびその位置データを利用することを可能にする企業フェムト・ネットワークの一実施形態例５００の図を示す。位置データは、移動体装置または無線機能を備える機器に結ばれるエンティティの、１つまたは複数の位置推定を含むことができる。ルーティング・プラットフォーム５１０は、フェムトＡＰ５２０１〜５２０４それぞれの中のクロック・レイヤを設定、例えば同期させ、１つまたは複数の制御信号など、１つまたは複数の無線信号の伝搬タイミングの飛行時間（ＴＯＦ）測定を管理、例えばトリガや開始、終了等、することができ、これはフェムトＡＰ５２０１〜５２０４のうちの１つまたは複数からの、移動体装置（例えば移動体４３０）または無線機能を備える機器（例えば５４２）の、１つまたは複数の距離を推定できるようにすることができる。そうした距離または範囲の推定は、ルーティング・プラットフォーム５１０が、移動体装置５３０または無線機能を備える機器５４２の位置推定を解決できるようにすることができる。一例として、ルーティング・プラットフォーム５１０は、移動体装置５３０の位置を三角測量することができ、移動体装置５３０の近くのおよび移動体装置５３０を通る点線は、フェムトＡＰ５２０１、５２０２、および５２０３を介して行われる三角測量を示す。さらに、ルーティング・プラットフォーム５１０は機器５４２の位置を三角測量し、よってその機器に空間的に結び付くエンティティ５４０の位置の推定をもたらすことができ、例えばそのエンティティは車両とすることができ、その車両のナビゲーション装置を機器５４２とすることができる。ルーティング・プラットフォーム５１０内のメモリは、機器５４２に空間的に結び付くエンティティ５４０かどうかを判定するための基準を保持することができる。実施形態例２５０を参照すると、複数のカバレッジ・エリアのうちで展開されるフェムト企業ネットワークでは、位置推定は、少なくとも４つのフェムトＡＰが行うタイミング測定によって生成される距離推定によって生成することができることを指摘しておく。一例として、フェムトＡＰ５２０１を少なくとも部分的に用いて行われるＴＯＦ測定は、１組のＴＯＦ帯または縁５３２１〜５３２４をもたらすことができる。ＴＯＦ帯の幅△５３２は、１つまたは複数のパイロット無線信号に結び付くチップ構造を決定する、クロック源が規定するタイミング・アドバンス（ＴＡ）によって主に決定される。図示しないが、他のフェムトＡＰも、フェムトＡＰ５２０１に関係するＴＯＦ帯構造のようなＴＯＦ帯構造を生成できることを指摘しておく。
【００５８】
１つまたは複数の位置推定は、それらの１つまたは複数の位置推定をナビゲーション・サービスまたは位置情報サービスの一部として利用可能な、消費者レイヤ５８０に伝えることができる。ルーティング・プラットフォームは、この１つまたは複数の位置推定を、ショート・メッセージ・サービス（ＳＭＳ）通信、マルチメディア・メッセージ・サービス（ＭＭＳ）通信、非構造付加サービス・データ（ＵＳＳＤ）メッセージ、電子メール通信、またはインスタント・メッセージのうちの少なくとも１つとして送ることができる。さらに、１つまたは複数の位置推定は、パケット・ヘッダ内または１つもしくは複数の制御フレーム内の１組の１つまたは複数のビットなどの、下位レベルのシグナリングによって送ることができる。一態様では、位置推定を送ることは、上記に述べたように、フェムト・ネットワーク・プラットフォーム１３０にコンテンツを伝達することに少なくとも部分的に関連して行われる。１つまたは複数のゲートウェイ・ノード５４５の一部であるゲートウェイ・ノードは、この位置推定を１つまたは複数の外部ネットワーク５７０の中のゲートウェイ・ノードに伝えることができ、そのゲートウェイ・ノードは、その位置推定を消費者レイヤ５８０に送るために、その外部ネットワークの中のサービス・ノードにその位置推定を中継することができる。一態様では、１つまたは複数の外部ネットワーク５７０は、ＩＭＳネットワークまたはほぼあらゆる、もしくはあらゆるパケット交換ネットワークとすることができる。
【００５９】
消費者レイヤ５８０は、１人または複数の加入者もしくはプロシューマが操作する、１つまたは複数の装置を含むことができる。一例として、消費者レイヤは、エンティティ５４０の所有者または賃貸人に関連する移動体装置とすることができる。あるシナリオでは、カバレッジ・エリア５０５は複数フロアまたは単一フロアの駐車場とすることができ、エンティティ５４０は、駐車時にルーティング・プラットフォーム５１０が位置推定を生成する車両とすることができる。この駐車された車両の位置推定は、その車両が駐車された後に登録済み移動体装置がその駐車場に再び入る場合など、様々な基準に基づいて消費者レイヤに提供することができる。あるいは、またはそれに加え、位置推定は、その車両に関連し、移動体装置を操作する加入者からの要求に基づいて供給することができ、その車両の位置推定を求める要求は、ＳＭＳメッセージ、電子メール・メッセージ、またはＵＳＳＤコードを送るルーティング・プラットフォーム５１０の特定の電話番号の内線番号をダイアルすることによって行うことができる。別の例として、消費者レイヤ５８０は法執行機関の機器とすることができ、通信傍受法（ＣＡＬＥＡ）の一環として１つまたは複数の位置推定を供給することができる。あるシナリオでは、消費者レイヤ５８０内のインターフェース（不図示）により、それぞれの無線装置の１つまたは複数の一意識別子で構成されるブラックリストを供給することができる。実施形態例６００では、ルーティング・コンポーネント５１０は、そのブラックリストをメモリ内、例えば１つまたは複数のアクセス・リスト内に保持することができる。ブラックリストに載せられた移動体装置がフェムト企業ネットワークの一部であるフェムトＡＰに接続しようと試みるとき、ルーティング・コンポーネント５１０は、例えば、検知した、ブラックリストに載せられている移動体装置の位置推定を送ることにより、消費者レイヤ５８０内の法執行機器に警告することができる。さらに、またはその代わりとして、ブラックリストに載せられた移動体装置を検知するとき、ルーティング・プラットフォーム５１０は、カバレッジ・エリア５０５内でそのブラックリストに載せられた移動体装置の位置を追跡することができる。
【００６０】
本革新の一態様では、高いパイロット伝送電力を利用して、三角測量を実施するための距離推定を生成するフェムトＡＰの数を増やすために、ルーティング・プラットフォーム５１０は、トラフィックのために利用するのとは異なる、１つもしくは複数のチャネルまたは１つもしくは複数の周波数搬送波におけるＴＯＦ測定で少なくとも部分的に使用される、１つまたは複数の制御信号の配信および伝送を設定することができる。音声およびデータ用に使用する搬送波とは異なる、例えば直交する三角測量用の専用の搬送波を利用することは、位置推定を生成することによって発生する可能性がある干渉を軽減できることを理解すべきである。一例として、フェムトＡＰは、ＴＯＦ測定のための１つまたは複数のパイロット信号を認可されていない電磁（ＥＭ）放射帯域のうちの搬送波の中で運ぶことができる一方、そのフェムトＡＰは、音声およびデータを認可されているＥＭ放射帯域のうちのチャネルの中で運ぶことができる。
【００６１】
図６に示すルーティング・プラットフォーム５１０の一実施形態例では、位置エンジン６０５が、三角測量によって１つまたは複数の位置推定を生成することができる。少なくともそのためには、タイミング・コンポーネント６０７は、ルーティング・コンポーネント５１０がＴＯＦ測定を設定し制御できるようにし、分析コンポーネント６０９は、タイミング測定によって収集されるデータを活用して三角測量によって位置推定を計算し、アルゴリズム記憶部３５１は、実行時に三角測量を実施するコード命令を保持することができる。一態様では、分析コンポーネント４１９は、マルチパスや他の拡散、陰影妨害、経路損失などの伝搬の確率的側面を位置推定の計算に含めるために、アルゴリズム記憶部内に保持される伝搬モデルを選択することができる。１つまたは複数の位置推定は、位置情報部６１５内に保持することができる。
【００６２】
ルーティング・コンポーネント５１０は、生成される１つまたは複数の位置推定の分解能の階層および関連する位置サービスの側面に少なくとも部分的に基づいて、１つまたは複数のタイミング設定の複雑さ、例えば粗い分解能または細かい分解能の位置推定に十分なクロック源の選択を制御することもできる。（１）特定のコンテンツのルーティング、例えば広域ネットワーク（ＷＡＮ）から企業フェムト・カバレッジ・エリア５０５にオフロードされるコンテンツに関しては、サービス・フェムトＡＰの一意識別子（ＩＤ）と移動体装置５３０または移動体装置５３０の一意ＩＤとを関連させることで十分な場合があり、１つまたは複数の外部ネットワーク５７０がそのＷＡＮを実施することができる。実施形態例６００では、位置情報部６１５は、プロビジョンされた各フェムトＡＰに結び付けられる１つまたは複数の一意のフェムトＩＤのマッピング、および５２０１〜５２０４などのフェムトＡＰの展開構成を含むことができる。（２）第１のフェムトＡＰから第２のフェムトＡＰへの位置ベースのハンドオーバを少なくとも部分的に実施するために、ルーティング・コンポーネント５１０は、ハンドオーバを可能にすることができるプロビジョン済みのフェムトＡＰの間で、固有の間隔△’よりも小さいＴＯＦ帯の幅△５３４を提供するクロック源を選択することができ、例えば、△／△’＝０．１は利用することができる。実施形態例６００では、クロック源の選択は、タイミング・コンポーネント６０７を少なくとも部分的に介して実施することができる。一例として、△’は、フェムトＡＰ間の最近隣距離の平均として求めることができる。さらに、方位分解を実施して、ハンドオーバ候補の実質的に等しくまたは等しく近いフェムトＡＰを区別するために、位置推定を特定のタイルへとさらに洗練することができる。方位分解（Ａｚｉｍｕｔｈ−ｒｅｓｏｌｖｅｄ）タイミング測定、例えばＡＯＡとＲＴＴとの組合せは、ＴＯＦ帯、例えば５３２３ではなく、（太線で示す）５３６などのタイルを求めることができる。５２０１などのフェムトＡＰ内の１組の２つ以上のアンテナをルーティング・コンポーネント５１０によって設定し、方位分解をもたらすために使用することができ、タイミング・コンポーネント６０７は、そうした設定を少なくとも部分的に可能にすることができることを理解すべきである。（３）移動体装置５３０または無線機能を備える機器５４０に関連するエンティティ５４０の追跡では、移動体装置５３０または機器５４０の三角測量を可能にして、極めて正確な、例えば１ｍ程度の分解能での位置推定を抽出するためにより細かい分解能が必要である。高分解能の三角測量を可能にするために、ルーティング・プラットフォーム５１０は、分解能を高めた三角測量をもたらすために△５３４が十分狭い（例えば１ｍ）ように、タイミング・アドバンス（ＴＡ）を提供するクロック源を選択することができる。実施形態例６００では、タイミング・コンポーネント６０７がクロック源を選択することができる。１つまたは複数の位置推定は、ルーティング・コンポーネント５１０の一部であるメモリ内に保持することができ、企業フェムト・ネットワークのカバレッジ・エリアの境界内で、またはそのような境界の外部に伝えることができる。
【００６３】
ルーティング・コンポーネント５１０は、人工知能（ＡＩ）または機械学習方法を活用して、所定の位置サービスに適した空間分解能で位置推定を生成するために満足のいくまたは最適なタイミング分解能を推論する（例えば制御シナリオにおいて、１組のメトリク、引数、または知られている結果に基づいて推理し、結論を出す）ことができる。推論は、移動体装置の位置を正確に知ることの利益に対する、シグナリング・コスト、例えばクロックの選択、シグナリングのトリガ、搬送波の選択および通信との間のトレードオフを判断する、費用効果分析に少なくとも部分的に基づくことができる。実施形態６００では、タイミング・コンポーネント６０７がこの費用効果分析を実施することができる。機械学習方法は、アルゴリズム記憶部３５１内に保持することができる。
【００６４】
人工知能または機械学習技法は、典型的には高度な数学的アルゴリズム、例えば決定木、ニューラル・ネットワーク、回帰分析、特徴およびパターンを抽出するための主成分分析（ＰＣＡ）、クラスタ分析、遺伝的アルゴリズム、または強化学習を１組のデータに適用する。具体的には、ハンドオーバ・コンポーネント２５４またはその中の任意の１つもしくは複数のコンポーネントは、データから学習し、そのように構成されるモデルから推論結果を導くための多数の方法体系のうちの１つを使用することができる。そのような方法体系は、メモリ２６０内に保持することができる。例えば、隠れマルコフ・モデル（ＨＭＭ）および関係する原型的依存性モデルを使用することができる。デンプスタ−シェーファ・ネットワークや、ベイジアン・モデル・スコアまたは近似法を使用する構造探索によって作成されるようなベイジアン・ネットワークなどの一般的な確率的グラフィカル・モデルも利用することができる。さらに、サポート・ベクタ・マシン（ＳＶＭ）などの線形分類器、「ニューラル・ネットワーク」方法体系、ファジィ論理方法体系と呼ばれる方法などの非線形分類器も使用することができる。さらに、ゲーム理論的モデル（例えばゲームの木、ゲーム・マトリックス、純戦略および混合戦略、ユーティリティ・アルゴリズム、ナッシュ均衡、進化ゲーム理論等）、およびデータ融合等を行う他の手法を活用することができる。
【００６５】
図７Ａは、本革新の諸態様による、移動体の位置データを収集することを可能にするフェムト企業ネットワーク・アーキテクチャの図７００を示す。ルーティング・プラットフォーム６１０は、１つまたは複数のアンテナ６２５を介して１つまたは複数の衛星からタイミング・メッセージを収集することができる、本明細書ではＧＮＳＳ受信機６２０とも呼ぶ地球航法衛星システム（ＧＮＮＳ）受信機コンポーネント６２０から、タイミング・メッセージまたは１つもしくは複数のタイミング基準を受信する。一態様では、ＧＮＳＳ受信機６２０は屋外にさらすことができ、その少なくとも一部がＮＩＤ、例えばＮＩＤ２１０２の中にあってよい。フェムトＡＰ５２０１〜５２０４は、移動体装置４３０が伝える１つもしくは複数の制御メッセージまたは１つもしくは複数のサウンディング信号をタイムスタンプし、そうして、三角測量に少なくとも部分的に基づいて位置推定を生成することを可能にする、１つまたは複数の距離推定を生成することができる。
【００６６】
図７Ｂは、本革新の諸態様による、移動体の位置データを収集することを可能にするフェムト企業ネットワーク・アーキテクチャの一実施形態６５０の図を示す。一態様では、１つまたは複数のタイミング・メッセージのＧＮＳＳ受信機６２０は、フェムト・ネットワーク・プラットフォーム６６０に機能的に接続され、そのフェムト・ネットワーク・プラットフォーム６６０は、１つまたは複数のゲートウェイ・ノード５４５を介してその１つまたは複数のタイミング・メッセージを中継することができる。ＧＮＳＳ受信機６２０は、フェムト・ネットワーク・プラットフォーム６６０およびフェムトＡＰ５２０１〜５２０４を運営する、ネットワーク・オペレータが提供する支援型ＧＰＳ（ＡＧＰＳ）基盤の一部とすることができることを理解すべきである。
【００６７】
実施形態７００および７５０では、ルーティング・プラットフォーム７１０は、ルーティング・プラットフォーム５１０より単純であることを示す。図８に示すように、位置エンジン８０５はタイミング・コンポーネントを含まず、むしろ、位置エンジン８０５は、ＧＮＳＳ受信機７２０から受信する１つまたは複数のタイミング・メッセージのパススルーとして機能する。分析コンポーネント８０７は、分析コンポーネント８０９と実質的に同じ方法で動作することができる。具体的には、分析コンポーネント８０７は、タイミング・シグナリング、例えば複数のフェムトＡＰに端を発するタイムスタンプされたメッセージの記録を受け取り、そうしたシグナリングを利用して三角測量および関連する移動体装置５３０の１つまたは複数の位置推定を実行することができる。
【００６８】
図９は、本明細書に記載の諸態様による、フェムト・ネットワーク・アーキテクチャの一例を少なくとも部分的に介し、カスタマイズされたアイテムを移動することを可能にするシステムの一例９００を示す。インターフェース・コンポーネント９５０は、加入者またはプロシューマが、企業フェムト・ネットワーク・アーキテクチャを含む遠隔地側９０５内で確認される、アイテムの１つまたは複数の希望リスト９５５を設定できるようにする。インターフェース・コンポーネントは、希望リスト９５５を、１つまたは複数のブロードバンド・バックホール・リンクとすることができる１つまたは複数のリンク９６５を介して、１つまたは複数の外部ネットワーク９４０に送ることができる。例えば、１つまたは複数の外部ネットワークは、インターネット・サービスを提供するブロードバンド非移動体ネットワークとすることができる。１つまたは複数の外部ネットワーク９４０は、１つまたは複数の希望リスト９５５をフェムト・ネットワーク・プラットフォーム１３０に伝えることができ、このフェムト・ネットワーク・プラットフォーム１３０は、その１つまたは複数の希望リスト９５５をコントローラ・ノード１２０、例えば３ＧＰＰ  ＵＭＴＳ電気通信アーキテクチャにおける無線ネットワーク・コントローラに中継することができる。
【００６９】
コントローラ・コンポーネント１２０は、その１つまたは複数の希望リスト９５５をルーティング・コンポーネント９１０に送ることができ、このルーティング・コンポーネント９１０は、１つまたは複数の希望リスト９５５内に列挙される１つまたは複数のアイテムの１組の位置を生成することができ、１つまたは複数のアイテムには、１つまたは複数のＲＦＩＤタグ、例えば９２５１〜９２５１０が接触する。したがって、生成される１組の１つまたは複数の位置推定を、タグ付きの１つまたは複数のアイテムにマップすることができる。一態様では、ルーティング・コンポーネント９１０は、図９に黒い矢印で図示する、企業フェムト・ネットワークのカバレッジ・エリア９０５内に移動体装置９３０が入ること、およびその移動体装置９３０がカバレッジ・エリア９０５内のフェムトＡＰに接続することに応答して、１つまたは複数の希望リスト９５５内の１つまたは複数のアイテムの位置推定を解決することができ、移動体装置９３０はその１つまたは複数の希望リスト９５５を設定した加入者またはプロシューマに結び付く。あるいは、またはそれに加え、ルーティング・コンポーネント９１０は、ルーティング・プラットフォーム９１０内の位置情報部、例えば６１５の一部として保持されるスケジュール、または再配置もしくはカバレッジ・エリア９０５内のＲＦＩＤタグ９２５１〜９２５１０の再配置などのイベントのうちの少なくとも１つに従って、この１組の１つまたは複数の位置推定を生成することができる。
【００７０】
希望リスト９５５内のアイテムの位置推定を生成することは、１組のフェムトＡＰ、例えば９２０６、９２０７、および９２０８によって送られる１つまたは複数のパイロット信号により、１つまたは複数のＲＦＩＤタグ９２５１〜９２５１０を遠隔的に探索することができる、ＲＦＩＤアクチュエータ４６５を少なくとも部分的に介して実現することができる。１つまたは複数のＲＦＩＤタグを検査することは、各タグの三角測量を可能にし、よって１つまたは複数のそれぞれの位置推定を生成することを可能にすることができ、三角測量は、本明細書に記載の諸態様に少なくとも部分的に従って、ルーティング・コンポーネント９１０内の位置エンジンによって実施することができる。図１０に示すルーティング・プラットフォーム９１０の一実施形態例１０００では、マルチモード位置エンジン１００５が、ＲＦＩＤタグの位置の三角測量を行うことができる。マルチモード位置エンジン１００５は、ルーティング・プラットフォーム９１０のタイミング機能に少なくとも部分的に基づいて、このマルチモード位置エンジンの機能を切り替えることができる、スイッチ・コンポーネント１００８を含む。一態様では、ルーティング・プラットフォーム９１０が１つまたは複数のフェムトＡＰにタイミング設定を供給できる場合、スイッチ・コンポーネント１００８は、マルチモード位置エンジンの動作を、位置エンジン６０５と実質的に同じまたは同じ動作モードに設定することができる。あるいは、ルーティング・プラットフォーム９１０が、企業フェムト・ネットワークに無線サービスを提供する１組のフェムトＡＰのタイミングを設定するために、外部のタイミング情報を活用する場合、スイッチ・コンポーネント１００８は、マルチモード位置エンジンを、位置エンジン８０５と実質的に同じまたは同じ動作に設定することができる。マルチモード位置エンジン１００５は、分析コンポーネント８０７（図１０には不図示）、タイミング・コンポーネント６０７、および分析コンポーネント６０９（いずれも図１０には不図示）を含むことを理解すべきである。
【００７１】
１つまたは複数のフェムトＡＰ９２０１〜９２０９は、ＲＦＩＤタグにパイロット信号を送ることを可能にする、それらのフェムトＡＰの中のメモリ内に保持されるＲＦＩＤ作動論理、例えば４９６を含むことができ、タイミング・データを収集し、三角測量を可能にするために１つまたは複数のＴＯＦ測定を実行する。このパイロット信号は、１つまたは複数のフェムトＡＰを介して通信するために使用するＥＭ放射帯域とは別の周波数搬送波の中で運ぶことができ、したがって、著しい干渉を与えることなく、１つまたは複数のＲＦＩＤタグ９２５１〜９２５１０に問い合わせることができる。１つまたは複数のフェムトＡＰは、問い合わせられた１つまたは複数のＲＦＩＤタグ内に保持される情報を復号し、そうした情報をルーティング・プラットフォーム８１０に中継することもでき、そのルーティング・プラットフォーム８１０は、その情報をメモリ、例えばメモリ３４９内に保持すること、またはその情報を調節することのうちの少なくとも１つを行うことができる。この情報は、製品識別または製品価格のうちの少なくとも１つを含むことができることを指摘しておく。一態様では、情報を調節することは、探索される１つまたは複数のＲＦＩＤタグが識別する、１つまたは複数のアイテムの価格付けを調節することを対象とすることができる。
【００７２】
図１１は、本明細書に記載の諸態様による、企業フェムト・ネットワークによる構内ネットワーキングを可能にするシステムの一例のブロック図である。ルーティング・プラットフォーム１１１０は、１組の１つまたは複数のフェムトＡＰ１１２０に機能的につながれ、そのフェムトＡＰ１１２０は、単一フロアまたは複数フロアの限られた、もしくはほぼ限られた空間とすることができるカバレッジ・エリアを及ぼす。そのカバレッジ・エリア内の位置、または１つもしくは複数のアクセス・リスト、例えば３５３または４９８によって規定される１つもしくは複数のアクセス特権または１つもしくは複数のアクセス権のうちの少なくとも１つに基づいて、１組のフェムトＡＰ１１２０のうちのフェムトＡＰが、無線リンク１１３５を介して移動体装置１１３０をサービスすることができる。ルーティング・プラットフォーム１１１０は、参照リンク、参照インターフェース、または従来の有線／無線リンクとすることができる１つまたは複数のリンク１１３６を介して、商業コンポーネント１１４０にも機能的に結合される。この商業コンポーネント１１４０は、１つもしくは複数の商業取引または１つもしくは複数のサービスの消費を少なくとも部分的に可能にすることができる。さらに、商業コンポーネント１１４０は、１つまたは複数の金銭的インセンティブを移動体またはその他の装置に供給、例えば送りまたは与えることができ、その１つまたは複数の金銭的インセンティブは、１つもしくは複数の商業取引または１つもしくは複数のサービスの消費のうちの少なくとも１つにおいて利用することができる。ルーティング・プラットフォーム１１１０は、本明細書に記載のルーティング・プラットフォーム９１０と実質的に同じ、または同じ機能を有することを指摘しておく。
【００７３】
商業コンポーネント１１４０は、商業プロファイル１１５９を設定するプロファイル生成器１１４２を含み、その商業プロファイル１１５９は、１人の加入者または複数の加入者のグループ、例えば消費者セグメント、およびその１人の加入者または消費者セグメント内の加入者が使用する移動体装置に結び付ける。設定には、属性を生成すること、およびその属性をメモリ１１５０内で持続することが含まれ得る。一態様では、商業プロファイル１１５９には、商業取引または１つもしくは複数のサービスの消費に関係する料金を請求することを許可された、１つもしくは複数の課金アカウント、商業プロファイルを設定する対象の加入者に関連する１つもしくは複数のインセンティブ・プログラム、または優先のブランドもしくは製品特性のうちの少なくとも１つが含まれ得る。プロファイル生成器１１４２は、その１人の加入者または消費者セグメントに関連する商業情報を、例えばデータ１１３９を介して受信することができる。さらに、プロファイル生成器１１４２は、１組の１つまたは複数のフェムトＡＰのうちのフェムトＡＰの１つまたは複数によってサービスされる、装置、移動体、または他の方法によって行われたこれまでの商業取引に少なくとも部分的に基づいて商業プロファイル１１５９を自律的に生成するために、上記に記載したような機械学習方法体系を活用することができる。
【００７４】
取引コンポーネント１１４４は、フェムト企業ネットワークを介した１つまたは複数の商業取引を少なくとも部分的に可能にすることができる。さらに、取引コンポーネント１１４４は、商業取引をモニタし、記録することができ、記録は取引データベース１１５６内に保持することができる。さらに、取引コンポーネント１１４４は、１つもしくは複数の金銭的インセンティブまたは１つもしくは複数のクーポンを、データ１１３９を少なくとも部分的に介して移動体装置１１３０に送ることができ、その１つもしくは複数のインセンティブまたは１つもしくは複数のクーポンは、ルーティング・プラットフォーム１１１０により、移動体装置１１３０にサービスする組１１２０の中のフェムトＡＰに中継される。１つまたは複数のインセンティブは、非移動体装置または無線機能を備える機器にも送ることができることを指摘しておく。１つもしくは複数のインセンティブまたは１つもしくは複数のクーポンの送信は、クーポン記憶部１１５３に宛て、商業取引において後で利用するために、その１つもしくは複数のインセンティブまたは１つもしくは複数のクーポンの受信側装置に結び付ける、例えば論理的に関連させまたは与えることもできる。一態様では、１つもしくは複数のインセンティブまたは１つもしくは複数のクーポンは、企業フェムト・ネットワークのカバレッジ・エリア内の移動体装置１１３０の位置のうちの少なくとも１つに少なくとも部分的に基づいて送り、または与えることができる。一例として、このフェムト企業ネットワークがスーパーマーケット店内に展開されるシナリオでは、このスーパーマーケットの一部分、例えば肉部門に無線サービスを提供するフェムトＡＰに移動体装置１１３０が接続するとき、１つまたは複数の特定の肉に関する１つまたは複数のクーポンを、移動体１１３０または移動体１１３０に結び付く消費者に供給、例えば送るまたは与えることができる。
【００７５】
１つもしくは複数のインセンティブまたは１つもしくは複数のクーポンを送るまたは与えるために、取引コンポーネント１１４４は、１組の１つもしくは複数のインセンティブまたは１つもしくは複数のクーポンを生成するようにインセンティブ・コンポーネント１１４６に指示することができる。１つもしくは複数のインセンティブまたは１つもしくは複数のクーポンを生成することは、１つまたは複数のクーポンを受信する移動体装置１１３０もしくは他の任意の装置の位置に少なくとも部分的に基づくことができる。一態様では、１つもしくは複数のインセンティブまたは１つもしくは複数のクーポンを生成するための指令の一部として、取引コンポーネント１１４４は、移動体装置１１３０の１つまたは複数の位置推定を供給することができる。さらに、取引コンポーネント１１４４は、移動体装置１１３０によって引き起こされる購入またはサービスに対する課金料金を少なくとも部分的に処理することができる。この課金料金の処理には、移動体装置１１３０を介して購入時に提供され、または移動体装置１１３０に与えられる１つまたは複数のクーポンを履行することが含まれ得る。一態様では、１つまたは複数のＰＯＳ（販売場所）装置１１７０が、取引証明を商業コンポーネント１１４０に与えることができる。あるいは、またはそれに加え、１つまたは複数のＰＯＳ装置１１７０は、１つまたは複数のＰＯＳ装置１１７０があるフェムト企業ネットワークのエリアにサービスする、１組のフェムトＡＰ１１２０のうちのフェムトＡＰに取引証明シグナリングを伝えることができ、例えばスーパーマーケット店では、そのようなフェムトＡＰは、レジが位置するエリアにサービスするフェムトＡＰとする。一態様では、１つまたは複数のＰＯＳ装置１１７０は、その企業フェムト・ネットワークを管理するサービス・プロバイダが展開することができる。あるいは、またはそれに加え、その企業フェムト・ネットワークによる無線サービスを活用する、例えば契約する、事業オペレータが、１つまたは複数のＰＯＳ装置１１７０の一部を展開することができる。
【００７６】
１つまたは複数の追加実施形態もしくは代替的実施形態では、商業コンポーネント１１４０は、ルーティング・プラットフォーム１１１０の中に存在できることを指摘しておく。そのようなシナリオでは、１つまたは複数のリンク１１３６を、ルーティング・プラットフォーム１１１０内のコンポーネントまたは他の任意の機能要素もしくは回路を機能的に結合するバス、例えば１１６３の一部とすることができる。
【００７７】
システムの例１１００では、商業コンポーネント１１４０は、本革新の１つまたは複数の態様に従って商業コンポーネント１１４０内の実質的にあらゆる、またはあらゆるコンポーネントに機能を少なくとも部分的に与えるように構成されおよび与える、１つまたは複数のプロセッサ１１４８を含む。１つまたは複数のプロセッサ１１４８は、商業コンポーネント１１４０の様々な機能要素またはコンポーネントの外部にあるものとして図示するが、１つまたは複数のプロセッサ１１４８は、そうした様々な機能要素またはコンポーネント間に分散させることができる。１つまたは複数のプロセッサ１１４８は、メモリ・バス、システム・バス、アドレス・バス、または１つもしくは複数の参照リンク、または１つもしくは複数の参照インターフェースのうちの少なくとも１つによって実施することができるバス１１６３により、各機能要素またはコンポーネント、およびメモリ１１５０に機能的に結合される。１つまたは複数のプロセッサ１１４８は、機能を少なくとも部分的に動作させかつ／または商業コンポーネント１１４０内に存在するコンポーネントのそれぞれに与えるために必要な情報をメモリ１１５０内に記憶し、そこから情報を取得することができる。この情報は、コード命令、データ構造、プログラム・モジュール等のうちの少なくとも１つを含むことができる。１つまたは複数の代替的実施形態では、プロセッサ１１４８は商業コンポーネント１１４０の外部にあってよく、例えばそうしたプロセッサ１１４８は、ルーティング・プラットフォーム１１１０内にあることができることを指摘しておく。
【００７８】
図１２は、企業フェムト・ネットワーク内で動作する商業コンポーネントの１つまたは複数の側面を使用可能にする、インセンティブ・コンポーネント１１４６の一実施形態例１２００のブロック図である。クーポン生成器１２０２は、受信側装置の位置またはその装置に関連する加入者のうちの少なくとも１つに少なくとも部分的に基づいて、１つまたは複数の種類の１つまたは複数のインセンティブを発行する。一態様では、少なくとも３つの部類の１つまたは複数のインセンティブを作り出すことができ、それはつまり（ｉ）ロイヤルティプログラム・インセンティブ、（ｉｉ）ブランド浸透クーポン、および（ｉｉｉ）消費者基盤の開拓である。（ｉ）に関し、ロイヤルティプログラム・インセンティブは、ユーザ機器、例えば移動体装置１１３０に結び付けられる消費者が行う選択に少なくとも部分的に基づくことができる。一態様では、ロイヤルティプログラムは、取引データベース１１５６内に保持される商業取引についての履歴データに少なくとも部分的に基づくことができる。利用する履歴データは、消費者の集まりに関連する取引を対象とすることができ、その消費者の集まりは異なる顧客の範囲に及ぶことを指摘しておく。例えば、履歴データは所定の期間内に１組の消費者が行う取引を含むことができ、消費者のセグメントは、四半期ベースの支出水準や人口統計などの１組の商業メトリク、特定のアクセス・リスト内の消費者、または１人の消費者に従ってグループ化する。
【００７９】
（ｉｉ）に関連して、１つもしくは複数のクーポンまたは１つもしくは複数のインセンティブは、製品またはサービスの関心を高めるために行われ、その製品またはサービスのプロモーション・キャンペーンの一部とすることができる。一態様では、１つもしくは複数のクーポンまたは１つもしくは複数のインセンティブは、１組のフェムトＡＰ１１２０の中のフェムトＡＰに移動体が接続するとき、その移動体装置に関連する加入者に発行することができる。
【００８０】
（ｉｉｉ）に関連して、１つもしくは複数のクーポンまたは１つもしくは複数のインセンティブは、消費者の直接の反応を引き出す、例えば小売店または店内の売り場に対する消費者の客足または消費者の交流を増やすことを対象とし、消費者の交流には、１人または複数の加入者が企業フェムト・ネットワーク内の１つまたは複数の小売店を再訪することが含まれ得る。１つもしくは複数のクーポンまたは１つもしくは複数のインセンティブは、すべてのもしくはほぼすべての消費者、消費者のセグメント、１人の消費者など、消費者の集まりに少なくとも部分的に基づいて発行することができる。一態様では、１つもしくは複数のクーポンまたは１つもしくは複数のインセンティブの発行についての価値または率は、加入者のセグメントまたは１人の加入者の商業的望ましさに少なくとも部分的に基づくことができ、商業的望ましさには、所定の確実なクレジット履歴、大量の購入、商取引関係の長さによって明らかにされる高いロイヤルティ等が含まれ得る。さらに、クーポンまたはインセンティブは、１組のフェムトＡＰ１１２０の中のフェムトＡＰに加入者局が接続する時間に少なくとも部分的に基づいて発行することができる。例えば、このフェムト企業ネットワークがショッピング・モール内に展開されるシナリオでは、クーポン生成器１２０２は、そのショッピング・モール内のフード・コート内の１つまたは複数のレストランのための、午前１１：３０〜午後１：００の、または任意の昼食時間の１つもしくは複数のクーポンまたは１つもしくは複数のインセンティブを発行することができる。
【００８１】
インセンティブ・コンポーネント１１４６によって生成される、１つもしくは複数のクーポンまたは１つもしくは複数のインセンティブは、加入者を中心とすることができ、ロイヤルティプログラムに関して上述したように様々な粒度にカスタマイズすることができる。一態様では、１つもしくは複数のクーポンまたは１つもしくは複数のインセンティブは、１つまたは複数の商業取引についての履歴データ、またはその履歴データの１つもしくは複数の抽出パターンに少なくとも部分的に基づいて単一加入者レベルでカスタマイズすることができる。一態様では、１つまたは複数の商業取引の、１つまたは複数のパターンは、上記に論じた機械学習方法体系により、取引コンポーネント１１４４によって明らかにすることができることを指摘しておく。
【００８２】
セキュリティ・コンポーネント１２０４は、１つもしくは複数のクーポンまたは１つもしくは複数のインセンティブの消費または履行における不正行為を軽減することができる。一態様では、セキュリティ・コンポーネント１２０４は、発行された１つまたは複数のクーポンにセキュリティ機能を与えることができ、その機能には、暗号化、パスワード保護、バイオメトリックに基づく保護、または１つもしくは複数のデジタル・コンテンツのための実質的にあらゆるセキュリティ機構が含まれ得る。セキュリティ・コンポーネント１２０４は、パスワード、暗号鍵、デジタル証明書、バイオメトリック鍵、例えば音声記録、虹彩模様、指紋などのセキュリティ資格証明を生成することができる。セキュリティ資格証明は、メモリ１１５０内に保持することができる。セキュリティ機能またはセキュリティ資格証明を提供するために、セキュリティ・コンポーネント１２０４は、メモリ１１５０の一部とすることができるアルゴリズム記憶部１２２０内に保持される１つまたは複数のアルゴリズムを活用することができる。
【００８３】
実施形態１２００では、インセンティブ・コンポーネント１１４６は、課金処理、および発行された１つもしくは複数のクーポンまたは１つもしくは複数のインセンティブの履行を少なくとも部分的に可能にすることができる、アカウンティング・コンポーネント１２０６を含むこともできる。アカウンティング・コンポーネント１２０６は、１つもしくは複数のクーポンまたは１つもしくは複数のインセンティブの収集または利用を記録することができ、そうした１つまたは複数の記録は、取引データベース１１５６の一部として保持することができる。一態様では、アカウンティング・コンポーネント１２０６は、アクセス・リストおよびそのアクセス・リストに関係する加入者に関連する、１つもしくは複数のクーポンまたは１つもしくは複数のインセンティブをモニタすることができる。
【００８４】
換算コンポーネント１２０８は、第１の種類の発行済みの１つもしくは複数のクーポンまたは１つもしくは複数のインセンティブを、第２の種類の１つもしくは複数のクーポンまたは１つもしくは複数のインセンティブに換えることができる。この第１の種類の１つまたは複数のクーポン、および第２の種類の１つまたは複数のクーポンは、メモリ要素１１５９内に保持される商業プロファイルから抽出し、１組の１人または複数の加入者に関連させることができる。１つまたは複数の交換比率は、第１の種類のおよび第２の種類の１つもしくは複数のクーポンまたは１つもしくは複数のインセンティブが発行され得る消費者セグメントまたは１人の消費者に少なくとも部分的に決定することができる。さらに、１つまたは複数の変換比率は、動的にまたは特定のイベントに基づいて調節することができる。１つもしくは複数のクーポンまたは１つもしくは複数のインセンティブの換算は、課金処理または、１つもしくは複数のクーポンまたは１つもしくは複数のインセンティブの履行の一部として、アカウンティング・コンポーネント１２０６が信号で伝えることができる。
【００８５】
図１３は、本明細書に記載の諸態様による、企業フェムト・ネットワーク内のマーケティングを可能にするシステムの一例１３００のブロック図を示す。ルーティング・プラットフォーム１１１０は、シグナリング１３０７およびデータ１３０９を交換可能にすることができる１つまたは複数のリンク１３０６を介して、マーケティング・コンポーネント１３０１に機能的に結合される。１つまたは複数のリンク１３０６は、参照リンク、参照インターフェース、または従来の有線／無線リンクとすることができる。マーケティング・コンポーネント１３０１は、移動体装置１１３０の位置、または移動体装置１１３０に関連する加入者のうちの少なくとも１つに少なくとも部分的に基づいて、移動体装置１１３０に広告を送ることを可能にする。さらに、マーケティング・コンポーネント１３１０は、移動体装置１１３０に結び付く加入者に関連する商業取引の１つまたは複数のパターンを活用することができる。広告は、データ１３０９の一部として伝えることができ、ルーティング・プラットフォーム１１１０は、移動体装置１１３０にサービスするフェムトＡＰに中継することができ、よって移動体装置１１３０に関連する加入者に対するコストなしに広告の配信を実施することができる。広告は、ＳＭＳ通信、ＭＭＳ通信、電子メール通信、ＩＭ通信、ＵＳＳＤメッセージ等として送ることができる。
【００８６】
広告を送るために、マーケティング・コンポーネント１３０１は、移動体装置１１３０の位置推定に従って広告コンテンツを抽出することができる、本明細書では広告ドライバ１３０２とも呼ぶ、広告ドライバ・コンポーネント１３０２を利用することができ、その位置推定は、データ１３０９を用いてルーティング・プラットフォーム１１１０によって送られる。さらに、広告ドライバ１３０２は、１組のフェムトＡＰ１１２０のうちのフェムトＡＰに移動体装置１１３０が接続する時間に少なくとも部分的に基づいて広告を伝えることができる。一例として、企業フェムト・ネットワークがスーパーマーケット店内に展開される場合、広告ドライバ１３０２は、夕食時にまたはその後で、１組のフェムトＡＰ１１２０のうちのフェムトＡＰに接続する移動体装置１１３０に対し、冷凍ディナーの広告を送ることができる。
【００８７】
広告ドライバ１３０２は、移動体装置１１３０が送るシグナリングによって設定可能な１つまたは複数のオプトアウト・インジケータを含むことができる、本明細書ではインプレッション基準１３１９とも呼ぶ、広告インプレッション基準１３１９に従って広告を送ることができる。そのようなシグナリングは、移動体装置１１３０にサービスするフェムトＡＰが受信し、ルーティング・プラットフォーム１１１０により、シグナリング１３０７を用いてマーケティング・コンポーネント１３０１に中継することができる。オプトアウト・インジケータまたはオプトアウト・フラグは、インプレッション基準１３１９内に保持される論理変数または１組のビットのうちの少なくとも１つによって実施することができる。さらに、広告ドライバ１３０２は、移動体装置１１３０に関連する加入者から受信するアイテムのリスト、例えば希望リスト９５５に少なくとも部分的に基づいて広告を送ることができる。ルーティング・プラットフォーム１１１０は、このアイテムのリストを、データ１３０９を用いて伝えることができる。
【００８８】
マーケティング・コンポーネント１３０１は、広告を活用してビジネス・インテリジェンスを生成し、企業フェムト・ネットワークが展開される企業体の中で商業取引を行う消費者のために、カスタマイズされた１つもしくは複数の広告キャンペーンまたは１つもしくは複数のサービスを設計することもできる。設計コンポーネント１３０４は、シグナリングを受信して、特定のインプレッション基準１３１９に従って特定の広告キャンペーンを実施することができる。さらに、データ・マイニング・コンポーネント１３０６は、特定の広告に対する１つまたは複数の応答を識別し、広告された１つもしくは複数の製品または１つもしくは複数のサービスに関係する情報を生成することができ、その情報は、メモリ要素（例えばレジスタ、１つまたは複数のファイル、データベースもしくはその一部分）ビジネス・インテリジェンス１３１６内に保持することができる。
【００８９】
設計コンポーネント１３０４は、ビジネス・インテリジェンス１３１６を活用して、広告キャンペーン、または広告される１つもしくは複数の製品または１つもしくは複数のサービスを自律的に調節することができ、調節された１つまたは複数の広告は、１つまたは複数の広告の記憶部１３１３内に保持することができる。自律的調節は、上述した機械学習技法を利用することによって実施することができる。この調節された広告キャンペーン、または１つもしくは複数の製品または１つもしくは複数のサービスは、ビジネス・インテリジェンスをさらに収集するために広告ドライバ１３０２によって送ることができる。一態様では、１組の広告キャンペーン、所定の広告時間のうちの少なくとも１つとして定義することができる調節サイクルの完了時に、この企業フェムト・ネットワークを利用する事業者またはこの企業フェムト・ネットワークを運営するネットワーク・オペレータのうちの少なくとも１つが、収集されたビジネス・インテリジェンス１３１６を使用することができる。
【００９０】
システムの例１３００では、マーケティング・コンポーネント１３０１は、本革新の１つまたは複数の態様に従い、マーケティング・コンポーネント１３０１内の実質的にあらゆる、またはあらゆるコンポーネントに機能を少なくとも部分的に与えるように構成されおよび与える、プロセッサ１３０８を含む。プロセッサ１３０８は、マーケティング・コンポーネント１３０１の様々な機能要素またはコンポーネントの外部にあるものとして図示するが、プロセッサ１３０８は、そうした様々な機能要素またはコンポーネント間に分散させることができる。プロセッサ１３０８は、メモリ・バス、システム・バス、アドレス・バス、または１つもしくは複数の参照リンク、または１つもしくは複数の参照インターフェースのうちの少なくとも１つによって実施することができるバス１３２１により、各機能要素またはコンポーネント、およびメモリ１３０１に機能的に結合される。プロセッサ１３０８は、機能を少なくとも部分的に動作させかつ／またはマーケティング・コンポーネント１３０１内に存在するコンポーネントのそれぞれに与えるために必要な情報をメモリ１３１０内に記憶し、そこから情報を取得することができる。この情報は、コード命令、データ構造、プログラム・モジュール等のうちの少なくとも１つを含むことができる。１つまたは複数の代替的実施形態では、プロセッサ１３０８はマーケティング・コンポーネント１３０１の外部にあってよく、例えばそうしたプロセッサ１３０８は、ルーティング・プラットフォーム１１１０または商業コンポーネント１１４０内にあることができることを指摘しておく。
【００９１】
図１４は、本明細書に記載の諸態様による、企業フェムト・ネットワーク内の商業取引を可能にするシステムの一例１４００のブロック図を示す。一態様では、その商業取引は、消費可能製品の注文の配達、または配達サービスもしくは所望の製品に関連する位置の特定のうちの少なくとも１つとすることができる。システムの一例１４００により、他の商業取引も実施することができることを指摘しておく。商業取引を少なくとも部分的に行うために、移動体装置１１３０は、企業フェムト・ネットワークに関連するカバレッジ・エリアに入るとき、フェムトＡＰ  Ｊ  １０４Ｊに接続する。シグナリング１４０７が、接続を可能にし、そのカバレッジ・エリアをサービスする１組のフェムトＡＰ、例えばフェムトＡＰ１１２０に関連するアクセス・リストの中にその移動体装置１１３０を含めるように、アクセス・リスト管理コンポーネント３３８を介してルーティング・コンポーネント１１１０を促すことができる。一態様では、アクセス・リストの中に移動体装置１１３０を含めることは、移動体装置１１３０または移動体装置１１３０に関連する加入者に結び付けられるセキュリティ許容度のレベルに少なくとも部分的に基づくことができる。さらに、ルーティング・プラットフォーム１１１０は、目的地タスクまたは製品、例えば消費可能製品の注文を要求することができ、そうした１つまたは複数の要求はフェムトＡＰ  Ｊ  １０４Ｊに導くことができ、そのフェムトＡＰ  Ｊ  １０４Ｊはその１つまたは複数の要求を移動体装置１１３０に中継する。受信した１つまたは複数の要求に応答して、移動体装置１１３０は、目的地タスク１４１２または注文１４１５のうちの少なくとも１つを、データ１４０９によって送ることができる。目的地タスク１４１２は、企業フェムト・ネットワークに関連するカバレッジ・エリアについての所望のまたは意図する位置、意図する目的地に関連する参照アイテムの識別子であって、統一商品コード（ＵＰＣ）、国際標準図書番号（ＩＳＢＮ）、在庫商品識別番号（ＳＫＵ）等を含むことができる、参照アイテムの識別子、または移動体装置１１３０に関連するエンドユーザの識別情報を含むことができる。一例として、移動体装置１１３０は、書簡をオフィスまたはそのオフィスの入居者に届けようとする配達サービスまたは郵便サービスの配達人が運ぶ、書簡の配達を支援する装置（例えば無線ノートパッド）とすることができる。そのようなシナリオでは、目的地タスク１４１２は、そのオフィスの目的とする位置を伝え、またはそのオフィスの入居者を特定することができる。フェムトＡＰ１０４Ｊは、目的地タスク１４１２を中継することができ、ルーティング・プラットフォーム１１１０は、意図される目的地または特定される個人を認識し、ナビゲーション座標、例えば移動体装置１１３０がフェムトＡＰ１０４Ｊに接続した位置から、意図する目的地または特定した個人に結び付く既知の位置までの指示を供給することができる。あるいは、またはそれに加え、ルーティング・プラットフォーム１１１０は、例えばアクセス・リストおよび関係するアクセス権、または移動体装置１１３０に関連する配達人のセキュリティ許容度レベルによって明らかにされる、移動体装置１１３０が訪れることを許可された企業フェムト・ネットワーク内の位置に少なくとも部分的に基づいて、ナビゲーション指示を移動体装置１１３０に送ることができる。
【００９２】
移動体装置１１３０が、ある製品、例えば消費可能製品の注文１４１５を伝える場合、ルーティング・プラットフォーム１１１０は、その注文を、企業フェムト・ネットワーク内のＰＯＳの位置をサービスするフェムトＡＰ、例えばフェムトＡＰ  Ｑ  １０４Ｑに導き、そのＰＯＳは、その注文を履行できるようになる。一態様では、ルーティング・プラットフォーム１１１０は、注文１４１５の一部として伝えられるビジネス識別子またはフェムト企業ネットワークを形成する１組のフェムトＡＰについてのフロア・プラン設定のうちの少なくとも１つに少なくとも部分的に基づいて、１つまたは複数の商業プロファイル１１５９からルーティング情報を抽出することができる。一例として、注文１４１５は、コーヒーを使用した飲み物を要求することができ、企業フェムト・ネットワークが展開されるオフィスビル構内の、コーヒー店によって実施されるＰＯＳに導くことができる。注文１４１５は、要求したコーヒー飲料についての、１つまたは複数の顧客指定の特色も含むことができることを指摘しておく。
【００９３】
システムの一例１４００では、目的地を含むエリア、または出された注文１４１５に関連するＰＯＳをサービスするフェムトＡＰ  Ｑ  １０４Ｑと通信可能なモニタ装置１４２０が、移動体装置１１３０が意図する位置に到達し、または配達を完了したときに信号を送ることができる。例として、モニタ装置１４２０は、バーコード読取り器、レジ、ＲＦＩＤタグ等とすることができる。一態様では、モニタ・コンポーネント１４２０は、無線機能を備えることができ、出された注文１４１５に関連するＰＯＳによって展開され得る。モニタ・コンポーネント１４２０は、出された注文１４１５に関連する商業取引を、移動体装置１１３０が完了したときに信号を送ることもできる。図１４Ｂに示す代替的実施形態または追加実施形態１４５０では、コネクタ１５６５によって図示するように、フェムトＡＰ  Ｑ  １０４Ｑに関連するＰＯＳ装置１４６０は、注文１４１５に関係する商業取引が完了したことを信号で伝えることができる。
【００９４】
図１５Ａは、移動体装置１１３０が、目的地タスク１４１２に定められる意図する目的地に到達し、配達を完了し、または注文１４１５に関連する購入を行う、システムの一例１４００のブロック図１５００を示す。取引証明を発行し、その取引証明を伝達するために、モニタ装置１４２０は、短距離の見通しのあるリンクとすることができる無線リンク１５１０を介して、移動体装置１１３０とシグナリングを交換することができる。モニタ装置１４２０は、無線リンク１４２５を介してそのシグナリングをフェムトＡＰ１０４Ｑに中継して、配達が完了したこと、または注文１４１５に関係する取引が行われたことを指示することができる。一態様では、取引証明は、取引を一意に識別するデジタル・トークン、またはクッキー・ファイルなどの軽量ファイルとすることができる。このデジタル・トークンまたは軽量ファイルは、目的地、または注文１４１５に関係するＰＯＳに関連する、移動体装置１１３０もしくはフェムトＡＰ、例えばフェムトＡＰ  Ｑ  １０４Ｑのうちの少なくとも１つに伝達することができる。代替的態様または追加の態様では、取引証明を伝えるシグナリングをフェムトＡＰ  Ｑ  １０４Ｑが受信するとき、フェムトＡＰ  Ｑ  １０４Ｑは、シグナリング１５１２により、課金料金、配達した荷物の説明、配達した荷物の受取人の１つまたは複数の電子署名など、その配達に関係する情報を要求することができる。その情報は、データ１５１４の一部としてフェムトＡＰ  Ｑ  １０４Ｑに伝えることができ、フェムトＡＰ  Ｑ  １０４Ｑは、その情報をルーティング・プラットフォーム１１１０に中継することができ、そのルーティング・プラットフォーム１１１０は、配達の一部として課される課金料金を少なくとも部分的に処理することができる。モニタ装置１４２０によって実施されるシグナリングおよびトラフィックに関連するペイロードは、低レベル、例えば数キロバイト程度に保つことができるため、荷物または書簡を配達することに関連する情報をデータ１５１４によって伝達することは、モニタ装置１４２０の低複雑度を保つことができることを指摘しておく。
【００９５】
図１５Ｂの図１５５０に示す代替的実施形態または追加実施形態では、移動体装置１１３０は、注文１４１５に関連する商業取引を行うためにシグナリング１５５２をＰＯＳ装置１４６０と交換し、課金料金を少なくとも部分的に処理し、または移動体装置１１３０に結び付く加入者が利用できるクーポンを履行するためにデータ１５５４を交換することができる。シグナリング１５５２およびデータ１５５４は、移動体装置１１３０とＰＯＳ装置１４６０との間で、短距離のＬＯＳ無線リンクを介して交換することができる。さらに、データ１５５４を交換することは、移動体装置１１３０に結び付く加入者が加入する１つまたは複数のロイヤルティプログラムまたは他の任意のインセンティブ・プロモーション・キャンペーンに関連する、１つもしくは複数のクーポンまたは１つもしくは複数のインセンティブを提供することを可能にすることができる。一態様では、ＰＯＳ装置１４６０が、商業コンポーネント１１４０またはその中の１つもしくは複数のコンポーネントを少なくとも部分的に用いて、そのような１つもしくは複数のクーポンまたは１つもしくは複数のインセンティブを供給することができる。ＰＯＳ装置１４６０は、配達または購入に関連する取引証明を生成することができる。
【００９６】
図１６は、本明細書に記載の本革新の様々な態様を可能にし、活用することができる移動体装置１６０２の一実施形態例１６００のブロック図である。移動体装置１６０２は、移動体装置１１３０または本明細書に記載する他の任意の移動体装置を実施し、それらの移動体装置と実質的に同じ、または同じ方法で動作することができる。移動体装置１６０２は、１つもしくは複数の商業取引または１つもしくは複数のサービスの消費を少なくとも部分的に可能にするシグナリングおよびデータを、通信プラットフォーム１６０４を介して送受信することができる取引コンポーネント１６１５を含む。取引コンポーネント１６１５は、商業取引、例えば購入を行いもしくは完了するために、シグナリングの一部として制御情報を伝達することができる。一態様では、取引コンポーネント１６１５は、テクノロジ・セレクタ１６２５を活用して、所定の周波数帯域または搬送波内で、かつ特定の無線技術に従って動作するように通信プラットフォーム１６０４を少なくとも部分的に設定することができる。例えば、取引コンポーネント１６１５は、２地点間（ＰＴＰ）短距離動作モードの中でシグナリングおよびトラフィックを伝達するために、電磁（ＥＭ）スペクトルの赤外（ＩＲ）部分内で１つまたは複数の無線信号を送るように通信プラットフォーム１６０４を設定することができる。そのようなＰＴＰ通信は、購入または１つもしくは複数のサービス要求をＰＯＳ装置、例えば１４６０に送ることを可能にすることができる。さらに、取引コンポーネント１６１５は、１つまたは複数の購入要求もしくはサービス要求をフェムトＡＰに送る、例えば目的地タスク１４１２または注文１４１５を送ることができる。取引コンポーネント１６１５は、目的地タスクまたは注文を生成するために、データ入力コンポーネント（不図示）を含むことができるディスプレイ・インターフェース１６３５、または１つもしくは複数のアプリケーションの記憶部１６７９内のアプリケーションのうちの少なくとも１つを活用することができる。パケットベース通信では、アクセス・インテリジェンス１６８３は、１つまたは複数の論理アドレス、例えばインターネット・プロトコル（ＩＰ）アドレス、ならびに移動体装置１６０２および利用アプリケーションに関連する、関係のある１つまたは複数のＰＤＰコンテキストを含むことができる。
【００９７】
取引コンポーネント１６１５は、広告、１つまたは複数のクーポン、他の種類の１つまたは複数のインセンティブなど、１つまたは複数のプロモーション・コンテンツを受信するための１つまたは複数のプロンプトを承認しもしくは拒否する、スイッチ・コンポーネント１６１７も含むことができる。１つまたは複数のプロモーション・コンテンツを受信するためのプロンプトは、通信プラットフォーム１６０４によって受信することができ、この通信プラットフォーム１６０４は、そのプロンプトを復号した後に取引コンポーネント１６１５に中継することができる。一態様では、スイッチ・コンポーネント１６１７は、エンドユーザにプロンプトを伝え、そのプロンプトに対する応答を収集するために、ディスプレイ・インターフェース１６３５、および１つまたは複数のアプリケーションの記憶部１６７９内のアプリケーションのうちの少なくとも１つを活用することができる。スイッチ・コンポーネント１６１７は、受信した、プロンプトに対する応答に従い、オプトイン・フラグまたは変数を設定することができる。一態様では、スイッチ・コンポーネント１６１７は、アクセス・インテリジェンス１６８３の一部である設定ファイル（不図示）内に、このオプトイン・フラグを保持することができる。
【００９８】
さらに、１つまたは複数のプロモーション・コンテンツを受信するためのプロンプトが承認されると、取引コンポーネント１６１５は、受信する１つもしくは複数の広告または１つもしくは複数のインセンティブに対する応答を、ディスプレイ・インターフェース、または１つもしくは複数のアプリケーションの記憶部１６７９内のアプリケーションのうちの少なくとも１つを用いて伝えることができる。そうした応答は、通信プラットフォーム１６０４を介して送ることができ、上記に論じたようにビジネス・インテリジェンスを生成するために、マーケティング・コンポーネント１３０１などの受け手が収集することができる。一態様では、スイッチ・コンポーネント１６１７は、上記に示した機械学習技法を活用して、所定量のクーポンを受信するコスト、例えばバッテリの消耗に対する、その所定量のクーポンまたはインセンティブを受信することによる金銭上の利益もしくは有用性を判断するための費用効果分析を行うことができる。
【００９９】
多技術のマルチモードで動作することができる移動体装置１６０２では、１組のアンテナ１６０９１〜１６０９Ｋ（Ｋは自然数である）が、企業フェムト・ネットワーク内の、フェムト・アクセスポイント、アクセス端末、無線ポートやルータなどの、ネットワーク要素との間で１つまたは複数の信号を送受信することができる。アンテナ１６０９１〜１６０９Ｋは、マクロセル無線アクセス・ネットワーク内の基地局との通信も可能にすることができることを指摘しておく。アンテナ１６０９１〜１６０９Ｋは、通信プラットフォーム１６０４の一部であり、この通信プラットフォーム１６０４は、受信する１つまたは複数の無線信号および伝送しようとする１つまたは複数の無線信号の処理／操作を可能にする、電子コンポーネントおよび関連回路を備えることができる。１つまたは複数の無線信号は、トラフィック、例えばデータ１５１２または１５５４の少なくとも一部、およびシグナリング１５１４または１５５２の少なくとも一部などのシグナリングを含むことができる。一態様では、通信プラットフォーム１６０４は、本明細書に記載の諸態様に従って企業フェムト・ネットワークのカバレッジ・エリア全体にわたり、商業取引またはナビゲーションを可能にする、シグナリングを送受信することができる。
【０１００】
一態様では、通信プラットフォーム１６０４は、信号を受信時にアナログからデジタルに変換し、伝送時にデジタルからアナログに変換することができる１つまたは複数の受信機／１つまたは複数の送信機１６０６を含む。受信機／送信機１６０６は、単一のデータストリームを複数のパラレル・データストリームに分割し、またはその逆の動作を行うこともでき、そうした演算は典型的には様々な多重化方式によって行われる。１つまたは複数の受信機／１つまたは複数の送信機１６０６には、時間および周波数の空間または領域における信号操作を容易にするマルチプレクサ／デマルチプレクサ（ｍｕｘ／ｄｅｍｕｘ）コンポーネント１６０７が機能的に結合される。電子ｍｕｘ／ｄｅｍｕｘコンポーネント１６０７は、時分割多重化（ＴＤＭ）、周波数分割多重化（ＦＤＭ）、直交周波数分割多重化（ＯＦＤＭ）、コード分割多重化（ＣＤＭ）、空間分割多重化（ＳＤＭ）などの様々な多重化方式に従って情報（データ／トラフィック、および制御／シグナリング）を多重化することができる。さらに、ｍｕｘ／ｄｅｍｕｘコンポーネント１６０７は、実質的にあらゆるコード、例えばアダマール−ウォルシュ・コード、ベーカー・コード、カサミ・コード、多相コード等に従って情報（例えばコード）をスクランブルし、広めることができる。変調器／復調器（ｍｏｄ／ｄｅｍｏｄ）コンポーネント１６０８も通信プラットフォーム１６０４の一部であり、周波数変調（例えば周波数偏移変調）、振幅変調（例えばＭが正の整数であるＭ−ａｒｙ直交振幅変調（ＱＡＭ）、振幅偏移変調（ＡＳＫ））、位相偏移変調（ＰＳＫ）などの様々な変調技法に従って情報を変調することができる。実施形態１６００の一態様では、ｍｏｄ／ｄｅｍｏｄコンポーネント１６０８が、ｍｕｘ／ｄｅｍｕｘコンポーネント１６０７に機能的に結合される。
【０１０１】
さらに、１つまたは複数の外部ネットワーク１４０のうちの１つによって実施することができるマクロセル・ネットワーク・プラットフォーム、またはフェムトセル・ネットワーク・プラットフォーム１３０のうちの少なくとも１つを管理するネットワーク・オペレータは、通信プラットフォーム１６０４およびその中のコンポーネントが通信用に活用できる、１組の電磁（ＥＭ）周波数帯域および１組の無線技術を、例えば移動体装置１６０２をプロビジョンする一環として設定することができることを指摘しておく。この１組のＥＭ周波数帯域には、ＥＭスペクトルの、１つまたは複数の無線周波数（ＲＦ）部分および１つまたは複数のマイクロ波部分が含まれ得るが、赤外（ＩＲ）などの他のスペクトル領域も含まれてよい。無線によるアップグレードの一環として、サービス・プロバイダは、この１組のＥＭ周波数帯域に周波数帯域またはその中の周波数搬送波を追加することができるので、そうした帯域または搬送波が、例えば利用するために競売にかけられ、または無料での利用を許可され、通信用に利用できるようになることを指摘しておく。同様に、新たな無線技術が標準化されまたは利用できるようになるとき、ネットワーク・オペレータは、通信に利用可能な１組の技術の無線にそうした技術を取り入れることができる。
【０１０２】
実施形態１６００では、１つまたは複数のプロセッサ１６６５は、直接および逆高速フーリエ変換を実施すること、変調速度を選択すること、データ・パケット形式、パケット間時間等を選択することなど、多重化／逆多重化、変調／復調を行うために、移動体装置１６０２がデータ（例えば記号、ビットまたはチップ）を処理することを少なくとも部分的に可能にする。
【０１０３】
さらに、実施形態１６００では、１つまたは複数のマルチモード・チップセット１６４５は、移動体装置１６０２が様々な無線ネットワーク技術（例えば第２世代（２Ｇ）、第３世代（３Ｇ）、第４世代（４Ｇ））、または異なる技術仕様に基づく深宇宙衛星ベースの通信、またはその無線ネットワーク技術もしくは衛星通信のための標準プロトコルによる、複数の通信モードで動作することを可能にすることができる。一態様では、１つまたは複数のマルチモード・チップセット１６４５は、動作モード、例えばＧＮＳＳベースの通信やＬＴＥベースの通信に固有の標準プロトコルに従って通信プラットフォーム１６０４を利用することができる。別の態様では、１つまたは複数のマルチモード・チップセット１６４５は、様々なモードにおいて（例えばＫ＞１の場合）、またはこの１つもしくは複数のマルチモード・チップセット１６４５が特定の時間間隔にわたって専用モードで動作するマルチタスク・パラダイムのうちで、同時に動作するようにスケジュールすることができる。
【０１０４】
テクノロジ・セレクタ１６２５は、特定の電気通信モードにおける、通信用の１つまたは複数の無線ネットワーク技術を設定することにより、１つまたは複数のマルチモード・チップセット１６４５の動作を駆動することができる。一態様では、１つまたは複数のアプリケーションの記憶部１６７９内に保持されるアプリケーションを実行することによってもたらすことができる、移動体装置１６０２にＧＮＳＳサービスを与える場合、テクノロジ・セレクタ１６２５は、１つまたは複数のマルチモード・チップセット１６４５および通信プラットフォーム１６０４を活用して、ＧＮＳＳのタイミング・メッセージを受信／処理して移動体装置１６０２の位置推定を抽出することができる。ＧＮＳＳのタイミング・メッセージを処理することには、利用可能なまたは「目に見える」衛星の三角測量手順を実施して位置推定を生成することが含まれる。別の態様では、テクノロジ・セレクタ１６２５は、１つもしくは複数の短距離赤外（ＩＲ）無線信号、１つもしくは複数のＲＦ無線信号、または１つもしくは複数のマイクロ波無線信号のうちの少なくとも１つを、通信プラットフォーム１６０４を介して送受信するように移動体装置１６０２の動作を切り替えることができる。そのような動作モードに切り替えるために、テクノロジ・セレクタ１６２５は、フェムトＡＰ、または無線機能を備える装置、例えば移動体装置１６０２付近のモニタ装置１４２０やＰＯＳ装置１４６０のうちの少なくとも１つから、シグナリングを受信することができる。
【０１０５】
移動体装置１６０２は、無線通信を補完しまたは補足する、１つまたは複数の特定の機能を少なくとも部分的に提供する１組のコンポーネント（不図示）を備える機能プラットフォーム１６５５も含む。一例として、移動体装置１６０２が電話機の場合、機能プラットフォーム１６５５には、データ入力インターフェース（例えばタッチ・スクリーン、キーボード、バイオメトリックに基づくアクセスのためのバイオメトリック・パッド、マイクロフォン、ラウドスピーカ）、カメラ、周辺装置コネクタ（例えば、別の装置にデータを転送するためのＵＳＢ（ユニバーサル・シリアルバス）ポートやＩＥＥＥ  １３９４ポート）、音声符号／復号器、１つまたは複数の音声作動コマンドに応答することができる１つまたは複数のインテリジェント・コンポーネントなどの機能要素が含まれ得る。機能プラットフォーム１６５５は、移動体装置１６０２の１つまたは複数の機能を提供するために、例えばメモリ１６７５内の、１つまたは複数のアプリケーションの記憶部１６７９内に保持されるアプリケーションを活用できることを理解すべきである。一態様では、１つまたは複数のアプリケーションの記憶部２１８は、少なくとも１つまたは複数のプロセッサ１６６５によって実行されるとき、ＧＮＳＳベースの位置推定、および地図、ランドマーク、関連業務などの関連データを加入者に橋渡しすることができるアプリケーションを含むこともできる。別の態様では、１つまたは複数のアプリケーションの記憶部２１８は、少なくとも１つまたは複数のプロセッサ１６６５によって実行されるとき、企業フェムト・ネットワーク内のルーティング・プラットフォーム、例えば１１１０から受信する１つまたは複数のナビゲーション指示を処理し、そうした指示を、ディスプレイ・インターフェース１６３５によって実施することができるグラフィック・ユーザ・インターフェース（ＧＵＩ）によって表示可能な、例えば少なくとも元の位置と目的地とを指示する視覚的特徴または聴覚的特徴を伴う平面図形式で供給することができるアプリケーションを含むことができる。さらに別の態様では、１つまたは複数のアプリケーションの記憶部１６７９内のアプリケーションは、受信した１つもしくは複数の広告または１つもしくは複数のクーポンのうちの少なくとも１つを、表示するためにディスプレイ・インターフェース１６３５に供給することもでき、１つまたは複数のプロセッサ１６６５が、そうした１つもしくは複数の広告または１つもしくは複数のクーポンの表示を少なくとも部分的に可能にすることができる。
【０１０６】
移動体装置１６０２の１つもしくは複数の別の実施形態または追加実施形態では、ディスプレイ・インターフェース１６３５は、機能プラットフォーム１６５５の中にあることができ、タッチ応答性スクリーン、または液晶ディスプレイ（ＬＣＤ）、プラズマ・パネル、モノリシック薄膜ベース・エレクトロクロミック・ディスプレイ、サウンド・インターフェースなどの他の方法のうちの少なくとも１つにより、加入者装置の対話のためのジェスチャを可能にする。さらに、ディスプレイ・インターフェース１６３５は、機能プラットフォーム５５５内で入手できる、移動体装置１６０２の機能を制御する１つまたは複数のコンテンツを表示し、または移動体装置１６０２の動作状態を明らかにすることができる。
【０１０７】
移動体装置１６０２は、アクセス・インテリジェンス１６８３、例えばナビゲーション指示、１つもしくは複数の広告または１つもしくは複数のインセンティブのうちの少なくとも１つの受信を規制する１つまたは複数の変数を含む１つまたは複数の設定ファイル、１つまたは複数のアクセス・リスト、１つまたは複数のハンドオーバ・ログ等をメモリ１６７５内に保持することもできる。そうしたアクセス・インテリジェンス１６８３の少なくとも一部は、移動体装置１６０２が収集することができ、または１つもしくは複数のプロビジョニング処置の一環として受信することができる。
【０１０８】
さらに、移動体装置１６０２は、本革新の１つまたは複数の態様に従い、移動体装置１６０２内の実質的にあらゆる、またはあらゆるコンポーネント、プラットフォーム、インターフェース、セレクタ等に機能を少なくとも部分的に与えるように構成されおよび与える、１つまたは複数のプロセッサ１６６５を含む。実施形態１６００では、１つまたは複数のプロセッサ１６６５は、移動体装置１６０２の様々な機能要素（例えばコンポーネント、インターフェース、プラットフォーム、セレクタ）の外部にあるものとして図示するが、１つまたは複数のプロセッサ１６６５は、そうした様々な機能要素間に分散させることができる。１つまたは複数のプロセッサ１６６５は、メモリ・バス、システム・バス、アドレス・バス、または１つもしくは複数の参照リンク、または１つもしくは複数の参照インターフェースのうちの少なくとも１つによって実施することができるバス１６８３により、各機能要素およびメモリ１６７５に機能的に結合される。１つまたは複数のプロセッサ１６６５は、機能を少なくとも部分的に動作させかつ／または通信プラットフォーム１６０４、取引コンポーネント１６１５、テクノロジ・セレクタ１６２５、ディスプレイ・インターフェース１６３５、１つまたは複数のマルチモード・チップセット１６４５、機能プラットフォーム１６５５およびその中の１つまたは複数のコンポーネント、ならびにマルチモード移動体装置１６０４の他の動作上のコンポーネント（不図示）に与えるために必要な情報をメモリ１６７５内に記憶し、そこから情報を取得することができる。この情報は、コード命令、１つまたは複数のコード構造、データ構造等のうちの少なくとも１つを含むことができる。
【０１０９】
メモリ１６７５は、１つまたは複数のアプリケーション記憶部１６７９内に、データ構造（例えばオブジェクト、クラス、メタデータ）、１つまたは複数のコード構造（例えばモジュール、手順）もしくは命令、または本革新の諸態様に従い、移動体装置１６０２内の実質的にあらゆる、またはあらゆるコンポーネント、プラットフォーム、インターフェース、セレクタ等に関連する機能を与えるために１つまたは複数のプロセッサ１６６５が実行可能な実質的にあらゆる種類のソフトウェアまたはファームウェア、のうちの少なくとも１つを少なくとも部分的に保持することができる。さらに、メモリ１６７５は、１つもしくは複数のクーポンまたは１つもしくは複数の他のデジタル・インセンティブ、またはその可用性についてのインジケータを保持することができるクーポン記憶部１６７７を含むことができる。１つもしくは複数のクーポンまたは１つもしくは複数のインセンティブは、１つもしくは複数のクーポンまたは１つもしくは複数のインセンティブを受信可能であることを指示する、オプトイン・フラグまたは変数が論理値を有する場合、例えば「ｃｏｕｐｏｎ．ｒｅｃｅｉｖｅ＝ＴＲＵＥ」に受信することができる。一態様では、このオプトイン・フラグまたは変数は、アクセス・インテリジェンス１６８３またはデータ・キャッシュ１６８１内に保持される設定ファイル（不図示）内のエントリとすることができる。同様に、広告のオプトイン・フラグまたは変数、例えば「ａｄｓ．ｒｅｃｅｉｖｅ」は、移動体装置１６０２が広告を受信できるかどうかを決定することができ、そのようなオプトイン・フラグも、アクセス・インテリジェンス１６８３またはデータ・キャッシュ１６８１内に記憶される設定ファイル内に保持することができる。受信する１つまたは複数の広告はデータ・キャッシュ１６８１も保持することができ、データ・キャッシュ１６８１は、例えばスケジュール・ベース、または企業フェムト・ネットワークからマクロセル・カバレッジへのハンドオーバなどのイベント・ベースのうちの少なくとも１つに基づいて、取引コンポーネント１６１５がフラッシュできることを指摘しておく。
【０１１０】
さらに、メモリ１６７５は、１つまたは複数の符号化パイロット信号（例えば１つまたは複数の符号化サウンディング基準信号）、１つまたは複数の通信プロトコルや１つまたは複数の技術仕様、スクランブリングまたは伝搬用のコード系列、ブラインド復号仮説、半永続スケジューリング・パラメータ、周波数オフセット、マクロセル識別子（ＩＤ）、１つまたは複数のアドレス帳などの、ネットワーク情報または装置情報（不図示）を保持することができる。さらに、メモリ１６７５は、マルチメディア・ファイルや加入者生成データ、セキュリティ資格証明（例えばパスワード、暗号鍵、デジタル証明書や、音声記録、虹彩模様、指紋などのバイオメトリック鍵）、国際移動体加入者識別（ＩＭＳＩ）、一時的移動体加入者識別（ＴＭＳＩ）、パケットＴＭＳＩ（Ｐ−ＴＭＳＩ）、国際移動体装置識別子（ＩＭＥＩ）、移動体加入者番号（ＭＤＮ）、移動体識別番号（ＭＩＮ）、電気通信工業会（ＴＩＡ）電子シリアル番号（ＥＳＮ）、または移動体識別番号（ＭＥＩＤ）などのマルチビット識別番号のうちの少なくとも１つなどのハードウェア識別トークンもしくはコードなどの、１つまたは複数のコンテンツを保持することができる。メモリ１６７５は、固定式要素、または加入者識別モジュール（ＳＩＭ）カード記憶部、汎用集積回路カード（ＵＩＣＣ）記憶部、取外し可能ユーザ識別モジュール（ＲＵＩＭ）などの取外し可能要素を含むことができることを指摘しておく。
【０１１１】
移動体装置１６０２は、移動体装置１６０２内のコンポーネントまたは機能要素に電源投入することができる電源供給部１６８５も含む。電源供給部１６８５は、充電式の電源供給部、例えば充電式バッテリとすることができ、移動体装置１６０２ならびにその中のコンポーネント、機能要素、および関連回路を動作させることができる１つまたは複数の電力レベルを実現するための、１つまたは複数の変圧器を含むことができる。一態様では、電源供給部１６８５は、充電し、移動体装置１６０２が動作できることを確実にするために従来の電力網に接続することができ、電源供給部１６８５は、従来の電力網に稼動上接続するためのＩ／Ｏインターフェース（不図示）を含むことができる。さらに、電源供給部１６８５は、さらなるまたは代替的な電源もしくは自律性を移動体装置１６０２に与えるために、ソーラーパネルなどのエネルギ変換コンポーネント（不図示）を含むことができる。
【０１１２】
上記に記載したシステムの例に照らし、図１７〜図３３の流れ図を参照して、本開示の主題に従って実施することができる方法の例をよりよく理解することができる。説明を簡単にするために、本明細書で開示する方法の例を一連の動作として示し、説明するが、一部の動作は別の順序でおよび／または本明細書に示し説明する順序の他の動作と同時に行うことができるので、特許請求の範囲に記載の主題は、その動作の順序によって限定されないことを理解し、認識すべきである。例えば、本明細書に開示する１つまたは複数の方法の例は、状態図においてなど、互いに関係する一連の状態またはイベントとして代替的にまたは追加的に表すことができる。さらに、別のエンティティがこの方法体系の別の部分を行うとき、開示する主題による方法を１つまたは複数の相互作用図が表すことができる。さらに、本明細書による方法の記載例を実施するために、図示するすべての動作を必要としなくてもよい。さらに、本明細書に記載する１つまたは複数の特徴もしくは利点を実現するために、開示する方法の例の２つ以上を互いに組み合わせて実施することができる。本明細書の全体にわたって開示する方法の例は、そうした方法体系を実行するためにコンピュータに搬送／転送し、よってプロセッサが実施しまたはメモリ内に記憶することを容易にするために、製品上に記憶できることをさらに理解すべきである。
【０１１３】
図１７は、本明細書に開示する諸態様による、フェムト・メッシュ・ネットワーク内で通信するための方法の一例１７００の流れ図を示す。ルーティング・プラットフォームまたはその中の１つもしくは複数のコンポーネントが、この方法の一例１７００を行いまたは実施することができる。あるいは、またはそれに加え、ルーティング・プラットフォームの機能の少なくとも一部を与える１つまたは複数のプロセッサが、この方法の一例１７００を行うことができる。動作１７１０で、第１の装置と第２の装置との間で少なくとも部分的に呼セッションを確立する。この第１の装置または第２の装置のうちの少なくとも１つは、企業フェムト・ネットワークを介して通信する。一態様では、この第１の装置または第２の装置を１つもしくは複数の移動体装置とすることができるが、第１の装置または第２の装置のいずれも、プリンタ、デジタル・ビデオ・レコーダ（ＤＶＲ）ボックス、ＩＰＴＶチューナ、冷蔵庫などの無線機能を備える固定式装置とすることができる。別の態様では、呼セッションは、プッシュツートーク・セッション、および第１の装置または第２の装置のいずれかが顧客サポートを可能にする機器であるイントラネットワーク支援セッション、またはインターネットワーク通信とすることができる。動作１７２０で、この呼セッションを少なくとも部分的に行い、第１の装置と第２の装置との間のトラフィックまたはシグナリングのうちの少なくとも１つの少なくとも一部が、この企業フェムト・ネットワーク内でルーティングされる。動作１７３０で、この呼セッションを終了する。終了には、第１の装置と第２の装置との間の通信を少なくとも部分的に可能にした、１つまたは複数のフェムトＡＰ内で割り当てられた無線リソースを解放することが含まれ得る。さらに、論理アドレスなどの１つまたは複数のルーティング経路設定を再割り当てし、無線ベアラおよび１つまたは複数のパケット・データ・プロトコル（ＰＤＰ）コンテキストを非活動化することも、呼セッションを終了することに含まれ得る。さらに、呼セッションを終了することの一環として、データ・バッファまたはキャッシュをフラッシュすることができる。動作１７４０で、第１の装置および第２の装置、または企業フェムト・ネットワーク内でルーティングされる第１の装置と第２の装置との間のトラフィックもしくはシグナリングの一部のうちの少なくとも１つに少なくとも部分的に基づいて、呼セッションに対する課金料金を課す。課金料金は、第１の装置および第２の装置にそれぞれ関連する顧客セグメント、または企業フェムト・ネットワークを利用することに関係する１つもしくは複数のプロモーション・キャンペーンのうちの少なくとも１つに少なくとも部分的に基づいて課すこともできる。
【０１１４】
図１８は、本明細書に記載の諸態様による、フェムト・メッシュ・ネットワーク内でコンテンツを送るための方法の一例１８００の流れ図を示す。ルーティング・プラットフォームまたはその中の１つもしくは複数のコンポーネントが、この方法の一例１８００を行いまたは実施することができる。あるいは、またはそれに加え、ルーティング・プラットフォームの機能の少なくとも一部を与える少なくとも１つまたは複数のプロセッサが、この方法の一例１８００を行うことができる。動作１８１０で、メッシュ・フェムト・ネットワーク内のフェムトＡＰに装置が接続しようと試みることについての指示を受信する。動作１８２０で、そのフェムトＡＰにアクセスすることをその装置が許可されているかどうかを判定する。許可されていない場合、この方法の例は終了する。逆に、動作１８３０で、バッファ済みコンテンツをそのフェムトＡＰにプッシュする。このコンテンツは、その装置に送るために設定され、例として、このコンテンツは、１つまたは複数のソング・アルバム、ゲーム、本、出版された記事の１つまたは複数の集まり、映画など、無線でダウンロードするにはリソースを多く必要とする場合がある１組の１つまたは複数のデジタル・アイテムとすることができる。コンテンツは、１つまたは複数のコンテンツの販売時にこのフェムト・メッシュ・ネットワークを運営するネットワーク・オペレータにより、装置に送るためにタグ付けされ得る。
【０１１５】
図１９は、本明細書に記載の諸態様による、フェムト・ネットワーク内で動作する移動体装置の位置を突き止めるための方法の一例１９００の流れ図である。ルーティング・プラットフォーム内の１つまたは複数のネットワーク・コンポーネントが、この方法の一例１９００を行いまたは実施することができる。あるいは、またはそれに加え、ルーティング・プラットフォームの機能の少なくとも一部を与える少なくとも１つまたは複数のプロセッサが、この方法の一例１９００を行うことができる。動作１９１０で、１組のフェムトＡＰにタイミング設定を供給する。タイミング設定は、例えばタイミング・コンポーネント（例えばコンポーネント４０７）によって選択される１組のクロック源、またはＧＮＳＳ受信機（例えば受信機７２０）を介して生成される１つもしくは複数のタイミング・メッセージのうちの少なくとも１つに基づくことができる。動作１９２０で、移動体装置に関連する共通の基盤に立った真実（ｃｏｍｍｏｎ  ｇｒｏｕｎｄ  ｔｒｕｔｈ）を得るために、１組のフェムトＡＰからのタイミング・データまたは伝搬タイミング・データを収集する。動作１９３０で、その収集したタイミング情報またはタイミング・データに少なくとも部分的に基づいて、移動体装置の位置推定を生成する。動作１９４０で、その生成した移動体装置の位置推定を保持する。動作１９５０で、その位置推定を伝える。
【０１１６】
図２０は、本明細書に記載の諸態様による、エンティティの位置を特定するための方法の一例２０００の流れ図を示す。ルーティング・プラットフォーム内の１つまたは複数のネットワーク・コンポーネントが、この方法の一例２０００を行いまたは実施することができる。あるいは、またはそれに加え、ルーティング・プラットフォームの機能の少なくとも一部を与える少なくとも１つまたは複数のプロセッサが、この方法の一例２０００を行うことができる。動作２０１０で、１つまたは複数の無線機能を備える機器に空間的に結び付くエンティティの位置推定を三角測量する。そのエンティティが機器に空間的に結び付くかどうかを判定するための基準は、この方法の一例を行うことができる１つまたは複数のネットワークが規定することができる。動作２０２０で、そのエンティティの位置推定を記録する。動作２０３０で、そのエンティティの位置推定を、そのエンティティに関係する加入者に関連する移動体装置に伝える。この位置推定は、ショート・メッセージ・サービス（ＳＭＳ）通信、非構造付加サービス・データ（ＵＳＳＤ）メッセージのうちの少なくとも１つとして、または移動体装置の中で実行されるナビゲーション・アプリケーションもしくは位置サービス・アプリケーションの一部として送ることができる。
【０１１７】
図２１は、本明細書に記載の諸態様による、選択した１つまたは複数の移動体装置の位置推定を追跡するための方法の一例２１００の流れ図を示す。ルーティング・プラットフォームまたはその中の１つもしくは複数のコンポーネントが、この方法の一例２１００を行いまたは実施することができる。あるいは、またはそれに加え、ルーティング・プラットフォームの機能の少なくとも一部を与える少なくとも１つまたは複数のプロセッサが、この方法の一例２１００を行うことができる。一態様では、この方法の一例は、通信傍受法（ＣＡＬＥＡ）に関連する情報配信のための機構の一部とすることができる。動作２１１０で、１つまたは複数の移動体装置のブラックリストを受信する。一例として、その１つまたは複数の移動体装置は、脱走者である個人に取り付けられる、無線機能を備える足枷とすることができる。別の例として、移動体装置は、企業フェムト・ネットワークのカバレッジ・エリアにアクセスすることを禁止された人物のユーザ機器とすることができる。さらなる例として、１つまたは複数の移動体装置は、企業フェムト・ネットワークのカバレッジ・エリア内での人質事件における、１人または複数の攻撃者に関連する加入者局とすることができる。動作２１２０で、企業フェムト・ネットワークの一部であるフェムトＡＰに、ブラックリストに載せられた装置が接続しようとする試みを記録する。試みられる接続は、ブラックリストに載せられた装置がアイドルモードにある間に１つまたは複数のパイロット信号を伝送すること、およびその１つまたは複数のパイロット信号をフェムトＡＰが検知することの一部とすることができる。動作２１３０で、その記録を保持し、１つまたは複数の当局に伝える。一態様では、この１つまたは複数の当局は、１つもしくは複数の法執行機関または１組の緊急時第一応答者（例えば救急医療隊員、警察官、特殊攻撃部隊（ＳＷＡＴ）団）のうちの少なくとも１つとすることができる。
【０１１８】
動作２１４０で、ブラックリストに載せられた装置のこの企業フェムト・ネットワーク内での位置を生成する。一態様では、位置推定を生成することは、主題の方法の一例１０００に従って進めることができる。動作２１５０で、ブラックリストに載せられた装置の位置推定を送る。一例として、位置は、警官または第一緊急時応答者の業務装備または業務機器の一部である、１つまたは複数の着用可能装置、例えばヘルメット搭載型ディスプレイに送ることができる。別の例として、１つまたは複数の当局に関係する運用管理センタに位置推定を提供することができる。動作２１６０で、位置の追跡を続行すべきかどうかを判定する。位置を追跡することの続行を判定するために、様々な基準を使用することができる。続行する場合、流れは動作２１４０に導かれる。逆に、この方法の一例を終了する。
【０１１９】
図２２は、本明細書に記載の諸態様による、アイテムを移動体装置に関連させるための方法の一例２２００の流れ図である。この方法の一例は、フェムトＡＰまたはルーティング・プラットフォームのうちの少なくとも１つによって行うことができる。一態様では、フェムトＡＰまたはルーティング・プラットフォームに機能を与える１つもしくは複数のプロセッサが、この方法の一例を少なくとも部分的に実施することができる。動作２２１０で、１つまたは複数のアイテムのリストを受信する。動作２２２０で、その１つまたは複数のアイテムのリスト内のアイテムに結び付けられるＲＦＩＤタグの位置を三角測量する。この位置の三角測量は、所定の設定可能なタイミング・アドバンス、またはＧＮＳＳ受信機によって受信するタイミング情報のうちの少なくとも１つに基づくＴＯＦ測定によって行うことができる。動作２２３０で、三角測量によって抽出した位置を、ＲＦＩＤタグによってラベル付けされたアイテムにマップする。動作２２４０で、マップしたＲＦＩＤタグの位置を、受信した１つまたは複数のアイテムのリストに関連する移動体装置に伝え、例えばその移動体装置は、リストを生成した加入者に結び付く可能性がある。一態様では、そのリストを中継するフェムト・ネットワーク・プラットフォーム、またはフェムト・ネットワーク・プラットフォームの外部のネットワークは加入者情報を活用して、１つまたは複数のアイテムのリストを生成することを可能にするサービスまたはアプリケーションにアクセスするために加入者が使用する資格証明、例えば１つまたは複数のパスワードや、１つまたは複数のパスキーに、移動体装置の一意識別子を結び付けることができる。動作２２５０で、マップしたＲＦＩＤタグのコンテンツを移動体装置に送る。コンテンツを送ることは、そのコンテンツを送る前に調節することを含むことができ、そうした調節は、ＲＦＩＤタグによってラベル付けされるそのアイテムの価格付けなど、コンテンツの特長をカスタマイズできるようにすることができる。
【０１２０】
図２３は、本明細書に記載の諸態様による、装置を第１の位置から目的地にナビゲートするための方法の一例２３００の流れ図である。ルーティング・プラットフォームまたはその中の１つもしくは複数のコンポーネントが、この方法の一例２３００を行いまたは実施することができる。あるいは、またはそれに加え、そのルーティング・プラットフォームの機能の少なくとも一部を与える１つまたは複数のプロセッサが、この方法の一例２３００を行うことができる。動作２３１０で、フェムト企業ネットワーク（例えば図１および図２Ａ〜図２Ｂ参照）内の第１のフェムトＡＰに、サービス・プロバイダまたは見込み顧客のうちの少なくとも１つに結び付く装置が接続しようと試みることについての指示を受信する。動作２３２０で、その装置がブラックリストに載せられた装置かどうかを評価する。ブラックリストに載っている場合、動作２３３０で例外処理を実施する。逆に、動作２３４０で、フェムト企業ネットワーク内の１組のフェムトＡＰに関連する１つまたは複数のアクセス・リスト内にその装置を含める。動作２３５０で、サービス・イベントまたは商業取引のうちの少なくとも１つに関係する目的地タスクを受信する。サービス・イベントは、荷物または他の種類の商品の配達、保守または修理のためのアイテムの受取り、機器、例えばコピー印刷機の修理などのオンサイト・サービスの提供、または１つもしくは複数の教材を含むことができるプレゼンテーションを行うこと等のうちの少なくとも１つとすることができる。見込まれる取引は、販売用製品、例えば本、ＤＶＤ、ＣＤやブルーレイディスク、ディスプレイ・モニタ、デスクトップ・コンピュータ、テレビセット等の位置を含むことができる。動作２３６０で、装置を第１の位置から、目的地タスクから抽出した目的地にナビゲートする。第１の位置から目的地にナビゲートすることは、ナビゲーション指示またはナビゲーション・マップのうちの少なくとも１つを送ることを含むことができ、ナビゲーション指示は、静的にまたはストリーム方式で、およびＳＭＳ通信、ＭＭＳ通信、ＵＳＳＤメッセージ、ＩＭ通信、または電子メール・メッセージのうちの少なくとも１つによって伝えることができる。さらに、ナビゲートすることは、システムの一例９００に関連して論じたように、ＲＦＩＤ技術により、１つまたは複数のオブジェクトおよびその位置を特定することを含むことができる。
【０１２１】
図２４は、本明細書に記載の諸態様による、カスタム・プロモーション・コンテンツを供給するための方法の一例２４００の流れ図であり、そのプロモーション・コンテンツには、１つもしくは複数の金銭的インセンティブまたは１つもしくは複数のクーポン、または広告のうちの少なくとも１つが含まれ得る。ルーティング・プラットフォームや商業コンポーネント１１４０などの１つまたは複数のネットワーク・コンポーネント、またはその中の１つもしくは複数のコンポーネントが、この方法の一例２４００を実施することができる。あるいは、またはそれに加えて、ルーティング・プラットフォームの機能の少なくとも一部を与える１つまたは複数のプロセッサが、この方法の一例２４００を実施することができる。動作２４１０で、メッシュ・フェムト・ネットワークまたは企業フェムト・ネットワーク内のフェムトＡＰに移動体装置が接続しようと試みることについての指示を受信する。動作２４２０で、メッシュ・フェムト・ネットワーク内の１組のフェムトＡＰに関連する１つまたは複数のアクセス・リスト内にその移動体装置を含める。一態様では、この方法の一例を少なくとも部分的に行うことができる、ルーティング・プラットフォーム内のアクセス・リスト管理コンポーネントが、この１つまたは複数のアクセス・リストを設定し、もしくはデータ投入することができる。動作２４３０で、移動体装置の位置を特定する。位置を特定することは、本明細書に記載の方法の一例１９００に少なくとも部分的に従って進めることができる。動作２４４０で、特定した位置、またはその移動体装置に結び付けられる商業プロファイルのうちの少なくとも１つに従って少なくとも部分的にカスタマイズされたコンテンツを移動体装置に送る。
【０１２２】
図２５は、本明細書に記載の諸態様による、企業フェムト・ネットワークを少なくとも部分的に介して商業取引を行うための方法の一例２５００の流れ図である。商業コンポーネントまたはその中の１つもしくは複数のコンポーネントが、この方法の一例２５００を行いまたは実施することができる。あるいは、またはそれに加え、ルーティング・プラットフォームの機能の少なくとも一部を与える１つまたは複数のプロセッサが、この方法の一例２５００を行うことができる。動作２５１０で、企業内に展開されるメッシュ・フェムト・ネットワーク内のフェムトＡＰに接続する移動体装置の一意識別子が受信される。動作２５２０で、その移動体装置の一意識別子に関連する商業プロファイルを取得する。動作２５３０で、その移動体装置によって少なくとも部分的に行われる取引を特定する。動作２５４０で、その取引に対する料金を、取得した商業プロファイルおよびその中の情報に少なくとも部分的に基づいて、その移動体装置に結び付くサービス・アカウントに課す。料金を課すことは、移動体装置に関連する、発生した金銭的インセンティブまたは１つもしくは複数のクーポンを会計することを含む。
【０１２３】
図２６は、本明細書に記載の諸態様による、企業フェムト・ネットワーク内の広告によりビジネス・インテリジェンスを策定する方法の一例２６００の流れ図を示す。商業コンポーネント１１４０や、ルーティング・プラットフォーム１１１０などの１つまたは複数のネットワーク・コンポーネントが、この方法の一例２６００を行うことができる。一態様では、このネットワーク・コンポーネントに機能を与える少なくとも１つまたは複数のプロセッサが、この方法の一例２６００を少なくとも部分的に実施することができる。動作２６１０で、１つまたは複数の広告にさらされることに関する１つまたは複数のサービス単位の商取引を設定する。設定は、１つまたは複数の広告の種類に関する、１つまたは複数のサービス単位の交換比率を含むことができる。例えば、ダイレクト・レスポンス広告は、ブランドの浸透または製品の市場獲得のために行う広告よりも大量の取引されるサービス単位をもたらすことができる。動作２６２０で、呈示される１つまたは複数の広告に対する応答をモニタする。一態様では、モニタリングは、呈示される１つまたは複数の広告に直接関係する取引情報を収集することによって実現することができる。動作２６３０で、呈示される１つもしくは複数の広告、または設定した商取引のうちの少なくとも１つに少なくとも部分的に基づいて、１つまたは複数のサービス単位を供給する。１つまたは複数のサービス単位は、１つもしくは複数の広告にさらされる加入者に関連するサービス・アカウントに与えることができ、または１つもしくは複数の広告に少なくとも部分的に関係する商業取引を行うとき、クーポンまたは割引券として履行することができる。
【０１２４】
動作２６４０で、呈示される１つまたは複数の広告に対する応答に少なくとも部分的に基づくサービス・インテリジェンスを収集する。動作２６５０で、その収集したサービス・インテリジェンスに少なくとも部分的に従って、１つまたは複数のサービス単位に関連する１つまたは複数のサービスを調節する。例えば、特定のクラスの１つまたは複数の広告および関係する１つまたは複数の第１の種類のサービス単位、例えば１つまたは複数のテキスト・メッセージ、１つまたは複数の呼出し音、１つまたは複数の歌に関連するアクションの割合が、１つまたは複数の第２の種類のサービス単位、例えば株式取引の例に結び付けられる場合の、その特定のクラスの１つまたは複数の広告が引き起こすアクションと比べて高い場合、サービス・プロバイダは、１つまたは複数の第１の種類のサービス単位に少なくとも部分的に基づいてサービスまたは製品を生成することができる。動作２６６０で、設定した商取引に少なくとも部分的に従って１組の広告主との収益の分配を算定する。広告主は、企業フェムト・ネットワークを運営するネットワーク・オペレータにとって内部的もしくは外部的、またはその組合せとすることができる。一例では、内部的な広告主は、１つまたは複数の新製品を開発し、または加入者の商業的行動を調査する営業部もしくはその一部とすることができる。別の例では、外部的な広告主には、ネットワーク・オペレータの得意先、販売業者、または提携先が含まれ得る。
【０１２５】
図２７は、本明細書に記載の諸態様による、企業フェムト・ネットワーク内で商業取引を行うための方法の一例２７００の流れ図を示す。商業コンポーネント１１４０やルーティング・プラットフォーム１１１０などの１つまたは複数のネットワーク・コンポーネントが、この方法の一例２７００を行うことができる。一態様では、このネットワーク・コンポーネントに機能を与える少なくとも１つまたは複数のプロセッサが、この方法の一例２７００を少なくとも部分的に実施することができる。動作２７１０で、企業内の販売場所（ＰＯＳ）に関連する消費可能製品などの製品の注文を、その企業内のＰＯＳの位置に対して遠隔地に位置する発信元装置から受信する。あるいは、またはそれに加え、一態様では、その発信元装置はそのＰＯＳの位置の範囲内に位置することができる。製品には、この方法の一例に従って取引することができる消費可能製品または１つもしくは複数のサービスが含まれる。このＰＯＳは、第１のカバレッジ・エリア、例えば２０５１の少なくとも一部分とすることができ、装置は、第２のカバレッジ・エリア、例えば２０５Ｐ内に位置することができる。例として、このＰＯＳは、コーヒー店、レストラン、衣料品小売店などの小売店とすることができる。動作２７２０で、その注文を、企業内のＰＯＳに無線サービスを提供するフェムトＡＰにルーティングする。一態様では、フェムトＡＰは、ＰＯＳ内で処理を行うためにＰＯＳ内で動作する、注文追跡端末または注文追跡装置にこの注文を伝えることができる。動作２７３０で、その発信元装置またはその発信元装置に結び付く移動体装置を、企業内のＰＯＳに無線サービスを提供するフェムトＡＰを介したサービスへのアクセス権を規制するアクセス・リスト内に含めることができる。
【０１２６】
動作２７４０で、取引証明を受信したかどうかを検証する。検証は、実質的に注文が完了した時点で開始することができる、所定の設定可能な期間にわたるモニタリング・サイクルの一部として実施することができる。取引証明を受信していない場合、動作２７７０で、例外処理を実施する。例外処理には、ホットラインにされた消費者として発信元装置に結び付けられる加入者を分類すること、受信した注文を少なくとも部分的に操作する注文システムの加入者のアクセス特権の少なくとも一部を取り消すこと等のうちの少なくとも１つが含まれ得る。逆に、動作２７５０で、その製品、発信元装置もしくはその発信元装置に結び付く移動体装置、またはそれらの装置に関連する商業プロファイルのうちの少なくとも１つに少なくとも部分的に基づいて課金料金を課す。動作２７６０で、この取引を記録する。
【０１２７】
図２８は、本明細書に記載の諸態様による、１つまたは複数のプロモーション・コンテンツを消費するための方法の一例２８００の流れ図を示す。１つまたは複数のプロモーション・コンテンツには、広告または１つもしくは複数のクーポンなどの１つまたは複数のインセンティブが含まれ得る。移動体装置が、この方法の一例２８００を行うことができる。一態様では、その移動体装置に機能を与える少なくとも１つまたは複数のプロセッサが、この方法の一例２８００を少なくとも部分的に実施することができる。動作２８１０で、企業ネットワーク内のフェムトＡＰへの接続を行う。例えばこのフェムトＡＰは、企業フェムト・ネットワークのカバレッジ・エリアへの侵入点の入口を少なくとも部分的にカバーするアクセスポイントとすることができる（図９参照）。動作２８２０で、１つまたは複数のプロモーション・コンテンツの配信について選択するためのプロンプトを受信する。一態様では、このプロンプトは、ＳＭＳ通信、ＭＭＳ通信、ＵＳＳＤメッセージ、電子メール・メッセージ、またはＩＭメッセージのうちの少なくとも１つによって実施することができる。動作２８３０で、その受信したプロンプトに対する応答を行う。受信したプロンプトに応答することは、所定量の１つまたは複数のプロモーション・コンテンツ、例えばクーポンや金銭的インセンティブを受信するコストに対する、その所定量の１つまたは複数のプロモーション・コンテンツを受信することによる金銭上の利益を判断するために費用効果分析を行うことを含むことができる。そのコストには、この方法の一例を行う移動体装置のバッテリの消耗や充電の消費水準が含まれ得る。動作２８４０で、１つまたは複数のプロモーション・コンテンツを受信することが選択されているかどうかを判定する。そのような判定は、変数、論理もしくはその他の方法、またはこの方法の一例を行う移動体装置のメモリ内に保持される設定ファイル内のエントリのうちの少なくとも１つによって可能にすることができる。動作２８５０で、１つまたは複数のプロモーション・コンテンツを受信し、この１つまたは複数のプロモーション・コンテンツは、商業プロファイルまたは企業フェムト・ネットワーク内の位置のうちの少なくとも１つに少なくとも部分的に基づいてカスタマイズされる。
【０１２８】
図２９は、本明細書に記載の諸態様による、企業フェムト・ネットワーク内の目的地に到達するための方法の一例２９００の流れ図を示す。移動体装置が、この方法の一例２９００を行うことができる。一態様では、その移動体装置に機能を与える少なくとも１つまたは複数のプロセッサが、この方法の一例２９００を少なくとも部分的に実施することができる。別の態様では、方法の一例２９００は、この方法の一例を行う移動体装置またはその中のプロセッサによって実行される専用ナビゲーション・アプリケーションの一部として実施することができる。この方法の一例２９００は、シームレスな屋外−屋内ナビゲーションを可能にすることができることを指摘しておく。動作２９１０で、企業フェムト・ネットワーク内のフェムトＡＰへの接続を行う。例えばこのフェムトＡＰは、企業フェムト・ネットワークのカバレッジ・エリアへの侵入点を少なくとも部分的にカバーするアクセスポイントとすることができる（図９参照）。動作２９２０で、意図する目的地を含む目的地タスクを伝え、この意図する目的地は企業フェムト・ネットワーク内の位置である。目的地タスクは、意図する目的地に関連する参照アイテムのラベルまたは識別子も含むことができ、その識別子には、統一商品コード（ＵＰＣ）、国際標準図書番号（ＩＳＢＮ）、在庫商品識別番号（ＳＫＵ）等が含まれ得る。例えば、意図する目的地が、フェムト企業ネットワークが展開される本屋の中の位置である場合、この識別子は調達される本のＩＳＢＮとすることができる。目的地タスクを送ることは、アイテムを意図する目的地に送ることの一部とすることができる。あるいは、またはそれに加え、目的地タスクを送ることは、企業フェムト・ネットワークが展開される事業所構内の特定のアイテムを探索することの一部とすることができ、例えば、その目的地タスクは、スーパーマーケット店、本屋、楽器屋、学校図書館、公共図書館等の特定のセクションとすることができる。さらに、目的地タスクを送ることは、就職の面接、特定の位置でのセミナーや販売プレゼンテーションなど、スケジュールされたミーティングの一部とすることができる。さらに、目的地タスクは、「ブラインド・デート」や、レストラン、本屋、娯楽地内の特定のパーティを識別することなど、社会的交流の一部として送ることができる。
【０１２９】
動作２９３０で、意図する目的地へのナビゲーション指示を受信する。指示は、静的方法、または（特にフェムト企業ネットワークが配置される会場内での特定のパーティなど、移動する目的地では）ストリーミング方式のうちの少なくとも１つによって受信することができる。動作２９４０で、意図する目的地に到達したという指示を伝える。この指示は、意図する目的地を包含するエリアをサービスするフェムトＡＰへのＵＳＳＤコード、ＳＭＳ通信、ＭＭＳ通信、電子メール通信などの、高レベル・シグナリングによって実施することができる。あるいは、またはそれに加え、この指示は、帯域内管理パケット内や、制御チャネル内の１つまたは複数のフレーム内で送られる１組の１つもしくは複数のビットなどの、低レベル・シグナリングによって実施することができる。
【０１３０】
図３０は、本明細書に記載の諸態様による、企業フェムト・ネットワーク内で商業取引を行うための方法の一例３０００の流れ図を示す。無線機能を備える１つまたは複数の無線装置もしくは係留装置が、この方法の一例３０００を行うことができる。一態様では、その１つまたは複数の装置に機能を与える少なくとも１つもしくは複数のプロセッサが、この方法の一例３０００を少なくとも部分的に実施することができる。動作３０１０で、ルーティング・プラットフォーム（例えばルーティング・プラットフォーム１１１０）への接続が活動状態にあるかどうかを確かめ、そのルーティング・プラットフォームは、企業フェムト・ネットワークのネットワーク・コンポーネントである。活動状態にある場合、動作３０２０で、製品の注文を、そのルーティング・プラットフォームへの活動状態にある接続によって伝える。一態様では、無線機能を備える装置によって実行されるアプリケーションが、その注文を伝えることを少なくとも部分的に可能にすることができる。動作３０３０で、その注文を移動体装置に結び付け、流れは動作３０７０に導かれる。移動体装置に結び付けることは、製品の注文を伝えることの一部として達成することができる。逆に、ルーティング・プラットフォームへの接続が活動状態にない場合、動作３０４０で、企業フェムト・ネットワーク内のフェムトＡＰへの接続を行う。動作３０６０で、そのフェムトＡＰを介して製品の注文を伝える。動作３０７０で、注文された製品に結び付く商業取引、例えば購入を引き起こすシグナリングを送る。
【０１３１】
この方法の一例３０００に関連するトラフィック、例えばデータおよびシグナリングは、インターネットなどの公的広域ネットワークとは対照的に、私設ネットワーク、例えばフェムト企業ネットワーク内で伝達されることを指摘しておく。したがって、上記で論じたように、この方法の一例３０００を行うことに結び付くトラフィックおよびシグナリングは、無料で生じることができ、ＷＡＮまたは外部ネットワークに関連する帯域幅などの通信リソースの利用を減らすことができる。
【０１３２】
図３１は、本明細書に記載の諸態様による、フェムト企業ネットワーク内のカバレッジ・エリア内で移動体装置をハンドオフするための方法の一例３１００の流れ図である。この方法の一例は、フェムトＡＰまたはルーティング・プラットフォームのうちの少なくとも１つによって行うことができる。一態様では、そのフェムトＡＰまたはルーティング・プラットフォームに機能を与える少なくとも１つもしくは複数のプロセッサが、この方法の一例３１００を少なくとも部分的に実施することができる。動作３１１０で、チャネル品質が閾値以下かどうかを評価する。チャネル品質には、ＦＬ信号およびＲＬ信号の強度が含まれ得る。閾値以下ではない場合、評価を再び実行する。閾値以下である場合、流れは動作３１２０に導かれ、動作３１２０では、ＲＦ境界に達しているかどうかを確かめる。達していないという結果は、流れを動作３１１０に導くことをもたらす。逆に、達しているという結果は、動作３１３０でハンドオーバ要求を伝えることをもたらす。このＲＦ境界は設定可能とし、フェムト企業ネットワークのスケジュールまたは１つもしくは複数の動作状態のうちの少なくとも１つに少なくとも部分的に従って規定することができ、１つまたは複数の動作状態には、サービスされる移動体装置の数などのネットワーク負荷、他のフェムトの干渉、利用可能な帯域幅、またはチャネル品質のうちの少なくとも１つが含まれ得る。動作３１４０で、目標のフェムトＡＰに接続することを規制したアクセス・リストに少なくとも部分的に基づいてその目標のフェムトＡＰにＨＯする指示を受信する。
【０１３３】
図３２は、本明細書に記載の諸態様による、フェムト企業ネットワーク内のフェムト・アクセスポイントに無線装置が接続することを、ルーティング・プラットフォームに信号で伝えるための方法の一例３２００の流れ図を示す。本明細書に記載するフェムト企業ネットワーク内のルーティング・プラットフォーム（例えば１１０や５１０）に機能的につながるフェムトＡＰ（例えばフェムト１０４３）が、この方法の一例を行いまたは実施することができる。一態様では、そのフェムトＡＰに機能を与える少なくとも１つまたは複数のプロセッサが、この方法の一例３２００を少なくとも部分的に実施することができる。動作３２１０で、移動体装置から接続シグナリングを受信し、その接続シグナリングには、移動体装置がアイドルモードで動作するときに伝えることができる１つまたは複数の無線パイロット信号が含まれ得る。動作３２２０で、その移動体装置が、この方法の一例を行うフェムトＡＰとすることができるフェムトＡＰを介してサービスにアクセスすることを許可されているかどうかを判定する。許可または１つもしくは複数のアクセス特権は、フェムトＡＰによってユーザ機器に提供される少なくともサービス・レベルを規制するアクセス・リスト、例えば１つまたは複数のアクセス・リスト３５３によって決定することができる。その移動体装置が許可されている場合、動作３２４０で、その接続を例えば１つまたは複数のアクセス記録３５５の一部として記録し、接続報告を伝える。一態様では、この接続報告は、タイムスタンプ、ＵＥ識別コードやトークンなどの登録情報を送ることができる。伝えられる接続報告は、この方法の一例を行うことができるフェムトＡＰに機能的につながれるルーティング・プラットフォームにおいて集約することができる。逆に、その移動体装置が許可されていない場合、流れは動作３２３０に導かれ、動作３２３０では、その移動体装置がブラックリストに載せられた装置かどうかを確認する。ブラックリストに載っている場合、動作３２５０で例外処理を実施する。例外処理には、警報、例えばＳＭＳ通信、ＵＳＳＤコード、電子メール・メッセージ、インスタント・メッセージ等を法執行機関などの当局に送ることが含まれ得る。ブラックリストに載っていない場合、動作３２６０で、その移動体装置は緊急時モードでのみサービスされる。
【０１３４】
図３３は、本明細書に記載の諸態様による、フェムト企業ネットワーク内で動作する移動体装置の位置を突き止めることを支援するための方法の一例３３００の流れ図である。本明細書に記載するフェムト企業ネットワーク内のルーティング・コンポーネント（例えば１１０や５１０）に機能的につながるフェムトＡＰ（例えばフェムト１０４３）が、この方法の一例３３００を行いまたは実施することができる。あるいは、またはそれに加え、そのフェムトＡＰに機能を与える少なくとも１つまたは複数のプロセッサが、この方法の一例を少なくとも部分的に実施することができる。動作３３１０で、タイミング設定を受信する。このタイミング設定は、フェムトセル・メッシュ・ネットワーク内の１組のフェムトＡＰ間の時間を同期させることができる。さらに、このタイミング設定は、クロック・レイヤ、例えば４４５の一部とすることができるクロック源を選択することを可能にすることができ、そのクロック源は、この方法の一例を実施するフェムトＡＰが行うことができるＴＯＦ測定に少なくとも部分的に基づく三角測量によって得ることができる空間分解能を求める。動作３３２０で、１組の伝搬タイミング測定を収集する。この組は、１つまたは複数の測定を含む。動作３３３０で、その１組のタイミング測定をルーティング・プラットフォームに伝える。一態様では、そのルーティング・プラットフォームは、タイミング・データを活用して、移動体装置または無線機能を備える機器に結び付くエンティティの位置推定を生成することができる。
【０１３５】
本明細書の様々な態様のさらなる状況を提供するために、図３４は、本明細書に記載の諸態様による、フェムトセル企業ネットワークの動作を可能にすることができる関連コンポーネントを備える、無線通信環境の一例３４００を示す。無線通信環境３４００は、次の２つの無線ネットワーク・プラットフォームを含む。（ｉ）マクロ無線アクセス・ネットワーク（ＲＡＮ）３４７０を介してユーザ機器３４７５にサービスし、またはユーザ機器３４７５との通信を容易にする）マクロ・ネットワーク・プラットフォーム３４１０。セルラ無線技術（例えば４Ｇ、３ＧＰＰ  ＵＭＴＳ、ＨＳＰＡ、３ＧＰＰ  ＬＴＥ、３ＧＰＰ  ＵＭＢ）では、マクロ・ネットワーク・プラットフォーム３４１０は、コア・ネットワークによって実施されることを理解すべきである。（ｉｉ）フェムト・ネットワーク・プラットフォーム３４８０であり、このフェムト・ネットワーク・プラットフォーム３４８０は、ルーティング・プラットフォーム１０２を経由し、１つまたは複数のバックホール・パイプ３４８５を介してフェムト・ネットワーク・プラットフォーム３４８０に結び付くフェムトＲＡＮ３４９０を介し、ＵＥ３４７５と通信を行うことができ、１つまたは複数のバックホール・パイプは、バックホール・リンク１２４０と実質的に同じである。フェムト・ネットワーク・プラットフォーム３４８０は、ＵＥ３４７５がフェムトＲＡＮに（例えばマクロからフェムトへのハンドオーバによって、またはアイドルモードでチャネル・リソースをスキャンすることによって）接続すると、典型的にはＵＥ３４７５をマクロ・ネットワークからオフロードすることを理解すべきである。
【０１３６】
ＲＡＮは、１つまたは複数の基地局に従って運営される無線リンクに加え、１つもしくは複数の基地局または１つもしくは複数のアクセスポイント、ならびにその関連電子回路および１つまたは複数の展開サイトを含むことを指摘しておく。したがって、マクロＲＡＮ３４７０は、セル１２０５などの様々なカバレッジ・セルを含むことができる一方、フェムトＲＡＮ３４９０は、複数のフェムト・アクセスポイントを含むことができる。上記に述べたように、フェムトＲＡＮ３４９０内の展開密度は、マクロＲＡＮ３４７０より実質的に高いことを理解すべきである。
【０１３７】
概して、マクロ・ネットワーク・プラットフォーム３４１０もフェムト・ネットワーク・プラットフォーム３４８０も、パケット交換（ＰＳ）トラフィック（例えばインターネット・プロトコル（ＩＰ）、フレームリレー、非同期転送モード（ＡＴＭ））、および回線交換（ＣＳ）トラフィック（例えば音声およびデータ）の両方を容易にし、ネットワーク無線通信に関する生成を制御するコンポーネント、例えばノード、ゲートウェイ、インターフェース、サーバ、またはプラットフォームを含む。本革新の一態様では、マクロ・ネットワーク・プラットフォーム３４１０は、１つまたは複数の電話網３４４０（例えば、公衆交換電話網（ＰＳＴＮ）や公衆陸上移動体網（ＰＬＭＮ））やＳＳ７網３４６０などの旧来のネットワークから受信するＣＳトラフィックをインターフェースすることができる、１つまたは複数のＣＳゲートウェイ・ノード３４１２を含む。回線交換ゲートウェイ３４１２は、そうしたネットワークから生じるトラフィック（例えば音声）を許可し、認証することができる。さらに、ＣＳゲートウェイ３４１２は、ＳＳ７網３４６０によって生成されるモビリティ・データまたはローミング・データに、例えばメモリ３４３０内にあることができるＶＬＲに記憶されるモビリティ・データにアクセスすることができる。さらに、１つまたは複数のＣＳゲートウェイ・ノード３４１２は、ＣＳベースのトラフィックおよびシグナリングと１つまたは複数のゲートウェイ・ノード３４１８とをインターフェースする。一例として、３ＧＰＰ  ＵＭＴＳネットワークでは、１つまたは複数のゲートウェイ・ノード３４１８は、１つまたは複数のゲートウェイＧＰＲＳサポート・ノード（ＧＧＳＮ）によって実施することができる。
【０１３８】
ＣＳ交換トラフィックおよびシグナリングを受信し処理することに加え、１つまたは複数のゲートウェイ・ノード３４１８は、（例えばマクロＲＡＮを介して）サービスされる無線装置とのＰＳベースのデータ・セッションを許可し、認証することができる。データ・セッションには、１つまたは複数の広域ネットワーク（ＷＡＮ）３４５０など、マクロ・ネットワーク・プラットフォーム３４１０にとって外部のネットワークとのトラフィック交換が含まれてよく、１つまたは複数のローカル・エリア・ネットワーク（ＬＡＮ）も、１つまたは複数のゲートウェイ・ノード３４１８を介してマクロ・ネットワーク・プラットフォーム３４１０とインターフェースできることを理解すべきである。１つまたは複数のゲートウェイ・ノード３４１８は、データ・セッションが確立されるとき、パケット・データ・コンテキストを生成する。そのためには、一態様では、１つまたは複数のゲートウェイ・ノード３４１８は、Ｗｉ−Ｆｉネットワークなど、別の１つまたは複数の無線ネットワークとのパケット化された通信を容易にすることができる、トンネル・インターフェース（例えば、１つまたは複数の３ＧＰＰ  ＵＭＴＳネットワークにおけるトンネル終端ゲートウェイ（ＴＴＧ）、不図示）を含むことができる。そのパケット化された通信は、１つまたは複数のサーバ３４１４によって生成可能な複数のフローを含むことができることをさらに理解すべきである。１つまたは複数の３ＧＰＰ  ＵＭＴＳネットワークでは、１つまたは複数のゲートウェイ・ノード３４１８（例えばＧＧＳＮ）およびトンネル・インターフェース（例えばＴＴＧ）は、パケット・データ・ゲートウェイ（ＰＤＧ）を含むことに留意すべきである。
【０１３９】
マクロ・ネットワーク・プラットフォーム３４１０は、１つまたは複数のゲートウェイ・ノード３４１８を介して受信するパケット化された様々な情報またはデータストリームのフローを伝える、１つまたは複数のサービス・ノード３４１６も含む。一例として、３ＧＰＰ  ＵＭＴＳネットワークでは、１つまたは複数のサービス・ノードは、１つまたは複数のサービスＧＰＲＳサポート・ノード（ＳＧＳＮ）によって実施することができる。
【０１４０】
上記に示したように、マクロ・ネットワーク・プラットフォーム３４１０内の１つまたは複数のサーバ３４１４は、複数の異なるパケット化されたデータストリームまたはフローを生成する多数のアプリケーション（例えば位置サービス、オンラインゲーム、無線バンキング、無線装置管理等）を実行し、そうしたフローを管理する（例えばスケジュールし、キューに入れ、フォーマットする等）ことができる。そのような１つまたは複数のアプリケーションは、例えばマクロ・ネットワーク・プラットフォーム３４１０が提供する標準サービスに対するアドオン機能を含むことができる。データストリームは、許可／認証およびデータ・セッションを開始するために１つまたは複数のゲートウェイ・ノード３４１８に、およびその後の通信ために１つまたは複数のサービス・ノード３４１６に伝えることができる。１つまたは複数のサーバ３４１４は、マクロ・ネットワーク・プラットフォーム３４１０のセキュリティをもたらして（例えば１つまたは複数のファイアウォールを実装する）、１つまたは複数のＣＳゲートウェイ・ノード３４１２および１つまたは複数のゲートウェイ・ノード３４１８が行うことができる許可および認証手順に加えて、ネットワークの動作およびデータの完全性を確実にすることもできる。さらに、１つまたは複数のサーバ３４１４は、１つまたは複数の外部ネットワーク、例えばＷＡＮ３４５０や１つまたは複数のＧＰＳ（全世界測位システム）ネットワーク（不図示）からのサービスをプロビジョンすることができる。１つまたは複数のサーバ３４１４は、マクロ・ネットワーク・プラットフォーム３４１０の機能を少なくとも部分的に与えるように構成される１つまたは複数のプロセッサを含むことができることに留意すべきである。そのためには、その１つまたは複数のプロセッサは、例えばメモリ３４３０内に記憶されるコード命令を実行することができる。
無線環境の一例３４００では、メモリ３４３０は、マクロ・ネットワーク・プラットフォーム３４１０の動作に関係する情報を記憶する。情報には、加入者に関連する業務データ、市場計画および市場戦略、例えばプロモーション・キャンペーンや事業提携、マクロ・ネットワーク・プラットフォームによってサービスされる移動体装置の動作上のデータ、サービスおよびプライバシ・ポリシ、法の執行のためのエンドユーザ・サービスのログなどが含まれ得る。メモリ３４３０は、１つもしくは複数の電話網３４４０、１つもしくは複数のＷＡＮ３４５０、ＳＳ７網３４６０、１つもしくは複数の企業ネットワーク３４６５、または１つもしくは複数のサービス・ネットワーク３４６７のうちの少なくとも１つからの情報も記憶することができる。
【０１４１】
１つまたは複数のフェムト・ゲートウェイ・ノード３４８４は、１つまたは複数のＰＳゲートウェイ・ノード３４１８と実質的に同じ機能を有する。さらに、１つまたは複数のフェムト・ゲートウェイ・ノード３４８４は、１つまたは複数のサービス・ノード３４１６の実質的にすべての機能を含むこともできる。一態様では、１つまたは複数のフェムト・ゲートウェイ・ノード３４８４は、ハンドオーバの解決、例えば評価や実行を容易にする。さらに、１つまたは複数の制御ノード３４２０は、ハンドオーバ要求を受信し、それらの要求を１つまたは複数のゲートウェイ・ノード３４８４を介してハンドオーバ・コンポーネント（不図示）に中継することができる。一態様によれば、１つまたは複数の制御ノード３４２０は、ＲＮＣ機能をサポートすることができ、制御コンポーネント３２０（図３）と実質的に同様のものとすることができ、その機能を含むことができる。
【０１４２】
１つまたは複数のサーバ３４８２は、１つまたは複数のサーバ３４１４に関連して説明したのと実質的に同じ機能を有する。一態様では、１つまたは複数のサーバ３４８２は、フェムトＲＡＮ３４９０によってサービスされる無線装置にサービス（例えば音声やデータ）を提供する、複数のアプリケーションを実行することができる。１つまたは複数のサーバ３４８２は、フェムト・ネットワーク・プラットフォームにセキュリティ機能を与えることもできる。さらに、１つまたは複数のサーバ３４８２は、マクロ・ネットワーク・プラットフォーム３４１０から受信するデータに加え、自らが生成する実質的にすべてのパケット化された（例えばＩＰベース、フレームリレー・ベース、ＡＴＭベースの）フローを管理する（例えばスケジュールし、キューに入れ、フォーマットする等）ことができる。１つまたは複数のサーバ３４８２は、マクロ・ネットワーク・プラットフォーム３４１０の機能を少なくとも部分的に与えるように構成される１つまたは複数のプロセッサを含むことができることに留意すべきである。そのためには、その１つまたは複数のプロセッサは、例えばメモリ３４８６内に記憶されるコード命令を実行することができる。
【０１４３】
メモリ３４８６は、フェムト・ネットワーク・プラットフォーム３４８０の様々なコンポーネントの動作に関係する情報を含むことができる。例えば、メモリ３４８６内に記憶することができる動作上の情報には、加入者情報、契約サービス、保守およびサービス記録、フェムトセルの設定（例えばフェムトＲＡＮ３４９０によってサービスされる装置、アクセス制御リストやホワイトリスト）、サービス・ポリシおよびサービス仕様、プライバシ・ポリシ、アドオン機能などが含まれ得るが、これだけに限定されない。
【０１４４】
フェムト・ネットワーク・プラットフォーム３４８０と、マクロ・ネットワーク・プラットフォーム３４１０とは、１つもしくは複数の参照リンクまたは１つもしくは複数の参照インターフェースを介して機能的に接続できることを指摘しておく。さらに、フェムト・ネットワーク・プラットフォーム３４８０は、１つまたは複数の外部ネットワーク３４４０、３４５０、３４６０、３４６５もしくは３４６７のうちの１つまたは複数に機能的に直接結合することができる（不図示）。１つもしくは複数の参照リンクまたは１つもしくは複数の参照インターフェースは、１つもしくは複数のゲートウェイ・ノード３４８４または１つもしくは複数のサーバ３４８６のうちの少なくとも１つを、１つまたは複数の外部ネットワーク３４４０、３４５０、３４６０、３４６５もしくは３４６７に機能的につなぐことができる。
【０１４５】
図３５は、本明細書の諸態様による、無線カバレッジを得るためのマクロセルおよびフェムトセルを含む無線環境を示す。無線環境３５５０では、２つのエリア３５０５が「マクロ」セル・カバレッジを示し、それぞれのマクロセルは基地局３５１０によってサービスされる。マクロセルのカバレッジ・エリア３５０５および基地局３５１０は、例えばシステム３５００に関連して本明細書でより完全に説明した機能を含むことができることを理解することができる。マクロ・カバレッジは、多くの場合、ＵＥ３５２０Ａ、ＵＥ３５２０Ｂなどの屋外区域の移動体無線装置にサービスすることを意図する。そのようなカバレッジは無線リンク１１５が提供し、無線リンク１２１５はダウンリンク（ＤＬ）およびアップリンク（ＵＬ）を含み、無線周波（ＲＦ）スペクトルのうちの認可されたまたは認可されていない所定の帯域を利用する。一例として、ＵＥ３５２０Ａ、ＵＥ３５２０Ｂは、３ＧＰＰユニバーサル移動体電気通信システム（ＵＭＴＳ）の携帯電話とすることができる。１組の基地局、その関連する電子機器、回路またはコンポーネント、１つまたは複数の基地局制御コンポーネント、および１組の基地局のうちのそれぞれの基地局に基づいて運営される無線リンクが、無線アクセス・ネットワーク（ＲＡＮ）を形成することを指摘しておく。さらに、基地局３５１０は、１つまたは複数のバックホール・リンク３５５１を介してマクロ・ネットワーク・プラットフォーム３５６０と通信し、セルラ無線技術（例えば第３世代パートナーシップ・プロジェクト（３ＧＰＰ）ユニバーサル移動体電気通信システム（ＵＭＴＳ）、グローバル・システム・フォー・モバイル・コミュニケーション（ＧＳＭ））では、このマクロ・ネットワーク・プラットフォーム３５６０はコア・ネットワークに相当する。
【０１４６】
一態様では、マクロ・ネットワーク・プラットフォーム３５６０は、それぞれのセルまたはそうしたセルの中のいくつかのセクタにサービスする１組の基地局３５１０を制御する。基地局３５１０は、１つまたは複数の無線技術で動作するための無線機器３５１４、およびマクロセル３５０５内の１つまたは複数のセクタにサービスすることができる１組のアンテナ３５１２（例えばスマートアンテナ、マイクロ波アンテナ、１つまたは複数の衛星放送受信アンテナ等）を備える。マクロ・ネットワーク・プラットフォームの一部とすることができる１組の１つまたは複数の無線ネットワーク制御ノード、１組のマクロセル３５０５にサービスする１組の基地局（例えばＮｏｄｅ  Ｂ３５１０）、１組の基地局の中の基地局に関連する電子機器、回路またはコンポーネント、基地局により無線技術に従って運営される１組のそれぞれのＯＴＡ無線リンク（例えばリンク３５１５や３５１６）、ならびに１つまたは複数のバックホール・リンク３５５５および３５５１が、マクロ無線アクセス・ネットワーク（ＲＡＮ）を形成することを指摘しておく。マクロ・ネットワーク・プラットフォーム３５６０は、他のセル（不図示）にサービスする他の基地局（不図示）とも通信する。１つまたは複数のバックホール・リンク３５５１または３５５３には、有線バックボーン・リンク（例えば光ファイバ・バックボーン、対線、Ｔ１／Ｅ１電話回線、同期または非同期デジタル加入者回線（ＤＳＬ）、非対称ＡＤＳＬ、同軸ケーブル等）、または無線（見通しのある（ＬＯＳ：ｌｉｎｅ−ｏｆ−ｓｉｇｈｔ）または非ＬＯＳ）バックボーン・リンクが含まれ得る。１つまたは複数のバックホール・パイプ３５５５は、異なる基地局３５１０をつなぐ。一態様によれば、バックホール・リンク３５５３は、複数のフェムト・アクセスポイント３５３０および／またはコントローラ・コンポーネント（ＣＣ）１２０をフェムト・ネットワーク・プラットフォーム１３０に接続することができる。一例では、複数のフェムトＡＰをルーティング・プラットフォーム（ＲＰ）１１０に接続することができ、そのルーティング・プラットフォーム（ＲＰ）１１０は、コントローラ・コンポーネント（ＣＣ）１２０に接続することができる。典型的には、各ＵＥ３５２０Ａからの情報は、ＲＰ１０２により、例えばＲＰ１１０に接続する異なるフェムトＡＰに接続する別のＵＥ３５２０Ａに内部的にルーティングし、または上記で詳細に論じたようにＣＣ１２０を介してフェムト・ネットワーク・プラットフォーム１３０に外部的にルーティングすることができる。
【０１４７】
無線環境３５５０では、１つまたは複数のマクロセル３５０５内で、それぞれのフェムト・アクセスポイント（ＡＰ）３５３０によってサービスされる１組のフェムトセル３５４５を展開することができる。本革新の諸態様は、かなりのフェムトＡＰの密度、例えば１つの基地局３５１０当たり１０４〜１０７のフェムトＡＰ３５３０を備えるフェムトセルの展開を対象とすることを理解することができる。一態様によれば、Ｎが自然数である１組のフェムト・アクセスポイント３５３０１〜３５３０Ｎは、ルーティング・プラットフォーム１１０に機能的に接続することができ、そのルーティング・プラットフォーム１１０は、コントローラ・コンポーネント１２０に機能的に結合することができる。このコントローラ・コンポーネント１２０は、１つまたは複数のバックホール・リンク３５５３を使用することにより、フェムト・ネットワーク・プラットフォーム３３０に動作可能につなぐことができる。したがって、フェムトＡＰ３５３０１〜３５３０Ｎに接続する各ＵＥ、ＵＥ３５２０Ａは、ルーティング・プラットフォーム（ＲＰ）１１０を介してフェムト企業内で内部的に通信することができ、かつ／またはＲＰ１１０、コントローラ・コンポーネント１２０、および１つまたは複数のバックホール・リンク３５５３を介してフェムト・ネットワーク・プラットフォーム１３０と通信することもできる。図３５には、１つのフェムト企業しか図示しないが、複数のフェムト企業ネットワークをマクロセル３５０５内に展開できることを理解することができる。
【０１４８】
本明細書に記載の様々な態様、特徴、または利点を、１つまたは複数のフェムト・アクセスポイントおよび関連するフェムト・カバレッジによって説明してきたが、そのような態様および特徴は、実質的にあらゆる、またはあらゆる異なる電気通信技術、例えばＷｉ−Ｆｉ（ワイヤレス・フィディリティ）やピコセル電気通信などによって無線カバレッジを提供する、１つまたは複数のホーム・アクセスポイント（ＨＡＰ）にも活用できることを指摘しておく。さらに、本革新の諸態様、特徴、または利点は、実質的にあらゆる無線電気通信技術または無線技術、例えばＷｉ−Ｆｉ、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、拡張汎用パケット無線サービス（拡張ＧＰＲＳ）、３ＧＰＰ  ＬＴＥ、３ＧＰＰ２  ＵＭＢ、３ＧＰＰ  ＵＭＴＳ、ＨＳＰＡ、ＨＳＤＰＡ、ＨＳＵＰＡ、またはＬＴＥ拡張において活用することができる。さらに、本革新の実質的にすべての態様は、旧来の電気通信技術を含むことができる。
【０１４９】
本明細書に記載した様々な態様または特徴は、標準的なプログラミング技法および／または工学的技法を使用する方法、機器、もしくは製品として実施することができる。さらに、本明細書で開示した様々な態様は、メモリ内に記憶され、プロセッサによって実行されるプログラム・モジュール、またはハードウェアとソフトウェアもしくはハードウェアとファームウェアとの他の組合せによって実施することもできる。本明細書で使用するとき、用語「製品」は、任意のコンピュータ可読装置、搬送波、または媒体からアクセス可能なコンピュータ・プログラムを包含することを意図する。例えば、コンピュータ可読媒体には、磁気記憶装置（例えばハードディスク、フロッピディスク、磁気ストリップ等）、光ディスク（例えばＣＤ（コンパクトディスク）、ＤＶＤ（デジタル多用途ディスク）、ＢＤ（ブルーレイディスク）等）、スマートカード、およびフラッシュメモリ装置（例えばカード、スティック、キードライブ等）が含まれ得るが、これだけに限定されない。さらに、電子メールを送受信する際、またはインターネットやローカル・エリア・ネットワーク（ＬＡＮ）などのネットワークにアクセスする際に使用するものなどのコンピュータ可読電子データを運ぶために、搬送波を使用できることを理解すべきである。特許請求の範囲に記載する主題の範囲または趣旨から逸脱することなく、この構成に多くの修正を加えることができることを当業者なら当然理解されよう。
【０１５０】
本明細書で使用するとき、用語「プロセッサ」は、シングルコア・プロセッサ、ソフトウェア・マルチスレッド実行機能を備えるシングル・プロセッサ、マルチコア・プロセッサ、ソフトウェア・マルチスレッド実行機能を備えるマルチコア・プロセッサ、ハードウェア・マルチスレッド技術を備えるマルチコア・プロセッサ、並列プラットフォーム、および分散された共用メモリを備える並列プラットフォームを含むが、これを含むことだけに限定されない、実質的にあらゆるコンピューティング処理ユニットまたは装置を指すことができる。さらに、プロセッサは、本明細書に記載した機能を実行するように設計される、集積回路、特定用途向け集積回路（ＡＳＩＣ）、デジタル信号プロセッサ（ＤＳＰ）、書替え可能ゲートアレイ（ＦＰＧＡ）、プログラム可能論理コントローラ（ＰＬＣ）、複合プログラム可能論理装置（ＣＰＬＤ）、個別ゲートもしくはトランジスタ論理、個別ハードウェア・コンポーネント、またはその任意の組合せを指すことができる。プロセッサは、ユーザ機器の空間使用を最適化しまたは性能を向上させるために、分子および量子ドット・ベースのトランジスタ、スイッチおよびゲートなどだがこれだけに限定されない、ナノスケール構造を活用することができる。プロセッサは、コンピューティング処理ユニットの組合せとしても実装することができる。
【０１５１】
本明細書では、「記憶」、「データ記憶」、「データ記憶部」、「データベース」、「リポジトリ」などの用語、ならびにコンポーネントの動作および機能に関連する実質的に他のあらゆる情報記憶コンポーネントは「メモリ・コンポーネント」、または「メモリ」によって実施されるエンティティ、またはメモリを備えるコンポーネントを指す。本明細書で記載したメモリ・コンポーネントは、揮発性メモリもしくは不揮発性メモリとすることができ、または揮発性メモリと不揮発性メモリとの両方を含むことができることが理解されよう。さらに、メモリ・コンポーネントまたはメモリ要素は、取外し可能もしくは固定式とすることができる。さらに、メモリは、装置またはコンポーネントの内部にもしくは外部にあり、または取外し可能もしくは固定式とすることができる。メモリには、ハードディスク・ドライブ、ジップ・ドライブ、磁気カセット、フラッシュメモリ・カード、他の種類のメモリ・カード、カートリッジなど、コンピュータが読み取ることができる様々な種類の媒体が含まれ得る。
【０１５２】
限定ではなく例として、不揮発性メモリには、ＲＯＭ（読出し専用メモリ）、ＰＲＯＭ（プログラム可能ＲＯＭ）、ＥＰＲＯＭ（電気的プログラム可能ＲＯＭ）、ＥＥＰＲＯＭ（電気的消去可能ＲＯＭ）、またはフラッシュメモリが含まれ得る。揮発性メモリには、外部キャッシュ・メモリとして働くＲＡＭ（ランダム・アクセス・メモリ）が含まれ得る。限定ではなく例として、ＲＡＭは、ＳＲＡＭ（同期ＲＡＭ）、ＤＲＡＭ（ダイナミックＲＡＭ）、ＳＤＲＡＭ（同期ＤＲＡＭ）、ＤＤＲ  ＳＤＲＡＭ（ダブル・データ・レートＳＤＲＡＭ）、ＥＳＤＲＡＭ（拡張ＳＤＲＡＭ）、ＳＬＤＲＡＭ（シンクリンクＤＲＡＭ）、およびＤＲＲＡＭ（ダイレクト・ランバスＲＡＭ）など、多くの形で手に入る。さらに、本明細書のシステムまたは方法の開示したメモリ・コンポーネントは、これらのおよび他の任意の適切な種類のメモリを含むことに限定しないが、含むことを意図する。
【０１５３】
上述した内容は、本革新の利点を提供するシステムおよび方法の例を含む。本革新を説明するためにコンポーネントまたは方法体系についての考えられるすべての組合せを記載することは当然できないが、特許請求の範囲に記載の主題の多くのさらなる組合せおよび置換が可能であることを当業者なら理解することができる。さらに、用語「含む（ｉｎｃｌｕｄｅｓ）」、「有する（ｈａｓ）」、「保持する（ｐｏｓｓｅｓｓｅｓ）」等を詳細な説明、特許請求の範囲、付録、および図面の中で使用する限りにおいて、これらの用語は、用語「備える（ｃｏｍｐｒｉｓｉｎｇ）」を請求項の中で移行語として使用する場合に解釈される「備える」と同じように、包含的であることを意図する。
【図１】
0005684840.tif 000002
【図２Ａ】
0005684840.tif 000003
【図２Ｂ】
0005684840.tif 000004
【図２Ｃ】
0005684840.tif 000005
【図３】
0005684840.tif 000006
【図４】
0005684840.tif 000007
【図５】
0005684840.tif 000008
【図６】
0005684840.tif 000009
【図７Ａ】
0005684840.tif 000010
【図７Ｂ】
0005684840.tif 000011
【図８】
0005684840.tif 000012
【図９】
0005684840.tif 000013
【図１０】
0005684840.tif 000014
【図１１】
0005684840.tif 000015
【図１２】
0005684840.tif 000016
【図１３】
0005684840.tif 000017
【図１４Ａ】
0005684840.tif 000018
【図１４Ｂ】
0005684840.tif 000019
【図１５Ａ】
0005684840.tif 000020
【図１５Ｂ】
0005684840.tif 000021
【図１６】
0005684840.tif 000022
【図１７】
0005684840.tif 000023
【図１８】
0005684840.tif 000024
【図１９】
0005684840.tif 000025
【図２０】
0005684840.tif 000026
【図２１】
0005684840.tif 000027
【図２２】
0005684840.tif 000028
【図２３】
0005684840.tif 000029
【図２４】
0005684840.tif 000030
【図２５】
0005684840.tif 000031
【図２６】
0005684840.tif 000032
【図２７】
0005684840.tif 000033
【図２８】
0005684840.tif 000034
【図２９】
0005684840.tif 000035
【図３０】
0005684840.tif 000036
【図３１】
0005684840.tif 000037
【図３２】
0005684840.tif 000038
【図３３】
0005684840.tif 000039
【図３４】
0005684840.tif 000040
【図３５】
0005684840.tif 000041